(57)【要約】  開口率の低下を招くことなく消費電力の低減を実現する表示装置を提供する。液晶容量素子（Ｃｌｃ）は画素電極（２０）と対向電極（８０）に挟まれることで形成される。対向電極（８０）には対向電圧（Ｖｃｏｍ）が印加される。画素電極（２０）、第１スイッチ回路（２２）の一端、第２スイッチ回路（２３）の一端、第２トランジスタ（Ｔ２）の第１端子が内部ノード（Ｎ１）を形成する。第１スイッチ回路（２２）の他端はソース線（ＳＬ）に接続する。第２スイッチ回路（２３）は、他端を電圧供給線（ＶＳＬ）に接続し、トランジスタ（Ｔ１）とトランジスタ（Ｔ３）の直列回路で構成され、トランジスタ（Ｔ１）の制御端子、トランジスタ（Ｔ２）の第２端子、及びブースト容量素子（Ｃｂｓｔ）の一端で出力ノード（Ｎ２）を形成する。ブースト容量素子（Ｃｓｂｔ）の他端はブースト線（ＢＳＴ）に、トランジスタ（Ｔ２）の制御端子はリファレンス線（ＲＥＦ）に、トランジスタ（Ｔ３）の制御端子は選択線（ＳＥＬ）に接続される。
2011027599.tif 000002
【特許請求の範囲】
【請求項１】
単位表示素子を含む表示素子部と、
前記表示素子部の一部を構成し、前記表示素子部に印加される画素データの電圧を保持する内部ノードと、
少なくとも所定のスイッチ素子を経由して、データ信号線から供給される前記画素データの電圧を前記内部ノードに転送する第１スイッチ回路と、
所定の電圧供給線に供給される電圧を、前記所定のスイッチ素子を経由せずに前記内部ノードに転送する第２スイッチ回路と、
前記内部ノードが保持する前記画素データの電圧に応じた所定の電圧を第１容量素子の一端に保持すると共に、前記第２スイッチ回路の導通非導通を制御する制御回路と、を備えてなり、
第１端子、第２端子、並びに、前記第１及び第２端子間の導通を制御する制御端子を有する第１〜第３トランジスタ素子のうち、前記第１及び第３トランジスタ素子を前記第２スイッチ回路が、前記第２トランジスタ素子を前記制御回路がそれぞれ有し、
前記第２スイッチ回路は、前記第１トランジスタ素子と前記第３トランジスタ素子の直列回路で構成され、
前記制御回路は、前記第２トランジスタ素子と前記第１容量素子の直列回路で構成され、
前記第１スイッチ回路の一端が前記データ信号線に接続し、
前記第２スイッチ回路の一端が前記電圧供給線に接続し、
前記第１及び第２スイッチ回路の各他端、及び前記第２トランジスタ素子の第１端子が前記内部ノードに接続し、
前記第１トランジスタ素子の制御端子、前記第２トランジスタ素子の第２端子、及び前記第１容量素子の一端が相互に接続し、
前記第２トランジスタ素子の制御端子が第１制御線に接続し、
前記第３トランジスタ素子の制御端子が第２制御線に接続し、
前記第１容量素子の他端が、前記第２制御線又は第３制御線に接続していることを特徴とする画素回路。
【請求項２】
前記第１制御線が、前記電圧供給線として兼用されることを特徴とする請求項１に記載の画素回路。
【請求項３】
一端が前記内部ノードに接続し、他端が第４制御線又は所定の固定電圧線に接続する第２容量素子を更に備えることを特徴とする請求項１に記載の画素回路。
【請求項４】
一端が前記内部ノードに接続し、他端が第４制御線に接続する第２容量素子を更に備え、
前記第４制御線が、前記電圧供給線として兼用されることを特徴とする請求項１に記載の画素回路。
【請求項５】
前記所定のスイッチ素子が、第１端子、第２端子、並びに前記第１及び第２端子間の導通を制御する制御端子を有する第４トランジスタ素子で構成され、
前記第４トランジスタ素子の制御端子が走査信号線にそれぞれ接続していることを特徴とする請求項１〜４のいずれか１項に記載の画素回路。
【請求項６】
前記第１スイッチ回路が、前記所定のスイッチ素子以外のスイッチ素子を含まない構成であることを特徴とする請求項５に記載の画素回路。
【請求項７】
前記第１スイッチ回路が、前記第２スイッチ回路内の前記第３トランジスタ素子と前記所定のスイッチ素子との直列回路、又は前記第２スイッチ回路内の前記第３トランジスタ素子の制御端子に制御端子が接続する第５トランジスタと前記所定のスイッチ素子との直列回路で構成されることを特徴とする請求項５に記載の画素回路。
【請求項８】
請求項１に記載の画素回路を行方向及び列方向にそれぞれ複数配置して画素回路アレイを構成し、
前記列毎に前記データ信号線を１本ずつ備えており、
同一列に配置される前記画素回路は、前記第１スイッチ回路の一端が共通の前記データ信号線に接続し、
同一行又は同一列に配置される前記画素回路は、前記第２トランジスタ素子の制御端子が共通の前記第１制御線に接続し、
同一行又は同一列に配置される前記画素回路は、前記第３トランジスタ素子の制御端子が共通の前記第２制御線に接続し、
同一行又は同一列に配置される前記画素回路は、前記第１容量素子の前記他端が共通の前記第２制御線又は前記第３制御線に接続する構成であって、
前記データ信号線を各別に駆動するデータ信号線駆動回路、並びに前記第１及び第２制御線を各別に駆動する制御線駆動回路を備え、
前記第１制御線が前記電圧供給線として兼用される場合、又は前記電圧供給線が独立した配線である場合は、前記制御線駆動回路が前記電圧供給線を駆動し、
前記第１容量素子の他端が前記第３制御線に接続する場合は、前記制御線駆動回路が前記第３制御線を駆動することを特徴とする表示装置。
【請求項９】
前記電圧供給線が独立した配線である場合において、
同一行又は同一列に配置される前記画素回路は、前記第２スイッチ回路の一端が共通の前記電圧供給線と接続していることを特徴とする請求項８に記載の表示装置。
【請求項１０】
前記第１スイッチ回路が、前記所定のスイッチ素子以外のスイッチ素子を含まない構成であると共に、前記所定のスイッチ素子は、第１端子、第２端子、並びに前記第１及び第２端子間の導通を制御する制御端子を有する第４トランジスタ素子であって、前記第１端子が前記内部ノードに、第２端子が前記データ信号線に、制御端子が走査信号線にそれぞれ接続する構成であり、
前記行毎に前記走査信号線を１本ずつ備えると共に、同一行に配置される前記画素回路が共通の前記走査信号線に接続する構成であり、
前記走査信号線を各別に駆動する走査信号線駆動回路を備えていることを特徴とする請求項８又は９に記載の表示装置。
【請求項１１】
前記所定のスイッチ素子が、第１端子、第２端子、及び前記両端子間の導通を制御する制御端子を有する第４トランジスタ素子で構成され、
前記第１スイッチ回路が、前記第２スイッチ回路内の前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、
前記行毎に走査信号線と前記第２制御線をそれぞれ１本ずつ備えており、
前記第４トランジスタ素子の制御端子が走査信号線に接続し、
同一行に配置される前記画素回路が、共通の前記走査信号線及び共通の前記第２制御線にそれぞれ接続し、
前記走査信号線を各別に駆動する走査信号線駆動回路を備えていることを特徴とする請求項８又は９に記載の表示装置。
【請求項１２】
１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態にし、
前記データ信号線駆動回路が、前記データ信号線のそれぞれに対して、前記選択行の各列の前記画素回路に書き込む画素データに対応するデータ電圧を各別に印加することを特徴とする請求項１０に記載の表示装置。
【請求項１３】
前記書き込み動作時に、
前記制御線駆動回路は、前記第２制御線に前記第３トランジスタ素子を非導通状態とする所定の電圧を印加することを特徴とする請求項１２に記載の表示装置。
【請求項１４】
前記書き込み動作時に、
前記制御線駆動回路は、前記第１制御線に前記第２トランジスタ素子を導通状態とする所定の電圧を印加することを特徴とする請求項１２に記載の表示装置。
【請求項１５】
前記書き込み動作時に、
前記制御線駆動回路が、前記第１制御線に前記第２トランジスタ素子を前記内部ノードの電圧状態にかかわらず導通状態とする所定の電圧を印加すると共に、前記電圧供給線に前記第１トランジスタ素子を非導通状態とする所定の電圧を印加して、前記第２スイッチ回路を非導通状態とすることを特徴とする請求項１２に記載の表示装置。
【請求項１６】
１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態にし、
前記制御線駆動回路が、前記選択行の前記第２制御線に前記第３トランジスタ素子を導通状態にする所定の選択用電圧を印加すると共に、前記非選択行の前記第２制御線に前記第３トランジスタ素子を非導通状態にする所定の非選択用電圧を印加し、
前記データ信号線駆動回路が、前記データ信号線のそれぞれに、前記選択行の各列の前記画素回路に書き込む画素データに対応するデータ電圧を各別に印加することを特徴とする請求項１１に記載の表示装置。
【請求項１７】
前記書き込み動作時に、
前記制御線駆動回路は、前記第１制御線に前記第２トランジスタ素子を導通状態とする所定の電圧を印加することを特徴とする請求項１６に記載の表示装置。
【請求項１８】
前記電圧供給線が独立した配線である場合において、
１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態とし、
前記制御線駆動回路が、前記選択行の前記第２制御線に前記第３トランジスタ素子を導通状態とする所定の選択用電圧を印加し、前記第１制御線に前記第２トランジスタ素子を前記内部ノードの電圧状態にかかわらず導通状態とする所定の電圧を印加し、前記電圧供給線に前記第１トランジスタ素子を非導通状態とする所定の電圧を印加して、前記第２スイッチ回路を非導通状態とし、
前記データ信号線駆動回路が、前記データ信号線のそれぞれに、前記選択行の各列の前記画素回路に書き込む画素データに対応するデータ電圧を各別に印加することを特徴とする請求項１１に記載の表示装置。
【請求項１９】
複数の前記画素回路に対して、前記第２スイッチ回路と前記制御回路を作動させて前記内部ノードの電圧変動を同時に補償するセルフリフレッシュ動作時に、
前記走査信号線駆動回路が、前記画素回路アレイ内の全部の前記画素回路に接続する前記走査信号線に所定の電圧を印加して前記第４トランジスタ素子を非導通状態とし、
前記制御線駆動回路が、
前記第１制御線に、前記内部ノードが保持する２値の画素データの電圧状態が第１電圧状態の場合には前記第２トランジスタ素子によって前記第１容量素子の一端から前記内部ノードに向けての電流が遮断され、第２電圧状態の場合には前記第２トランジスタ素子を導通状態とする所定の電圧を印加し、
前記第２制御線に、前記第３トランジスタ素子を導通状態とする所定の電圧を印加し、
前記第１容量素子の他端に接続する前記第２制御線又は前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記電圧変化が抑制されずに前記第１トランジスタ素子を導通状態とする一方、前記内部ノードの電圧が前記第２電圧状態の場合には前記電圧変化が抑制されて前記第１トランジスタ素子を非導通状態とし、
前記セルフリフレッシュ動作の対象である複数の前記画素回路に接続する全部の前記電圧供給線に、前記第１電圧状態の前記画素データの電圧を供給することを特徴とする請求項８に記載の表示装置。
【請求項２０】
前記セルフリフレッシュ動作終了直後に待機状態に移行して、
前記制御線駆動回路が、前記第２制御線に、前記第３トランジスタ素子を非導通状態にする所定の電圧を印加すると共に、前記電圧パルスの印加を終了することを特徴とする請求項１９に記載の表示装置。
【請求項２１】
前記待機状態において、
前記制御線駆動回路が、前記データ信号線に前記第２電圧状態の電圧を印加することを特徴とする請求項２０に記載の表示装置。
【請求項２２】
前記セルフリフレッシュ動作を、前記セルフリフレッシュ動作期間より１０倍以上長い前記待機状態を介して繰り返すことを特徴とする請求項２０に記載の表示装置。
【請求項２３】
前記第１スイッチ回路が、前記第４トランジスタ素子以外のスイッチ素子を含まない構成である場合において、
前記セルフリフレッシュ動作対象の複数の前記画素回路を１又は複数の列単位に区分し、
少なくとも前記第２制御線、並びに前記第１容量素子の他端に接続する前記第２制御線若しくは前記第３制御線を、前記区分毎に駆動可能に設け、
前記制御線駆動回路が、前記セルフリフレッシュ動作の対象でない区分に対し、前記第２制御線に前記第３トランジスタ素子を非導通状態とする所定の電圧を印加するか、或いは前記第１容量素子の他端に接続する前記第２制御線又は前記第３制御線に前記電圧パルスを印加せず、
前記セルフリフレッシュ動作対象の前記区分を順次切り替えて、前記セルフリフレッシュ動作を前記区分毎に分割して実行することを特徴とする請求項１９項に記載の表示装置。
【請求項２４】
前記画素回路は、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１容量素子の他端に接続する前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、その後に、前記第１容量素子の他端に接続する前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項２５】
前記第１制御線が、前記電圧供給線として兼用される場合において、
前記初期状態設定動作後に、前記制御線駆動回路が、前記第１制御線に、前記内部ノードの電圧状態に関係なく、前記第２トランジスタ素子を非導通状態とする前記所定の電圧として、前記第２電圧状態の電圧を印加することを特徴とする請求項２４に記載の表示装置。
【請求項２６】
前記画素回路は、一端が前記内部ノードに接続し、他端が第４制御線に接続する第２容量素子を備えており、
前記第４制御線が前記電圧供給線として兼用される場合において、
前記制御線駆動回路が、前記セルフ極性反転動作の期間中、前記第２電圧状態の電圧を前記第４制御線に印加し続けることを特徴とする請求項２４に記載の表示装置。
【請求項２７】
前記画素回路は、前記電圧供給線が前記第１〜第３制御線と兼用されることなく独立した配線であり、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第３制御線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とすると共に、前記第３トランジスタ素子を導通状態とし
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項２８】
前記画素回路は、前記電圧供給線が前記第１〜第２制御線と兼用されることなく独立した配線であり、前記第１スイッチ回路が前記第４トランジスタ素子以外のスイッチ素子を含まず、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第２制御線及び前記電圧供給線に所定の初期電圧を印加し、
前記初期状態設定動作後に、
前記制御線駆動回路が、
前記第２制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項２９】
前記画素回路は、前記電圧供給線が前記第１〜第３制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第１容量素子の他端に接続する前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了後までの所定期間中、前記第２制御線に前記第３トランジスタ素子を導通状態とする所定の電圧を印加し、その後に、前記第１容量素子の他端に接続する前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項３０】
前記画素回路は、前記電圧供給線が前記第１〜第３制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線及び前記第３制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項３１】
前記画素回路は、前記電圧供給線が前記第１〜第２制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記初期状態設定動作後に、
前記制御線駆動回路が、
前記第１容量素子の他端に接続する前記第２制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項３２】
前記画素回路は、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、前記第１容量素子の一端の電圧値の差によって、前記第１トランジスタ素子の第１又は第２端子の電圧を前記第２電圧状態とした場合に、前記内部ノードが前記第１電圧状態の場合に前記第１トランジスタ素子が導通状態となり、前記内部ノードが前記第２電圧状態の場合に前記第１トランジスタ素子が非導通状態となる所定の電圧を印加し、
前記第２制御線に前記第３トランジスタ素子を非導通状態とする所定の電圧を印加するか、或いは、前記電圧供給線が独立した配線である場合において、前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードが前記第１電圧状態または前記第２電圧状態のいずれであっても、前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項３３】
前記画素回路は、前記電圧供給線が前記第１〜第３制御線と兼用されることなく独立した配線であり、前記第１容量素子の他端が前記第３制御線に接続し、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了した所定期間経過後までの間、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項８に記載の表示装置。
【請求項３４】
前記画素回路は、一端を前記内部ノードに接続し、他端を固定電圧線に接続する第２容量素子を備えている場合において、
前記走査信号線駆動回路が前記電圧パルスの印加を終了した後、前記電圧パルスの印加終了時に生じる前記内部ノードの電圧変動を、前記固定電圧線の電圧を調整することにより、補償することを特徴とする請求項２４〜３３のいずれか１項に記載の表示装置。
【発明の詳細な説明】
【技術分野】
【０００１】
本発明は、画素回路及びこれを備えた表示装置に関し、特にアクティブマトリクス型の表示装置に関する。
【背景技術】
【０００２】
携帯電話や携帯型ゲーム機等の携帯用端末は、その表示手段として液晶表示装置を用いるのが一般的である。また、携帯電話等は、バッテリで駆動されることから、消費電力の低減が強く要請される。このため、時刻や電池残量といった常時表示を必要とする情報については、反射型サブパネルに表示している。また、最近では、同一メインパネルにて、フルカラー表示による通常表示と反射型での常時表示との両立が要求されるようになってきている。【０００３】
図４９に、一般的なアクティブマトリクス型の液晶表示装置の画素回路の等価回路を示す。また、図５０に、ｍ×ｎ画素のアクティブマトリクス型の液晶表示装置の回路配置例を示す。なお、ｍ，ｎはいずれも２以上の整数である。【０００４】
図５０に示すように、ｍ本のソース線ＳＬ１，ＳＬ２，……，ＳＬｍと、ｎ本の走査線ＧＬ１，ＧＬ２，……，ＧＬｎの各交点に、薄膜トランジスタ（ＴＦＴ）からなるスイッチ素子を設ける。図４９では、各ソース線ＳＬ１，ＳＬ２，……，ＳＬｍを、ソース線ＳＬで代表し、同様に、各走査線ＧＬ１，ＧＬ２，……，ＧＬｎを代表してＧＬと符号を付している。【０００５】
図４９に示すように、ＴＦＴを介して液晶容量素子Ｃｌｃと補助容量素子Ｃｓが並列に接続されている。液晶容量素子Ｃｌｃは画素電極２０と対向電極８０の間に液晶層を設けた積層構造で構成される。対向電極は共通（コモン）電極とも呼ばれる。【０００６】
なお、図５０では、各画素回路については、簡略的にＴＦＴと画素電極（黒色の矩形部分）だけを表示している。【０００７】
補助容量素子Ｃｓは、一端（一方の電極）が画素電極２０に、他端（他方の電極）が補助容量線ＣＳＬに接続しており、画素電極２０に保持される画素データの電圧を安定化する。補助容量素子Ｃｓは、ＴＦＴにおいてリーク電流が発生すること、液晶分子の有する誘電率異方性により黒表示と白表示で液晶容量素子Ｃｌｃの電気容量が変動すること、及び、画素電極と周辺配線間の寄生容量を介して電圧変動が生じること、等に起因して、画素電極に保持する画素データの電圧が変動するのを抑制する効果がある。走査線の電圧を順次制御することで、１本の走査線に接続するＴＦＴが導通状態となり、走査線単位で各ソース線に供給される画素データの電圧が対応する画素電極に書き込まれる。【０００８】
フルカラー表示による通常表示では、表示内容が静止画の場合でも、１フレーム毎に、同じ画素に同じ表示内容が繰り返し書き込まれる。このように、画素電極に保持する画素データの電圧が更新されることで、画素データの電圧変動が最小限に抑制され、高品質な静止画の表示が担保される。【０００９】
液晶表示装置を駆動するための消費電力は、ソースドライバによるソース線駆動のための消費電力にほぼ支配され、概ね、以下の数１に示す関係式によって表される。なお、数１において、Ｐは消費電力，ｆはリフレッシュレート（単位時間当たりの１フレーム分のリフレッシュ動作回数），Ｃはソースドライバによって駆動される負荷容量，Ｖはソースドライバの駆動電圧，ｎは走査線数，ｍはソース線数をそれぞれ示す。ここで、リフレッシュ動作とは、表示内容を保持しながらソース線を介して画素電極に対して電圧を印加する動作を指す。【００１０】
（数１）
Ｐ∝ｆ・Ｃ・Ｖ２・ｎ・ｍ【００１１】
ところで、常時表示の場合は、表示内容が静止画であることから、必ずしも画素データの電圧を１フレーム毎に更新する必要はない。このため、液晶表示装置の消費電力を更に低減するために、この常時表示時のリフレッシュ周波数を下げることが行われている。しかし、リフレッシュ周波数を下げると、ＴＦＴのリーク電流により、画素電極に保持されている画素データ電圧が変動する。当該電圧変動が、各画素の表示輝度（液晶の透過率）の変動となり、フリッカとして観測されるようになる。また、各フレーム期間における平均電位も低下するので、十分なコントラストを得られない等の表示品位の低下を招くおそれもある。【００１２】
ここで、電池残量や時刻表示等の静止画の常時表示において、リフレッシュ周波数の低下により表示品質が低下する問題の解決と低消費電力化とを同時に実現する方法として、例えば、下記特許文献１に記載の構成が開示されている。特許文献１に開示の構成では、透過型と反射型の両機能による液晶表示が可能であり、更に、反射型による液晶表示が可能な画素領域内の画素回路にはメモリ部を有している。このメモリ部は、反射型液晶の表示部において表示すべき情報を電圧信号として保持している。反射型による液晶表示時には、画素回路がメモリ部内に保持された電圧を読み出すことで、当該電圧に応じた情報を表示する。【００１３】
特許文献１では、上記メモリ部がＳＲＡＭで構成されており、上記電圧信号が静的に保持されるため、リフレッシュ動作が不要となり、表示品質の維持と低消費電力化が同時に実現できる。
【先行技術文献】
【特許文献】
【００１４】
【特許文献１】特開２００７−３３４２２４号公報
【発明の概要】
【発明が解決しようとする課題】
【００１５】
しかし、携帯電話等で使用される液晶表示装置において、上記のような構成を採用した場合には、通常動作時にアナログ情報としての各画素データの電圧を保持するための補助容量素子に加えて、画素データを記憶するためのメモリ部を画素毎或いは画素群毎に備える必要がある。これにより、液晶表示装置における表示部を構成するアレイ基板（アクティブマトリクス基板）に形成すべき素子数や信号線数が増えるため、透過モードでの開口率が低下する。また、液晶を交流駆動するための極性反転駆動回路を上記メモリ部と共に設ける場合には、更に開口率の低下を招く。このように素子数や信号線数の増加によって開口率が低下すると通常表示モードでの表示画像の輝度が低下する。【００１６】
液晶表示装置では、常時表示による静止画の表示において、画素電極における電圧変動の問題に加えて、画素電極と対向電極間に同一極性の電圧を印加し続けると、液晶層中に含まれる微量のイオン性不純物が画素電極と対向電極のいずれか一方側に集まり、これによって表示画面全体に焼き付きが発生するという問題が生じる。このため、上記リフレッシュ動作に加えて、画素電極と対向電極間に印加する電圧の極性を反転させる極性反転動作が必要となる。【００１７】
通常表示及び常時表示のいずれの場合も、静止画の表示において、当該極性反転動作では、１フレーム分の画素データをフレームメモリに記憶しておき、当該画素データに応じた電圧を、対向電極を基準とした極性を都度反転させながら繰り返し書き込む動作を行う。このため、上述のように、外部から走査線とソース線を駆動し、走査線単位で各ソース線に供給される画素データの電圧を各画素電極に書き込む動作が必要となる。【００１８】
従って、低消費電力動作が要求される常時表示において、外部から走査線とソース線を駆動して極性反転動作を行うと、画素電極の電圧振幅が上述のリフレッシュ動作に比べて大きいため、更に大きな電力消費を伴うことになる。【００１９】
本発明は、上記の問題点に鑑みてなされたもので、その目的は、開口率の低下を招くことなく低消費電力で液晶の劣化及び表示品質の低下を防止できる画素回路及び表示装置を提供する点にある。
【課題を解決するための手段】
【００２０】
上記の目的を達成すべく、本発明に係る画素回路は、以下のような構成とする点に特徴がある。【００２１】
まず、本発明に係る画素回路は、
単位表示素子を含む表示素子部と、
前記表示素子部の一部を構成し、前記表示素子部に印加される画素データの電圧を保持する内部ノードと、
少なくとも所定のスイッチ素子を経由して、データ信号線から供給される前記画素データの電圧を前記内部ノードに転送する第１スイッチ回路と、
前記データ信号線から供給される電圧を、前記所定のスイッチ素子を経由せずに前記内部ノードに転送する第２スイッチ回路と、
前記内部ノードが保持する前記画素データの電圧に応じた所定の電圧を第１容量素子の一端に保持すると共に、前記第２スイッチ回路の導通非導通を制御する制御回路と、を備えている。【００２２】
この画素回路は、第１端子、第２端子、並びに、前記第１及び第２端子間の導通を制御する制御端子を有する第１〜第３トランジスタ素子を備えており、これらのうち、第１及び第３トランジスタ素子を第２スイッチ回路内に、第２トランジスタ素子を制御回路内にそれぞれ備えている。第２スイッチ回路は、第１トランジスタ素子と第３トランジスタ素子の直列回路で構成されており、制御回路は、第２トランジスタ素子と第１容量素子の直列回路で構成されている。【００２３】
第１スイッチ回路は、一端をデータ信号線に接続し、第２スイッチ回路は、一端を電圧供給線に接続する。これらの両スイッチ回路は、各他端をいずれも内部ノードに接続する。この内部ノードには、第２トランジスタ素子の第１端子も接続している。【００２４】
第１トランジスタ素子の制御端子、第２トランジスタ素子の第２端子、第１容量素子の一端が相互に接続してノード（出力ノード）を形成している。また、第２トランジスタ素子の制御端子が第１制御線に接続し、第３トランジスタ素子の制御端子が第２制御線に接続している。更に、第１容量素子の他端、前記ノードを形成しない側の端子が、第２制御線又は第３制御線に接続している。【００２５】
電圧供給線は、独立した信号線とすることもできるし、第１制御線によって兼ねることもできる。【００２６】
この構成に加え、一端が前記内部ノードに接続し、他端が第４制御線又は所定の固定電圧線に接続する第２容量素子を更に備えるものとしても良い。このとき、第４制御線が電圧供給線を兼ねることもできる。【００２７】
また、前記所定のスイッチ素子は、第１端子、第２端子、並びに前記第１及び第２端子間の導通を制御する制御端子を有する第４トランジスタ素子で構成され、
前記第４トランジスタ素子は、第１端子が前記内部ノードに、第２端子が前記データ信号線又は前記第３トランジスタ素子の第１端子に、制御端子が走査信号線にそれぞれ接続する構成とするのも好適である。【００２８】
また、前記第１スイッチ回路が、前記所定のスイッチ素子以外のスイッチ素子を含まない構成とするのも好適である。【００２９】
また、前記第１スイッチ回路が、前記第２スイッチ回路内の前記第３トランジスタ素子と前記所定のスイッチ素子との直列回路、又は前記第２スイッチ回路内の前記第３トランジスタ素子の制御端子に制御端子が接続する第５トランジスタと前記所定のスイッチ素子との直列回路で構成されるのも好適である。【００３０】
更に、本発明に係る表示装置は、上記の特徴を有する画素回路を行方向及び列方向にそれぞれ複数配置して画素回路アレイを構成し、
前記列毎に前記データ信号線を１本ずつ備えており、
同一列に配置される前記画素回路は、前記第１スイッチ回路の一端が共通の前記データ信号線に接続し、
同一行又は同一列に配置される前記画素回路は、前記第２トランジスタ素子の制御端子が共通の前記第１制御線に接続し、
同一行又は同一列に配置される前記画素回路は、前記第３トランジスタ素子の制御端子が共通の前記第２制御線に接続し、
同一行又は同一列に配置される前記画素回路は、前記第１容量素子の前記他端が共通の前記第２制御線又は前記第３制御線に接続する構成であって、
前記データ信号線を各別に駆動するデータ信号線駆動回路、並びに前記第１及び第２制御線を各別に駆動する制御線駆動回路を備え、
前記第１制御線が前記電圧供給線として兼用される場合、又は前記電圧供給線が独立した配線である場合は、前記制御線駆動回路が前記電圧供給線を駆動し、
前記第１容量素子の他端が前記第３制御線に接続する場合は、前記制御線駆動回路が前記第３制御線を駆動することを特徴とする。【００３１】
また、画素回路において、一端が前記内部ノードに接続し、他端が第４制御線に接続する第２容量素子を更に備える場合、この第４制御線についても前記制御線駆動回路が駆動するものとして良い。【００３２】
上記構成に加え、前記電圧供給線が独立した配線である場合において、
同一行又は同一列に配置される前記画素回路は、前記第２スイッチ回路の一端が共通の前記電圧供給線と接続する構成とするのも好適である。【００３３】
ここで、前記所定のスイッチ素子が、第１端子、第２端子、並びに前記第１及び第２端子間の導通を制御する制御端子を有する第４トランジスタ素子で構成され、
前記第４トランジスタ素子の制御端子が走査信号線にそれぞれ接続する構成とするのが好適である。【００３４】
前記第１スイッチ回路は、前記所定のスイッチ素子以外のスイッチ素子を含まない構成としても良いし、前記第２スイッチ回路内の前記第３トランジスタ素子と前記所定のスイッチ素子との直列回路、又は前記第２スイッチ回路内の前記第３トランジスタ素子の制御端子に制御端子が接続する第５トランジスタと前記所定のスイッチ素子との直列回路で構成されるものとしても良い。【００３５】
本発明の表示装置は、上記の特徴を有した画素回路を行方向及び列方向にそれぞれ複数配置して画素回路アレイを構成し、
前記列毎に前記データ信号線を１本ずつ備えており、
同一列に配置される前記画素回路は、前記第１スイッチ回路の一端が共通の前記データ信号線に接続し、
同一行又は同一列に配置される前記画素回路は、前記第２トランジスタ素子の制御端子が共通の前記第１制御線に接続し、
同一行又は同一列に配置される前記画素回路は、前記第３トランジスタ素子の制御端子が共通の前記第２制御線に接続し、
同一行又は同一列に配置される前記画素回路は、前記第１容量素子の前記他端が共通の前記第２制御線又は前記第３制御線に接続する構成であって、
前記データ信号線を各別に駆動するデータ信号線駆動回路、並びに前記第１及び第２制御線を各別に駆動する制御線駆動回路を備え、
前記第１制御線が前記電圧供給線として兼用される場合、又は前記電圧供給線が独立した配線である場合は、前記制御線駆動回路が前記電圧供給線を駆動し、
前記第１容量素子の他端が前記第３制御線に接続する場合は、前記制御線駆動回路が前記第３制御線を駆動することを特徴とする。【００３６】
このとき、前記電圧供給線が独立した配線である場合、同一行又は同一列に配置される前記画素回路は、前記第２スイッチ回路の一端が共通の前記電圧供給線に接続するものとして良い。【００３７】
また、上記の特徴に加えて、前記第１スイッチ回路が、前記所定のスイッチ素子以外のスイッチ素子を含まない構成であると共に、前記所定のスイッチ素子は、第１端子、第２端子、並びに前記第１及び第２端子間の導通を制御する制御端子を有する第４トランジスタ素子であって、前記第１端子が前記内部ノードに、第２端子が前記データ信号線に、制御端子が走査信号線にそれぞれ接続する構成である場合、
前記行毎に前記走査信号線を１本ずつ備えると共に、同一行に配置される前記画素回路が共通の前記走査信号線に接続し、前記走査信号線を各別に駆動する走査信号線駆動回路を備える構成とするのが好適である。【００３８】
一方、前記所定のスイッチ素子が、第１端子、第２端子、及び前記両端子間の導通を制御する制御端子を有する第４トランジスタ素子で構成されると共に、前記第１スイッチ回路が、前記第２スイッチ回路内の前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成される場合、
前記行毎に走査信号線と前記第２制御線をそれぞれ１本ずつ備えており、
前記第４トランジスタ素子の制御端子が走査信号線に接続し、
同一行に配置される前記画素回路が、共通の前記走査信号線及び共通の前記第２制御線にそれぞれ接続し、
前記走査信号線を各別に駆動する走査信号線駆動回路を備える構成とするのが好適である。【００３９】
また、本発明の表示装置は、１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態にし、
前記データ信号線駆動回路が、前記データ信号線のそれぞれに対して、前記選択行の各列の前記画素回路に書き込む画素データに対応するデータ電圧を各別に印加することを特徴とする。【００４０】
この書き込み動作時に、前記制御線駆動回路は、前記第２制御線に前記第３トランジスタ素子を非導通状態とする所定の電圧を印加するのも好適である。【００４１】
また、この書き込み動作時に、前記制御線駆動回路は、前記第１制御線に前記第２トランジスタ素子を導通状態とする所定の電圧を印加するのも好適である。【００４２】
また、この書き込み動作時に、
前記制御線駆動回路が、前記第１制御線に前記第２トランジスタ素子を前記内部ノードの電圧状態にかかわらず導通状態とする所定の電圧を印加すると共に、前記電圧供給線に前記第１トランジスタ素子を非導通状態とする所定の電圧を印加して、前記第２スイッチ回路を非導通状態とするのも好適である。【００４３】
また、本発明の表示装置は、
前記第１スイッチ回路が、前記第２スイッチ回路内の前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成される場合、
１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態にし、
前記制御線駆動回路が、前記選択行の前記第２制御線に前記第３トランジスタ素子を導通状態にする所定の選択用電圧を印加すると共に、前記非選択行の前記第２制御線に前記第３トランジスタ素子を非導通状態にする所定の非選択用電圧を印加し、
前記データ信号線駆動回路が、前記データ信号線のそれぞれに、前記選択行の各列の前記画素回路に書き込む画素データに対応するデータ電圧を各別に印加することを特徴とする。【００４４】
また、この書き込み動作時に、前記制御線駆動回路は、前記第１制御線に前記第２トランジスタ素子を導通状態とする所定の電圧を印加するのも好適である。【００４５】
また、本発明の表示装置は、
前記電圧供給線が独立した配線である場合において、
１つの選択行に配置された前記画素回路に対して各別に前記画素データを書き込む書き込み動作時に、
前記走査信号線駆動回路が、前記選択行の前記走査信号線に所定の選択行電圧を印加して、前記選択行に配置された前記第４トランジスタ素子を導通状態にすると共に、非選択行の前記走査信号線に所定の非選択行電圧を印加して、前記非選択行に配置された前記第４トランジスタ素子を非導通状態とし、
前記制御線駆動回路が、前記選択行の前記第２制御線に前記第３トランジスタ素子を導通状態とする所定の選択用電圧を印加し、前記第１制御線に前記第２トランジスタ素子を前記内部ノードの電圧状態にかかわらず導通状態とする所定の電圧を印加し、前記電圧供給線に前記第１トランジスタ素子を非導通状態とする所定の電圧を印加して、前記第２スイッチ回路を非導通状態とし、
前記データ信号線駆動回路が、前記データ信号線のそれぞれに、前記選択行の各列の前記画素回路に書き込む画素データに対応するデータ電圧を各別に印加することを特徴とする。【００４６】
この書き込み動作時に、前記制御線駆動回路は、前記第１制御線に前記第２トランジスタ素子を導通状態とする所定の電圧を印加するのが好適である。【００４７】
更に、本発明の表示装置は、
複数の前記画素回路に対して、前記第２スイッチ回路と前記制御回路を作動させて前記内部ノードの電圧変動を同時に補償するセルフリフレッシュ動作時に、
前記走査信号線駆動回路が、前記画素回路アレイ内の全部の前記画素回路に接続する前記走査信号線に所定の電圧を印加して前記第４トランジスタ素子を非導通状態とし、
前記制御線駆動回路が、
前記第１制御線に、前記内部ノードが保持する２値の画素データの電圧状態が第１電圧状態の場合には前記第２トランジスタ素子によって前記第１容量素子の一端から前記内部ノードに向けての電流が遮断され、第２電圧状態の場合には前記第２トランジスタ素子を導通状態とする所定の電圧を印加し、
前記第２制御線に、前記第３トランジスタ素子を導通状態とする所定の電圧を印加し、
前記第１容量素子の他端に接続する前記第２制御線又は前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記電圧変化が抑制されずに前記第１トランジスタ素子を導通状態とする一方、前記内部ノードの電圧が前記第２電圧状態の場合には前記電圧変化が抑制されて前記第１トランジスタ素子を非導通状態とし、
前記セルフリフレッシュ動作の対象である複数の前記画素回路に接続する全部の前記電圧供給線に、前記第１電圧状態の前記画素データの電圧を供給することを特徴とする。【００４８】
上記の構成において、セルフリフレッシュ動作終了直後に待機状態に移行して、
前記制御線駆動回路が、前記第２制御線に、前記第３トランジスタ素子を非導通状態にする所定の電圧を印加すると共に、前記電圧パルスの印加を終了するものとするのも好適である。【００４９】
このとき、前記セルフリフレッシュ動作を、前記セルフリフレッシュ動作期間より１０倍以上長い前記待機状態を介して繰り返すものとするのが好適である。【００５０】
また、前記待機状態において、
前記制御線駆動回路が、前記データ信号線に固定電圧を印加する構成とするのが好適である。このとき、前記固定電圧として、前記第２電圧状態の電圧を印加するものとすることができる。【００５１】
また、画素回路を構成する前記第１スイッチ回路が、前記第４トランジスタ素子以外のスイッチ素子を含まない構成である場合において、
前記セルフリフレッシュ動作対象の複数の前記画素回路を１又は複数の列単位に区分し、
少なくとも前記第２制御線、並びに前記第１容量素子の他端に接続する前記第２制御線若しくは前記第３制御線を、前記区分毎に駆動可能に設け、
前記制御線駆動回路が、前記セルフリフレッシュ動作の対象でない区分に対し、前記第２制御線に、前記第３トランジスタ素子を非導通状態とする所定の電圧を印加するするか、或いは、前記第１容量素子の他端に接続する前記第２制御線又は前記第３制御線に前記電圧パルスを印加せずに、
前記セルフリフレッシュ動作対象の前記区分を順次切り替えて、前記セルフリフレッシュ動作を前記区分毎に分割して実行するものとしても構わない。【００５２】
更に、本発明の表示装置は、
前記画素回路が、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線が独立した配線である場合において、前記電圧供給線に前記第１トランジスタ素子を非導通状態とする所定の電圧を印加して、前記第２スイッチ回路を非導通状態とし、
前記第１容量素子の他端に接続する前記第２制御線又は前記第３制御線に所定の初期電圧を印加し、
前記初期状態設定動作後に、
前記制御線駆動回路が、
前記第１容量素子の他端に接続する前記第２制御線又は前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、その後に、前記第１容量素子の他端に接続する前記第２制御線又は前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする。【００５３】
このとき、前記第１制御線が、前記電圧供給線として兼用される場合には、
前記初期状態設定動作後に、前記制御線駆動回路が、前記第１制御線に、前記内部ノードの電圧状態に関係なく、前記第２トランジスタ素子を非導通状態とする前記所定の電圧として、前記第２電圧状態の電圧を印加するものとしても構わない。【００５４】
更に、前記画素回路が、一端が前記内部ノードに接続し、他端が第４制御線に接続する第２容量素子を備えている場合において、前記第４制御線が前記電圧供給線として兼用される場合、
前記制御線駆動回路が、前記セルフ極性反転動作の期間中、前記第２電圧状態の電圧を前記第４制御線に印加し続けるものとしても構わない。【００５５】
また、本発明の表示装置は、
前記画素回路は、前記電圧供給線が独立した配線であり、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第３制御線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とすると共に、前記第３トランジスタ素子を導通状態とし
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００５６】
また、本発明の表示装置は、
前記画素回路は、前記電圧供給線が独立した配線であり、前記第１スイッチ回路が前記第４トランジスタ素子以外のスイッチ素子を含まず、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第２制御線に所定の初期電圧を印加し、
前記初期状態設定動作後に、
前記制御線駆動回路が、
前記第２制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００５７】
また、本発明の表示装置は、
前記画素回路は、前記電圧供給線が独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第１容量素子の他端に接続する前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了後までの所定期間中、前記第２制御線に前記第３トランジスタ素子を導通状態とする所定の電圧を印加し、その後に、前記第１容量素子の他端に接続する前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００５８】
また、本発明の表示装置は、
前記画素回路は、前記電圧供給線が独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線及び前記第３制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００５９】
また、本発明の表示装置は、
前記画素回路は、前記電圧供給線が独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記初期状態設定動作後に、
前記制御線駆動回路が、
前記第１容量素子の他端に接続する前記第２制御線又は前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００６０】
また、本発明の表示装置は、
前記画素回路は、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、前記第１容量素子の一端の電圧値の差によって、前記第１トランジスタ素子の第１又は第２端子の電圧を前記第２電圧状態とした場合に、前記内部ノードが前記第１電圧状態の場合に前記第１トランジスタ素子が導通状態となり、前記内部ノードが前記第２電圧状態の場合に前記第１トランジスタ素子が非導通状態となる所定の電圧を印加し、
前記第２制御線に前記第３トランジスタ素子を非導通状態とする所定の電圧を印加するか、或いは、前記電圧供給線が独立した配線である場合において、前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードが前記第１電圧状態または前記第２電圧状態のいずれであっても、前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００６１】
また、本発明の表示装置は、
前記画素回路は、前記電圧供給線が独立した配線であり、前記第１容量素子の他端が前記第３制御線に接続し、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了した所定期間経過後までの間、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを別の特徴とする。【００６２】
また、本発明の表示装置は、
前記画素回路が、一端を前記内部ノードに接続し、他端を固定電圧線に接続する第２容量素子を備えている場合において、
前記走査信号線駆動回路が前記電圧パルスの印加を終了した後、前記電圧パルスの印加終了時に生じる前記内部ノードの電圧変動を、前記固定電圧線の電圧を調整することにより、補償することを別の特徴とする。
【発明の効果】
【００６３】
本発明の構成により、通常の書き込み動作の他、書き込み動作によることなく表示素子部両端間の電圧の絶対値を直前の書き込み動作時の値に復帰させる動作（セルフリフレッシュ動作）を実行することができる。また、画素回路の構成によっては、液晶表示装置のように、極性反転動作を必要とする表示装置において、書き込み動作によることなく表示素子部両端間の電圧の極性を反転させる動作を実行することができる（セルフ極性反転動作）。【００６４】
画素回路が複数配列されている場合において、通常の書き込み動作は、一般的に行毎に実行される。このため、配列された画素回路の行数分、ドライバ回路を駆動させる必要がある。【００６５】
本発明の画素回路によれば、セルフリフレッシュ動作を行うことで、データ信号線に対して一定電圧を印加したままリフレッシュ動作を実行することができるため、通常の書込と同様の走査方法によってリフレッシュ動作を実行しても、リフレッシュ動作の開始から終了までに必要なドライバ回路の駆動回数を大きく削減することができ、低消費電力を実現できる。更には対象画素を一括してリフレッシュすることも可能であり、このようにすることでリフレッシュに要する時間の短縮化が図れると共に、消費電力を大きく削減することができる。【００６６】
そして、画素回路内にＳＲＡＭ等のメモリ部を別途備える必要がないため、従来技術のように開口率を大きく低下させるということがない。【００６７】
更に、本発明の画素回路によれば、セルフ極性反転動作を行うことで、最大で配置された複数の画素全てに対して同時に極性反転動作を実行することができる。通常の書き込み動作によって極性反転を行う場合と比較して、極性反転動作の開始から終了までに必要なドライバ回路の駆動回数を大きく削減することができ、低消費電力を実現できる。【００６８】
そして、本発明の画素回路並びに表示装置によれば、上記のセルフリフレッシュ動作、セルフ極性反転動作を適宜組み合わせることができ、これによって、画像表示時における消費電力の低下効果を更に高めることができる。
【図面の簡単な説明】
【００６９】
【図１】本発明の表示装置の概略構成の一例を示すブロック図
【図２】液晶表示装置の一部断面概略構造図
【図３】本発明の表示装置の概略構成の一例を示すブロック図
【図４】本発明の表示装置の概略構成の一例を示すブロック図
【図５】本発明の表示装置の概略構成の一例を示すブロック図
【図６】本発明の画素回路の基本回路構成を示す回路図
【図７】本発明の画素回路の他の基本回路構成を示す回路図
【図８】本発明の画素回路のうち、グループＸに属する第１類型の回路構成例を示す回路図
【図９】本発明の画素回路のうち、グループＸに属する第１類型の別の回路構成例を示す回路図
【図１０】本発明の画素回路のうち、グループＸに属する第１類型の別の回路構成例を示す回路図
【図１１】本発明の画素回路のうち、グループＸに属する第２類型の回路構成例を示す回路図
【図１２】本発明の画素回路のうち、グループＸに属する第３類型の回路構成例を示す回路図
【図１３】本発明の画素回路のうち、グループＸに属する第４類型の回路構成例を示す回路図
【図１４】本発明の画素回路のうち、グループＸに属する第４類型の別の回路構成例を示す回路図
【図１５】本発明の画素回路のうち、グループＸに属する第４類型の別の回路構成例を示す回路図
【図１６】本発明の画素回路のうち、グループＸに属する第５類型の回路構成例を示す回路図
【図１７】本発明の画素回路のうち、グループＸに属する第６類型の回路構成例を示す回路図
【図１８】本発明の画素回路のうち、グループＹに属する第１類型の回路構成例を示す回路図
【図１９】本発明の画素回路のうち、グループＹに属する第２類型の回路構成例を示す回路図
【図２０】本発明の画素回路のうち、グループＹに属する第３類型の回路構成例を示す回路図
【図２１】本発明の画素回路のうち、グループＹに属する第４類型の回路構成例を示す回路図
【図２２】本発明の画素回路のうち、グループＹに属する第５類型の回路構成例を示す回路図
【図２３】本発明の画素回路のうち、グループＹに属する第６類型の回路構成例を示す回路図
【図２４】グループＸの第１類型の画素回路によるセルフリフレッシュ動作のタイミング図
【図２５】グループＸの第２類型の画素回路によるセルフリフレッシュ動作のタイミング図
【図２６】グループＸの第３類型の画素回路によるセルフリフレッシュ動作のタイミング図
【図２７】グループＹの第１，第４類型の画素回路によるセルフリフレッシュ動作のタイミング図
【図２８】グループＹの第２，第５類型の画素回路によるセルフリフレッシュ動作のタイミング図
【図２９】グループＹの第３，第６類型の画素回路によるセルフリフレッシュ動作のタイミング図
【図３０】グループＸの第１類型の画素回路によるセルフ極性反転動作のタイミング図
【図３１】グループＸの第２類型の画素回路によるセルフ極性反転動作のタイミング図
【図３２】グループＸの第３類型の画素回路によるセルフ極性反転動作のタイミング図
【図３３】グループＸの第６類型の画素回路によるセルフ極性反転動作のタイミング図
【図３４】グループＹの第３類型の画素回路によるセルフ極性反転動作のタイミング図
【図３５】グループＸの第１類型の画素回路によるセルフ極性反転動作の別のタイミング図
【図３６】グループＸの第２類型の画素回路によるセルフ極性反転動作の別のタイミング図
【図３７】グループＸの第３類型の画素回路によるセルフ極性反転動作の別のタイミング図
【図３８】グループＸの第３類型の画素回路によるセルフ極性反転動作の更に別のタイミング図
【図３９】グループＸの第６類型の画素回路によるセルフ極性反転動作の別のタイミング図
【図４０】グループＹの第３類型の画素回路によるセルフ極性反転動作の別のタイミング図
【図４１】グループＸの第１類型の画素回路による常時表示モード時の書き込み動作のタイミング図
【図４２】グループＸの第４類型の画素回路による常時表示モード時の書き込み動作のタイミング図
【図４３】常時表示モードにおける書き込み動作とセルフリフレッシュ動作の実行手順を示すフローチャート
【図４４】常時表示モードにおける書き込み動作とセルフ極性反転動作の実行手順を示すフローチャート
【図４５】常時表示モードにおける書き込み動作、セルフリフレッシュ動作、及びセルフ極性反転動作を組み合わせて実行する場合の手順を示すフローチャート
【図４６】第１類型の画素回路による通常表示モード時の書き込み動作のタイミング図
【図４７】本発明の画素回路の更に別の基本回路構成を示す回路図
【図４８】本発明の画素回路の更に別の基本回路構成を示す回路図
【図４９】一般的なアクティブマトリックス型の液晶表示装置の画素回路の等価回路図
【図５０】ｍ×ｎ画素のアクティブマトリックス型の液晶表示装置の回路配置例を示すブロック図
【発明を実施するための形態】
【００７０】
本発明の画素回路及び表示装置の各実施形態につき、以下において図面を参照して説明する。なお、図４９及び図５０と同一の構成要素については、同一の符号を付している。
【００７１】
［第１実施形態］
第１実施形態では、本発明の表示装置（以下、単に「表示装置」という）と本発明の画素回路（以下、単に「画素回路」という）の構成について説明する。
【００７２】
《表示装置》
図１に、表示装置１の概略構成を示す。表示装置１は、アクティブマトリクス基板１０、対向電極８０、表示制御回路１１、対向電極駆動回路１２、ソースドライバ１３、ゲートドライバ１４、及び後述する種々の信号線を備える。アクティブマトリクス基板１０上には、画素回路２が、行及び列方向にそれぞれ複数配置され、画素回路アレイが形成されている。
【００７３】
なお、図１では、図面が煩雑になるのを避けるため、画素回路２はブロック化して表示している。また、アクティブマトリクス基板１０上に各種の信号線が形成されていることを明確化するために、便宜的に、アクティブマトリクス基板１０を対向電極８０の上側に図示している。
【００７４】
本実施形態では、表示装置１は、同じ画素回路２を用いて、通常表示モードと常時表示モードの２つの表示モードで画面表示を行うことができる構成である。通常表示モードは、動画若しくは静止画をフルカラー表示で表示する表示モードで、バックライトを利用した透過型液晶表示を利用する。一方、本実施形態の常時表示モードは、画素回路単位で２階調（白黒）表示し、３つの隣接する画素回路２を３原色（Ｒ，Ｇ，Ｂ）の各色に割り当てて、８色を表示する表示モードである。更に、常時表示モードでは、隣接する３つの画素回路を更に複数セット組み合わせて、面積階調により表示色の数を増やすことも可能である。なお、本実施形態の常時表示モードは、透過型液晶表示でも反射型液晶表示でも利用可能な技術である。
【００７５】
以下の説明では、便宜的に、１つの画素回路２に対応する最小表示単位を「画素」と呼び、各画素回路に書き込む「画素データ」は、３原色（Ｒ，Ｇ，Ｂ）によるカラー表示の場合には各色の階調データとなる。３原色に加えて白黒の輝度データを含めてカラー表示する場合には、当該輝度データも画素データに含まれる。
【００７６】
図２は、アクティブマトリクス基板１０と対向電極８０の関係を示す概略断面構造図であり、画素回路２の構成要素である表示素子部２１（図６参照）の構造を示している。アクティブマトリクス基板１０は、光透過性の透明基板であり、例えばガラスやプラスチックからなる。
【００７７】
図１に図示したように、アクティブマトリクス基板１０上には各信号線を含む画素回路２が形成されている。図２では、画素回路２の構成要素を代表して画素電極２０を図示している。画素電極２０は、光透過性の透明導電材料、例えばＩＴＯ（インジウムスズ酸化物）からなる。
【００７８】
アクティブマトリクス基板１０に対向するように、光透過性の対向基板８１が配置されており、これら両基板の間隙には液晶層７５が保持される。両基板の外表面には偏光板（不図示）が貼り付けられている。
【００７９】
液晶層７５は、両基板の周辺部分においてはシール材７４によって封止されている。対向基板８１には、ＩＴＯ等の光透過性の透明導電材料からなる対向電極８０が、画素電極２０と対向するように形成されている。この対向電極８０は、対向基板８１上をほぼ一面に広がるように単一膜として形成されている。ここで、１つの画素電極２０と対向電極８０とその間に挟持された液晶層７５によって単位液晶表示素子Ｃｌｃ（図６参照）が形成される。
【００８０】
また、バックライト装置（不図示）がアクティブマトリクス基板１０の背面側に配置されており、アクティブマトリクス基板１０から対向基板８１に向かう方向に光を放射することができる。
【００８１】
図１に示すように、アクティブマトリクス基板１０上には複数の信号線が縦横方向に形成されている。そして、縦方向（列方向）に延伸するｍ本のソース線（ＳＬ１，ＳＬ２，……，ＳＬｍ）と、横方向（行方向）に延伸するｎ本のゲート線（ＧＬ１，ＧＬ２，……，ＧＬｎ）が交差する箇所において、画素回路２がマトリクス状に複数形成されている。ｍ，ｎはいずれも２以上の自然数である。また、各ソース線を「ソース線ＳＬ」で代表し、各ゲート線を「ゲート線ＧＬ」で代表する。
【００８２】
ここで、ソース線ＳＬが「データ信号線」に対応し、ゲート線ＧＬが「走査信号線」に対応する。また、ソースドライバ１３が「データ信号線駆動回路」に対応し、ゲートドライバ１４が「走査信号線駆動回路」に対応し、対向電極駆動回路１２が「対向電極電圧供給回路」に対応し、表示制御回路１１の一部が「制御線駆動回路」に対応する。
【００８３】
なお、図１では、表示制御回路１１，対向電極駆動回路１２が、それぞれソースドライバ１３やゲートドライバ１４とは別個独立して存在するように図示されているが、これらのドライバ内に表示制御回路１１や対向電極駆動回路１２が含まれる構成であっても構わない。
【００８４】
本実施形態では、画素回路２を駆動する信号線として、上述のソース線ＳＬとゲート線ＧＬ以外に、リファレンス線ＲＥＦ、選択線ＳＥＬ、補助容量線ＣＳＬ、電圧供給線ＶＳＬ、及びブースト線ＢＳＴを備える。
【００８５】
ブースト線ＢＳＴは、選択線ＳＥＬとは別の信号線として備えることもできるし、選択線ＳＥＬと共通化することも可能である。ブースト線ＢＳＴと選択線ＳＥＬを共通化することで、アクティブマトリクス基板１０上に配置すべき信号線の本数を低減でき、各画素の開口率を向上できる。図３に、選択線ＳＥＬとブースト線ＢＳＴが共通化した場合における表示装置の構成を示す。
【００８６】
更に、電圧供給線ＶＳＬは、図１及び図３のように独立した信号線とすることもできるし、補助容量線ＣＳＬ，或いはリファレンス線ＲＥＦと共通化することも可能である。図１及び図３の構成において、電圧供給線ＶＳＬが補助容量線ＣＳＬ或いはリファレンス線ＲＥＦと共通化された場合の構成を、それぞれ図４及び図５に示す。
【００８７】
図３又は図５のように、選択線ＳＥＬとブースト線ＢＳＴを共通化させたり、図４又は図５のように、電圧供給線ＶＳＬを補助容量線ＣＳＬ或いはリファレンス線ＲＥＦと共通化させることで、アクティブマトリクス基板１０上に配置すべき信号線の本数を低減でき、各画素の開口率を向上できる。
【００８８】
リファレンス線ＲＥＦ，選択線ＳＥＬ，ブースト線ＢＳＴは、それぞれ「第１制御線」，「第２制御線」，「第３制御線」に対応し、表示制御回路１１によって駆動される。また、補助容量線ＣＳＬは、「第４制御線」又は「固定電圧線」に対応し、一例として表示制御回路１１によって駆動される。
【００８９】
図１、及び図３〜図５において、リファレンス線ＲＥＦ，選択線ＳＥＬ，及び補助容量線ＣＳＬは、いずれも行方向に延伸するように各行に設けられており、画素回路アレイの周辺部で各行の配線が相互に接続して一本化されているが、各行の配線は個別に駆動され、動作モードに応じて共通の電圧が印加可能に構成されても良い。また、後述する画素回路２の回路構成の類型によっては、リファレンス線ＲＥＦ、選択線ＳＥＬ、及び、補助容量線ＣＳＬの一部又は全てを、列方向に延伸するように各列に設けることもできる。基本的に、リファレンス線ＲＥＦ、選択線ＳＥＬ、及び補助容量線ＣＳＬのそれぞれは、複数の画素回路２で共通に使用される構成となっている。なお、ブースト線ＢＳＴを選択線ＳＥＬとは別に備える構成の場合には、選択線ＳＥＬと同様に設けられるものとして良い。
【００９０】
表示制御回路１１は、後述する通常表示モード及び常時表示モードにおける各書き込み動作と、常時表示モードにおけるセルフリフレッシュ動作及びセルフ極性反転動作を制御する回路である。
【００９１】
書き込み動作時には、表示制御回路１１は、外部の信号源から表示すべき画像を表すデータ信号Ｄｖとタイミング信号Ｃｔを受け取り、当該信号Ｄｖ，Ｃｔに基づき、画像を画素回路アレイの表示素子部２１（図６参照）に表示させるための信号として、ソースドライバ１３に与えるディジタル画像信号ＤＡ及びデータ側タイミング制御信号Ｓｔｃと、ゲートドライバ１４に与える走査側タイミング制御信号Ｇｔｃと、対向電極駆動回路１２に与える対向電圧制御信号Ｓｅｃと、リファレンス線ＲＥＦ，選択線ＳＥＬ，補助容量線ＣＳＬ，ブースト線ＢＳＴ，及び電圧供給線ＶＳＬにそれぞれ印加する各信号電圧を生成する。
【００９２】
ソースドライバ１３は、表示制御回路１１からの制御により、書き込み動作、セルフリフレッシュ動作、及びセルフ極性反転動作時に、各ソース線ＳＬに対して所定のタイミングで所定の電圧振幅のソース信号を印加する回路である。
【００９３】
書き込み動作時、ソースドライバ１３は、ディジタル画像信号ＤＡ及びデータ側タイミング制御信号Ｓｔｃに基づき、ディジタル信号ＤＡの表わす１表示ライン分の画素値に相当する、対向電圧Ｖｃｏｍの電圧レベルに適合した電圧をソース信号Ｓｃ１，Ｓｃ２，……，Ｓｃｍとして１水平期間（「１Ｈ期間」ともいう）毎に生成する。当該電圧は、通常表示モードでは多階調のアナログ電圧であり、常時表示モードでは、２階調（２値）の電圧となる。そして、これらのソース信号を、それぞれ対応するソース線ＳＬ１，ＳＬ２，……，ＳＬｍに印加する。
【００９４】
また、セルフリフレッシュ動作時、及びセルフ極性反転動作時には、ソースドライバ１３は、表示制御回路１１からの制御により、対象となる画素回路２に接続する全てのソース線ＳＬに対して、同一のタイミングで同一の電圧印加を行う（詳細は後述する）。
【００９５】
ゲートドライバ１４は、表示制御回路１１からの制御により、書き込み動作、セルフリフレッシュ動作、及びセルフ極性反転動作時に、各ゲート線ＧＬに対して所定のタイミングで所定の電圧振幅のゲート信号を印加する回路である。なお、このゲートドライバ１４は、画素回路２と同様に、アクティブマトリクス基板１０上に形成されても構わない。
【００９６】
書き込み動作時、ゲートドライバ１４は、走査側タイミング制御信号Ｇｔｃに基づき、ソース信号Ｓｃ１，Ｓｃ２，……，Ｓｃｍを各画素回路２に書き込むために、ディジタル画像信号ＤＡの各フレーム期間において、ゲート線ＧＬ１，ＧＬ２，……，ＧＬｎをほぼ１水平期間ずつ順次選択する。
【００９７】
また、セルフリフレッシュ動作時、及びセルフ極性反転動作時には、ゲートドライバ１４は、表示制御回路１１からの制御により、対象となる画素回路２に接続する全てのゲート線ＧＬに、同一のタイミングで同一の電圧印加を行う（詳細は後述する）。
【００９８】
対向電極駆動回路１２は、対向電極８０に対して対向電極配線ＣＭＬを介して対向電圧Ｖｃｏｍを印加する。本実施形態では、対向電極駆動回路１２は、通常表示モード及び常時表示モードにおいて、対向電圧Ｖｃｏｍを所定の高レベル（５Ｖ）と所定の低レベル（０Ｖ）の間で交互に切り換えて出力する。このように、対向電圧Ｖｃｏｍを高レベルと低レベルの間で切り換えながら対向電極８０を駆動することを「対向ＡＣ駆動」と呼ぶ。
【００９９】
通常表示モードにおける「対向ＡＣ駆動」は、１水平期間毎及び１フレーム期間毎に、対向電圧Ｖｃｏｍを高レベルと低レベルの間で切り換える。つまり、ある１フレーム期間では、相前後する２つの水平期間で、対向電極８０と画素電極２０間の電圧極性が変化する。また、同じ１水平期間においても、相前後する２つのフレーム期間では、対向電極８０と画素電極２０間の電圧極性が変化する。
【０１００】
一方、常時表示モードでは、１フレーム期間中は、同じ電圧レベルが維持されるが、相前後する２つの書き込み動作で対向電極８０と画素電極２０間の電圧極性が変化する。
【０１０１】
対向電極８０と画素電極２０間に同一極性の電圧を印加し続けると、表示画面の焼き付き（面焼き付き）が発生するため、極性反転動作が必要となるが、「対向ＡＣ駆動」を採用することで、極性反転動作における画素電極２０に印加する電圧振幅が低減できる。
【０１０２】
《画素回路》
次に、画素回路２の構成について図６〜図２３の各図を参照して説明する。
【０１０３】
図６及び図７に、本発明の画素回路２の基本回路構成を示す。画素回路２は、全ての回路構成に共通して、単位液晶表示素子Ｃｌｃを含む表示素子部２１，第１スイッチ回路２２，第２スイッチ回路２３，制御回路２４，及び補助容量素子Ｃｓを備える構成である。補助容量素子Ｃｓは「第２容量素子」に対応する。
【０１０４】
なお、図６は後述するグループＸに属する各画素回路の基本構成に対応し、図７は後述するグループＹに属する各画素回路の基本構成に対応する。単位液晶表示素子Ｃｌｃは、図２を参照して既に説明したとおりであり、説明は割愛する。
【０１０５】
画素電極２０は、第１スイッチ回路２２、第２スイッチ回路２３、及び制御回路２４の各一端に接続して、内部ノードＮ１を形成している。内部ノードＮ１は、書き込み動作時にソース線ＳＬから供給される画素データの電圧を保持する。
【０１０６】
補助容量素子Ｃｓは、一端が内部ノードＮ１に、他端が補助容量線ＣＳＬに接続する。この補助容量素子Ｃｓは、内部ノードＮ１が画素データの電圧を安定的に保持できるように追加的に設けられたものである。
【０１０７】
第１スイッチ回路２２は、内部ノードＮ１を構成しない側の一端が、ソース線ＳＬと接続する。第１スイッチ回路２２は、スイッチ素子として機能するトランジスタＴ４を備えている。トランジスタＴ４は、制御端子がゲート線に接続するトランジスタを指し、「第４トランジスタ」に対応する。少なくともトランジスタＴ４のオフ時には、第１スイッチ回路２２は非導通状態となり、ソース線ＳＬと内部ノードＮ１間の導通が遮断される。
【０１０８】
第２スイッチ回路２３は、内部ノードＮ１を構成しない側の一端が、電圧供給線ＶＳＬと接続する。第２スイッチ回路２３は、トランジスタＴ１とトランジスタＴ３の直列回路で構成される。なお、トランジスタＴ１は、制御端子が制御回路２４の出力ノードＮ２に接続するトランジスタを指し、「第１トランジスタ素子」に対応する。また、トランジスタＴ３は、制御端子が選択線ＳＥＬに接続するトランジスタを指し、「第３トランジスタ素子」に対応する。トランジスタＴ１とトランジスタＴ３の両方がオン時に、第２スイッチ回路２１は導通状態となり、電圧供給線ＶＳＬと内部ノードＮ１間が導通状態となる。
【０１０９】
制御回路２４は、トランジスタＴ２とブースト容量素子Ｃｂｓｔの直列回路で構成される。トランジスタＴ２の第１端子が内部ノードＮ１に接続し、制御端子がリファレンス線ＲＥＦに接続する。また、トランジスタＴ２の第２端子は、ブースト容量素子Ｃｂｓｔの第１端子、及びトランジスタＴ１の制御端子と接続して出力ノードＮ２を形成する。ブースト容量素子Ｃｂｓｔの第２端子は、図６に示すようにブースト線ＢＳＴに接続するか（グループＸ）、又は図７に示すように選択線ＳＥＬに接続する（グループＹ）。
【０１１０】
ところで、内部ノードＮ１には、補助容量素子Ｃｓの一端、並びに液晶容量素子Ｃｌｃの一端が接続されている。符号の煩雑化を避けるべく、補助容量素子の静電容量（「補助容量」と呼ぶ）をＣｓ、液晶容量素子の静電容量（「液晶容量」と呼ぶ）をＣｌｃと表す。このとき、内部ノードＮ１に寄生する全容量、すなわち画素データを書き込んで保持すべき画素容量Ｃｐは、ほぼ液晶容量Ｃｌｃと補助容量Ｃｓの和で表わされる（Ｃｐ≒Ｃｌｃ＋Ｃｓ）。
【０１１１】
このとき、ブースト容量素子Ｃｂｓｔは、当該素子の静電容量（「ブースト容量」と呼ぶ）をＣｂｓｔと記載すれば、Ｃｂｓｔ＜＜Ｃｐが成立するように設定されている。
【０１１２】
出力ノードＮ２は、トランジスタＴ２がオン時に、内部ノードＮ１の電圧レベルに応じた電圧を保持し、トランジスタＴ２がオフ時には、内部ノードＮ１の電圧レベルが変化しても当初の保持電圧を維持する。出力ノードＮ２の保持電圧によって、第２スイッチ回路２３のトランジスタＴ１のオンオフが制御される構成となっている。
【０１１３】
上記４種類のトランジスタＴ１〜Ｔ４は、いずれもアクティブマトリクス基板１０上に形成される、多結晶シリコンＴＦＴや非晶質シリコンＴＦＴ等の薄膜トランジスタであり、第１及び第２端子の一方がドレイン電極、他方がソース電極、制御端子がゲート電極に相当する。更に、各トランジスタＴ１〜Ｔ４は、それぞれ単体のトランジスタ素子で構成されても良いが、オフ時のリーク電流を抑制する要請が高い場合は、複数のトランジスタを直列に接続し、制御端子を共通化して構成されても良い。以下の画素回路２の動作説明では、トランジスタＴ１〜Ｔ４が、全てＮチャネル型の多結晶シリコンＴＦＴで、閾値電圧が２Ｖ程度のものを想定する。
【０１１４】
画素回路２は、後述するように多様な回路構成が可能であるが、これらは以下のようにパターン化することができる。
【０１１５】
１）第１スイッチ回路２２の構成についてみれば、トランジスタＴ４だけで構成される場合、トランジスタＴ４と他のトランジスタ素子の直列回路で構成される場合、の２通りが可能である。後者の場合、直列回路を構成する他のトランジスタ素子としては、第２スイッチ回路２３内のトランジスタＴ３を用いることもできるし、第２スイッチ回路２３内のトランジスタＴ３と制御端子同士が接続している別のトランジスタ素子とすることもできる。
【０１１６】
２）ブースト容量素子Ｃｂｓｔの第２端子（出力ノードＮ２を形成する端子とは反対側の端子）に接続する信号線についてみれば、ブースト線ＢＳＴに接続される場合、選択線ＳＥＬに接続される場合、の２通りが可能である。後者の場合、選択線ＳＥＬがブースト線ＢＳＴを兼ねることとなる。なお、前者が図６に対応し、後者が図７に対応することは上述した。
【０１１７】
３）電圧供給線ＶＳＬについてみれば、リファレンス線ＲＥＦと兼用して共通化させるか、補助容量線ＣＳＬと兼用して共通化させるか、独立した信号線とするか、の３通りが可能である。
【０１１８】
以下では、上記１）〜３）に基づいて、画素回路２を類型別に整理する。具体的には、ブースト容量素子Ｃｂｓｔの第２端子に接続する信号線がブースト線ＢＳＴか選択線ＳＥＬかによって２つのグループ（Ｘ，Ｙ）に分けた上で、各グループ毎に、第１スイッチ回路２２の構成並びに電圧供給線ＶＳＬの構成の組み合わせについて、６つの類型に分ける。
【０１１９】
すなわち、第１スイッチ回路２２がトランジスタＴ４だけで構成されている場合を第１〜第３類型、第１スイッチ回路２２がトランジスタＴ４と他のトランジスタ素子の直列回路で構成されている場合を第４〜第６類型とする。このうち、第１及び第４類型は、電圧供給線ＶＳＬがリファレンス線ＲＥＦと共通化した構成であり、第２及び第５類型は、電圧供給線ＶＳＬが補助容量線ＣＳＬと共通化した構成であり、第３及び第６類型は、電圧供給線ＶＳＬが独立した信号線で構成されている。
【０１２０】
なお、同一グループ内で同一類型の画素回路であっても、第２スイッチ回路２３内のトランジスタＴ３の配置箇所の相違に応じて複数の変形パターンが考えられる。
【０１２１】
＜１．グループＸ＞
まず、ブースト容量素子Ｃｂｓｔの第２端子にブースト線ＢＳＴが接続される、グループＸに属する画素回路について説明する。
【０１２２】
このとき、上述したように、電圧供給線ＶＳＬ並びに第１スイッチ回路２２の構成に応じて、図８〜図１７に示す第１〜第６類型の画素回路２Ａ〜２Ｆが想定される。
【０１２３】
図８に示す第１類型の画素回路２Ａは、第１スイッチ回路２２がトランジスタＴ４だけで構成され、電圧供給線ＶＳＬがリファレンス線ＲＥＦと共通化している。リファレンス線ＲＥＦは、一例としてゲート線ＧＬと平行に横方向（行方向）に延伸しているが、ソース線ＳＬと平行に縦方向（列方向）に延伸しても良い。
【０１２４】
ここで、図８では、第２スイッチ回路２３が、トランジスタＴ１とトランジスタＴ３の直列回路で構成され、一例として、トランジスタＴ１の第１端子が内部ノードＮ１に接続し、トランジスタＴ１の第２端子がトランジスタＴ３の第１端子に接続し、トランジスタＴ３の第２端子がソース線ＳＬに接続する構成例を示している。しかし、当該直列回路のトランジスタＴ１とトランジスタＴ３の配置は入れ替わっても良く、また、２つのトランジスタＴ３の間にトランジスタＴ１を挟んだ回路構成でも構わない。当該２つの変形回路構成例を、図９及び図１０に示す。
【０１２５】
図１１に示す第２類型の画素回路２Ｂは、第１スイッチ回路２２がトランジスタＴ４だけで構成され、電圧供給線ＶＳＬが補助容量線ＣＳＬと共通化している。補助容量線ＣＳＬは、一例としてゲート線ＧＬと平行に横方向（行方向）に延伸しているが、ソース線ＳＬと平行に縦方向（列方向）に延伸しても良い。
【０１２６】
図１２に示す第３類型の画素回路２Ｃは、第１スイッチ回路２２がトランジスタＴ４だけで構成され、電圧供給線ＶＳＬが独立した信号線で構成されている。図１２では、一例としてゲート線ＧＬと平行に横方向（行方向）に延伸しているが、ソース線ＳＬと平行に縦方向（列方向）に延伸しても良い。
【０１２７】
なお、第２及び第３類型においても、第１類型の場合と同様、第２スイッチ回路２３の構成に応じた変形回路の実現が可能である。
【０１２８】
図１３に示す第４類型の画素回路２Ｄは、第１スイッチ回路２２がトランジスタＴ４と他のトランジスタ素子の直列回路で構成される点を除けば、図８に示す第１類型の画素回路２Ａと共通である。
【０１２９】
ここで、図１３では、第１スイッチ回路２２を構成するトランジスタＴ４以外のトランジスタ素子として、第２スイッチ回路２３内のトランジスタを兼用する構成が示されている。すなわち、第１スイッチ回路２２が、トランジスタＴ４とトランジスタＴ３の直列回路で構成され、第２スイッチ回路２３が、トランジスタＴ１とトランジスタＴ３の直列回路で構成される。そして、トランジスタＴ３の第１端子が内部ノードＮ１に接続し、トランジスタＴ３の第２端子がトランジスタＴ１の第１端子とトランジスタＴ４の第１端子に接続し、トランジスタＴ４の第２端子がソース線ＳＬに接続し、トランジスタＴ１の第２端子が電圧供給線ＶＳＬに接続している。
【０１３０】
つまり、第４類型の画素回路２Ｄでは、第１スイッチ回路２２が、ゲート線ＧＬに加えて、選択線ＳＥＬによって導通制御がなされる構成である。
【０１３１】
この第４類型の変形例として、図１４に示すように、第１スイッチ回路２２を構成するトランジスタＴ４以外のトランジスタ素子として、第２スイッチ回路２３内のトランジスタＴ３と制御端子同士が接続するトランジスタＴ５を用いる構成を実現することもできる。このトランジスタＴ５は、「第５トランジスタ素子」に対応する。
【０１３２】
図１４に示す画素回路２Ｄにおいて、トランジスタＴ５とトランジスタＴ３の制御端子同士が接続するため、トランジスタＴ５は、トランジスタＴ３と同様に選択線ＳＥＬによってオンオフ制御がされる。第１スイッチ回路２２を構成するトランジスタＴ４以外のトランジスタ素子が、選択線ＳＥＬによってオンオフ制御がされるという点で、図１３の構成と共通する。
【０１３３】
なお、第４類型では、トランジスタＴ３が第１スイッチ回路２２と第２スイッチ回路２３とで共有されているため、図９のように第２スイッチ回路２３のトランジスタＴ１とＴ３の配置を入れ替えることができない。一方、図１０のようにトランジスタＴ１をトランジスタＴ３で挟むことは可能である。この場合の変形例を図１５に示す。
【０１３４】
図１６に示す第５類型の画素回路２Ｅは、第１スイッチ回路２２がトランジスタＴ４と他のトランジスタ素子の直列回路で構成される点を除けば、図１１に示す第２類型の画素回路２Ｂと共通である。
【０１３５】
図１７に示す第６類型の画素回路２Ｆは、第１スイッチ回路２２がトランジスタＴ４と他のトランジスタ素子の直列回路で構成される点を除けば、図１２に示す第３類型の画素回路２Ｃと共通である。
【０１３６】
なお、第５類型及び第６類型においても、第４類型の図１５に示すような変形回路の実現が可能である。
【０１３７】
＜２．グループＹ＞
次に、ブースト容量素子Ｃｂｓｔの第２端子に選択線ＳＥＬが接続される、グループＹに属する画素回路について説明する。
【０１３８】
上述したように、グループＹの第１〜第６類型に属する各画素回路は、グループＸの第１〜第６類型に属する各画素回路に対して、トランジスタＴ３の制御端子に選択線ＳＥＬを接続することでブースト線ＢＳＴと選択線ＳＥＬを共通化させた点のみが異なる。これらの画素回路２ａ〜２ｆの回路図を、図１８〜図２３に示す。
【０１３９】
なお、グループＸとＹとで画素回路を区別するため、グループＹの画素回路の符号を２ａ〜２ｆと小文字のアルファベットで表記している。
【０１４０】
［第２実施形態］
第２実施形態では、上述した各グループＸ，Ｙの第１〜第６類型の画素回路によるセルフリフレッシュ動作につき、図面を参照して説明する。
【０１４１】
セルフリフレッシュ動作とは、常時表示モードにおける動作で、複数の画素回路２に対して、第１スイッチ回路２２と第２スイッチ回路２３と制御回路２４を所定のシーケンスで作動させ、画素電極２０の電位（これは内部ノードＮ１の電位でもある）を直前の書き込み動作で書き込まれた電位に同時に一括して復元させる動作である。セルフリフレッシュ動作は、上記各画素回路による本発明に特有の動作であり、従来のように通常の書き込み動作を行って画素電極２０の電位を復元させる「外部リフレッシュ動作」と比較して大幅な低消費電力化を可能とするものである。なお、上記「同時に一括して」の「同時」とは、一連のセルフリフレッシュ動作の時間幅を有する「同時」である。
【０１４２】
ところで、従来においては、書き込み動作を行って、画素電極２０と対向電極８０の間の印加される液晶電圧Ｖｃｌの絶対値を維持しながら極性のみを反転させる動作（外部極性反転動作）が行われていた。この外部極性反転動作が行われると、極性が反転すると共に、液晶電圧Ｖｃｌの絶対値も直前の書き込み時の状態に更新される。つまり、極性反転とリフレッシュが同時に行われることとなる。このため、書き込み動作によって、極性を反転させずに液晶電圧Ｖｃｌの絶対値のみを更新させる目的でリフレッシュ動作を実行するということは通常はあまり行われないが、以下では、説明の都合上、セルフリフレッシュ動作と比較する観点から、このようなリフレッシュ動作のことを「外部リフレッシュ動作」と呼ぶこととする。
【０１４３】
なお、外部極性反転動作によってリフレッシュ動作を実行する場合においても、書き込み動作が行われることには変わりない。つまり、この従来方法と比較した場合においても、本実施形態のセルフリフレッシュ動作によって大幅な低消費電力化が可能となるものである。
【０１４４】
セルフリフレッシュ動作の対象となる画素回路２に接続する全てのゲート線ＧＬ、ソース線ＳＬ、選択線ＳＥＬ、リファレンス線ＲＥＦ、補助容量線ＣＳＬ、ブースト線ＢＳＴ、及び対向電極８０には、全て同じタイミングで電圧印加が行われる。電圧供給線ＶＳＬが独立した信号線として設けられている場合には、この電圧供給線ＶＳＬに対しても同じタイミングで電圧印加が行われる。そして、同一タイミング下では、全てのゲート線ＧＬに対して同一電圧が印加され、全てのリファレンス線ＲＥＦに対して同一電圧が印加され、全ての補助容量線ＣＳＬに対して同一電圧が印加され、全てのブースト線ＢＳＴに対して同一電圧が印加され、電圧供給線ＶＳＬが独立した信号線として設けられている場合には、全ての電圧供給線ＶＳＬに対して同一電圧が印加される。これらの電圧印加のタイミング制御は、表示制御回路１１によって行われ、個々の電圧印加は、表示制御回路１１、対向電極駆動回路１２、ソースドライバ１３、ゲートドライバ１４によって行われる。
【０１４５】
本実施形態の常時表示モードは、画素回路単位で２階調（２値）の画素データを保持するため、画素電極２０（内部ノードＮ１）に保持されている画素電圧Ｖ２０は、第１電圧状態と第２電圧状態の２つの電圧状態を示す。本実施形態では、上述の対向電圧Ｖｃｏｍと同様に、第１電圧状態を高レベル（５Ｖ)、第２電圧状態を低レベル（０Ｖ)として説明する。
【０１４６】
セルフリフレッシュ動作の実行直前の状態において、画素電極２０が高レベル電圧に書き込まれている画素と、低レベル電圧に書き込まれている画素の双方が混在することが想定される。しかしながら、本実施形態のセルフリフレッシュ動作によれば、画素電極２０が高低いずれの電圧に書き込まれていても、同一のシーケンスに基づく電圧印加処理を行うことで、全ての画素回路に対するリフレッシュ動作を実行することができる。この内容につき、タイミング図及び回路図を参照して説明する。
【０１４７】
なお、直前の書き込み動作で内部ノードＮ１に高レベル電圧が書き込まれており、当該高レベル電圧を復元させる場合を「ケースＡ」と呼び、直前の書き込み動作で内部ノードＮ１に低レベル電圧が書き込まれており、当該低レベル電圧を復元させる場合を「ケースＢ」と呼ぶ。
【０１４８】
＜１．グループＸ＞
まず、ブースト容量素子Ｃｂｓｔの第２端子にブースト線ＢＳＴが接続される、グループＸに属する各画素回路についてのセルフリフレッシュ動作につき説明する。
【０１４９】
（第１類型）
図２４に、第１類型の画素回路２Ａにおけるセルフリフレッシュ動作のタイミング図を示す。図２４に示すように、セルフリフレッシュ動作は、２つのフェーズＰ１，Ｐ２に分解される。各フェーズの開始時刻をそれぞれｔ１，ｔ２とする。図２４には、セルフリフレッシュ動作の対象となる画素回路２Ａに接続する全てのゲート線ＧＬ，ソース線ＳＬ，選択線ＳＥＬ，リファレンス線ＲＥＦ，補助容量線ＣＳＬ，ブースト線ＢＳＴの各電圧波形と、対向電圧Ｖｃｏｍの電圧波形を図示している。なお、本実施形態では、画素回路アレイの全画素回路が、セルフリフレッシュ動作の対象とする。
【０１５０】
更に、図２４では、ケースＡ及びケースＢにおける内部ノードＮ１の画素電圧Ｖ２０、及び出力ノードＮ２の電圧ＶＮ２の各電圧波形、並びにトランジスタＴ１〜Ｔ４の各フェーズにおけるオンオフ状態を表示している。
【０１５１】
なお、時刻ｔ１より前の時点で、ケースＡでは高レベル書き込みがなされており、ケースＢでは低レベル書き込みがなされているとする。
【０１５２】
書き込み動作が実行された後、時間が経過すると、画素回路内の各トランジスタのリーク電流の発生に伴い、画素電圧Ｖ２０は変動する。ケースＡの場合、書き込み動作直後においては画素電圧Ｖ２０が５Ｖであったが、この値は時間が経過することで当初よりも低い値を示す。同様に、ケースＢの場合、書き込み動作直後においては画素電圧Ｖ２０が０Ｖであったが、この値が時間が経過することで当初よりも高い値を示す。時刻ｔ１の時点でケースＡの画素電圧Ｖ２０が５Ｖより少し低く、ケースＢの画素電圧Ｖ２０が０Ｖより少し高い値を示しているのは、このことを表わしている。
【０１５３】
以下、各フェーズ毎に各線に印加する電圧レベルにつき、説明する。
【０１５４】
《フェーズＰ１》
時刻ｔ１より開始されるフェーズＰ１では、ゲート線ＧＬ１にトランジスタＴ４が完全にオフ状態となるような電圧を印加する。ここでは−５Ｖとする。
【０１５５】
また、リファレンス線ＲＥＦには、第１電圧状態に対応する電圧（５Ｖ）を印加する。この電圧は、内部ノードＮ１の電圧状態が高レベル（ケースＡ）の場合にはトランジスタＴ２が非導通状態となり、低レベル（ケースＢ）の場合にはトランジスタＴ２が導通状態となるような電圧値でもある。
【０１５６】
ソース線ＳＬには、第２電圧状態に対応する電圧（０Ｖ）を印加する。
【０１５７】
選択線ＳＥＬには、トランジスタＴ３が完全にオン状態となるような電圧を印加する。ここでは８Ｖとする。
【０１５８】
対向電極８０に印加する対向電圧Ｖｃｏｍ、及び補助容量線ＣＳＬに印加する電圧は、０Ｖとする。これは０Ｖに限る趣旨ではなく、時刻ｔ１より前の時点における電圧値をそのまま維持するものとして良い。
【０１５９】
第５実施形態で後述するように、書き込み動作時にはトランジスタＴ２は導通しているため、高レベル書き込みがなされるケースＡでは、ノードＮ１及びＮ２が高レベル電位（５Ｖ）となり、低レベル書き込みがなされるケースＢでは、ノードＮ１及びＮ２が低レベル電位（０Ｖ）となる。
【０１６０】
書き込み動作が完了すると、トランジスタＴ２は非導通状態となるが、ノードＮ１はソース線ＳＬとは遮断されるため、引き続きノードＮ１及びＮ２の電位は保持される。すなわち、時刻ｔ１の直前におけるノードＮ１及びＮ２の電位は、ケースＡではほぼ５Ｖであり、ケースＢではほぼ０Ｖである。「ほぼ」というのは、リーク電流が発生したことによる電位の変動を考慮した記載である。
【０１６１】
そして、時刻ｔ１でリファレンス線ＲＥＦに５Ｖを印加すると、ケースＡでは、ノードＮ１及びＮ２がほぼ５Ｖであるため、トランジスタＴ２のゲート−ソース間電圧Ｖｇｓがほぼ０Ｖとなって閾値電圧の２Ｖを下回り、非導通状態となる。これに対し、ケースＢでは、トランジスタＴ２のドレイン又はソースを構成するノードＮ１及びＮ２がほぼ０Ｖであるため、トランジスタＴ２のゲート−ソース間電圧Ｖｇｓがほぼ５Ｖとなって閾値電圧の２Ｖを上回り、導通状態となる。
【０１６２】
なお、厳密にいえば、ケースＡの場合、トランジスタＴ２は完全に非導通である必要はなく、少なくともノードＮ２からＮ１に向かって導通しないような状態であれば良い。
【０１６３】
ブースト線ＢＳＴには、ノードＮ１の電圧状態が高レベル（ケースＡ）の場合にはトランジスタＴ１が導通状態となり、低レベル（ケースＢ）の場合にはトランジスタＴ１が非導通状態となるような高レベル電圧を印加する。
【０１６４】
ブースト線ＢＳＴは、ブースト容量素子Ｃｂｓｔの一端に接続されている。このため、ブースト線ＢＳＴに高レベル電圧を印加すると、ブースト容量素子Ｃｂｓｔの他端の電位、すなわち出力ノードＮ２の電位が突き上げられる。このように、ブースト線ＢＳＴに印加する電圧を上昇させることで出力ノードＮ２の電位を突き上げることを、以下では、「ブースト突き上げ」と呼ぶ。
【０１６５】
上述したように、ケースＡの場合、時刻ｔ１においてトランジスタＴ２が非導通である。このため、ブースト突き上げによるノードＮ２の電位変動量は、ブースト容量ＣｂｓｔとノードＮ２に寄生する全容量の比率によって決定する。一例として、この比率を０．７とすると、ブースト容量素子の一方の電極がΔＶｂｓｔ上昇すれば、他方の電極すなわちノードＮ２は、ほぼ０．７ΔＶｂｓｔだけ上昇することとなる。
【０１６６】
ケースＡの場合、時刻ｔ１において画素電圧Ｖ２０はほぼ５Ｖを示すため、トランジスタＴ１のゲート、すなわち出力ノードＮ２に、画素電圧Ｖ２０よりも閾値電圧２Ｖ以上高い電位を与えればトランジスタＴ１は導通する。本実施例では、時刻ｔ１においてブースト線ＢＳＴに印加する電圧を１０Ｖとする。この場合、出力ノードＮ２は７Ｖ上昇することとなる。時刻ｔ１の直前の時点でノードＮ２は、ノードＮ１とほぼ同電位（５Ｖ）を示すため、ブースト突き上げによって当該ノードＮ２は１２Ｖ程度を示す。よって、トランジスタＴ１にはゲートとノードＮ１の間に閾値電圧以上の電位差が生じるため、当該トランジスタＴ１が導通する。
【０１６７】
他方、ケースＢの場合、時刻ｔ１においてトランジスタＴ２は導通している。つまり、ケースＡとは異なり、出力ノードＮ２と内部ノードＮ１が電気的に接続している。この場合、ブースト突き上げによる出力ノードＮ２の電位変動量は、ブースト容量Ｃｂｓｔ及びノードＮ２の全寄生容量に加えて、内部ノードＮ１の全寄生容量の影響を受ける。
【０１６８】
内部ノードＮ１には、補助容量素子Ｃｓの一端、並びに液晶容量素子Ｃｌｃの一端が接続されており、この内部ノードＮ１に寄生する全容量Ｃｐは、ほぼ液晶容量Ｃｌｃと補助容量Ｃｓの和で表わされることは上述した通りである。そして、ブースト容量Ｃｂｓｔは液晶容量Ｃｐと比べてはるかに小さい値である。従って、これらの総容量に対するブースト容量の比率は極めて小さく、例えば０．０１以下程度の値となる。この場合、ブースト容量素子の一方の電極がΔＶｂｓｔ上昇すれば、他方の電極、すなわち出力ノードＮ２は、高々０．０１ΔＶｂｓｔ程度しか上昇しない。つまり、ケースＢの場合、ΔＶｂｓｔ＝１０Ｖとしても、出力ノードＮ２の電位ＶＮ２はほとんど上昇しないこととなる。
【０１６９】
ケースＢの場合、直前の書き込み動作で低レベル書き込みがされているため、出力ノードＮ２は時刻ｔ１の直前においてはほぼ０Ｖを示している。従って、時刻ｔ１でブースト突き上げを行っても、トランジスタＴ１のゲートには同トランジスタを導通させるに十分な電位が与えられない。つまり、ケースＡと異なり、トランジスタＴ１は依然として非導通状態を示す。
【０１７０】
なお、ケースＢの場合、時刻ｔ１の直前における出力ノードＮ２の電位は、必ずしも０Ｖである必要はなく、少なくともＴ１が導通しないような電位であれば良い。同様にケースＡの場合、時刻ｔ１の直前におけるノードＮ１の電位は、必ずしも５Ｖである必要はなく、トランジスタＴ２が非導通状態の下でブースト突き上げがされることで、トランジスタＴ１が導通するような電位であれば良い。
【０１７１】
ケースＡの場合、ブースト突き上げがされることで、トランジスタＴ１が導通する。また、選択線ＳＥＬに高レベル電圧が印加されてトランジスタＴ３が導通しているため、第２スイッチ回路２３は導通する。よって、リファレンス線ＲＥＦに印加された第１電圧状態を示す高レベル電圧が、当該第２スイッチ回路２３を介して内部ノードＮ１に与えられる。これにより、内部ノードＮ１の電位、すなわち画素電圧Ｖ２０は第１電圧状態に復帰する。図２４において、時刻ｔ１から少しだけ時間経過した時点で、画素電圧Ｖ２０の値が５Ｖに復帰しているのは、このことを示している。
【０１７２】
一方、ケースＢの場合、ブースト突き上げがされても依然としてトランジスタＴ１は導通しないため、第２スイッチ回路２３は非導通状態である。よって、ソース線ＳＬに印加された高レベル電圧が、当該第２スイッチ回路２３を介してノードＮ１に与えられるということはない。つまり、ノードＮ１の電位は依然として時刻ｔ１の時点とほぼ同レベルの値、すなわちほぼ０Ｖを示すこととなる。
【０１７３】
以上のように、フェーズＰ１では、第１電圧状態に書き込まれていた画素電圧Ｖ２０（ケースＡ）のリフレッシュ動作が行われる。
【０１７４】
《フェーズＰ２》
時刻ｔ２より開始されるフェーズＰ２では、ゲート線ＧＬ，ソース線ＳＬ，リファレンス線ＲＥＦ，補助容量線ＣＳＬに印加する電圧、並びに対向電圧Ｖｃｏｍを、フェーズＰ１と引き続き同じ値とする。
【０１７５】
選択線ＳＥＬには、トランジスタＴ３が非導通状態となるような電圧を印加する。ここでは−５Ｖとする。これにより、第２スイッチ回路２３は非導通となる。
【０１７６】
ブースト線ＢＳＴに印加する電圧を、ブースト突き上げを行う前の状態に低下させる。ここでは０Ｖとする。ブースト線ＢＳＴの電圧が低下することで、ノードＮ１の電位は突き下げされる。
【０１７７】
フェーズＰ２においても、ケースＢの場合にはトランジスタＴ２が導通状態である。このため、ブースト線ＢＳＴの電圧が変化しても、ノードＮ２の電位にはほとんど影響しない。すなわち、ほぼ０Ｖを維持する。ノードＮ１もノードＮ２と同電位を示す。
【０１７８】
フェーズＰ２では、フェーズＰ１よりもはるかに長い時間同一の電圧状態が維持される。この間、ソース線ＳＬには低レベル電圧（０Ｖ）が印加されている。このため、この間のリーク電流の発生により、ケースＢの画素電圧Ｖ２０は、０Ｖに接近する方向に経時的に変化する。つまり、時刻ｔ１の直前の時点において、ケースＢにおける画素電圧Ｖ２０の電位が０Ｖより高い電位であっても、フェーズＰ２の期間にこの電位が０Ｖに向かう方向に変化する。
【０１７９】
一方で、ケースＡの場合、フェーズＰ１によって画素電圧Ｖ２０の電位は５Ｖに復帰したが、その後のリーク電流の存在によって、時間経過と共に徐々に減少する。
【０１８０】
以上のように、フェーズＰ２では、第２電圧状態に書き込まれていた画素電圧Ｖ２０（ケースＢ）を、徐々に０Ｖに近づける動作が行われる。いわば第２電圧状態に書き込まれていた画素電圧Ｖ２０のリフレッシュ動作が行われる。
【０１８１】
その後は、このフェーズＰ１とＰ２を繰り返すことで、ケースＡ及びＢの双方の画素電圧Ｖ２０を直前の書き込み状態に復帰させることができる。
【０１８２】
従来のように、ソース線ＳＬを介した電圧印加による書き込みによってリフレッシュ動作を行う場合、ゲート線ＧＬを１本ずつ垂直方向に走査する必要がある。このため、ゲート線ＧＬに対しゲート線の数（ｎ）だけ高レベル電圧を印加する必要がある。また、直前の書き込み動作において書き込まれた電位レベルと同一の電位レベルを、各ソース線ＳＬに印加する必要があるため、ソースドライバ１３は最大ｎ回の駆動を必要とする。
【０１８３】
これに対し、本実施形態によれば、リファレンス線ＲＥＦには一定の電圧（５Ｖ）を与えておきながら、選択線ＳＥＬ及びブースト線ＢＳＴに対しては１回のパルス電圧を印加し、その後に低レベル電位を維持するのみで、全ての画素に対し、画素電極２０の電位を書き込み動作時の電位状態に復帰することが可能となる。つまり、１フレーム期間内において、各画素の画素電極２０の電位を復帰させるために各線に印加する印加電圧を変化させる回数は１回で足りる。この間、全てのゲート線ＧＬには低レベル電圧を印加し続けるのみで良い。
【０１８４】
よって、本実施形態のセルフリフレッシュ動作によれば、通常の外部リフレッシュ動作と比べ、ゲート線ＧＬに対する電圧印加、及びソース線ＳＬに対する電圧印加の回数を大幅に削減でき、更には、その制御内容も簡素化できる。このため、ゲートドライバ１４及びソースドライバ１３の消費電力量を大きく削減することができる。
【０１８５】
本実施形態のセルフリフレッシュ動作をまとめると、以下のようになる。まず、フェーズＰ１〜Ｐ２にかけて第１スイッチ回路２２は非導通としておく。そして、フェーズＰ１では、ケースＡの場合には第２スイッチ回路２３を導通させて、第１電圧状態に対応する高レベル電圧を、電圧供給線ＶＳＬを兼ねたリファレンス線ＲＥＦから内部ノードＮ１に与える一方、ケースＢの場合には第２スイッチ回路２３を非導通にして前記高レベル電圧を内部ノードＮ１に与えない。フェーズＰ２では、ケースＡ，Ｂ共に第２スイッチ回路２３を非導通として、電圧供給線ＶＳＬを兼ねたリファレンス線ＲＥＦの印加電圧が内部ノードＮ１に供給されないようにする。
【０１８６】
（第２類型）
図１１に示す第２類型の画素回路２Ｂは、電圧供給線ＶＳＬが補助容量線ＣＳＬと共通化した構成である。このため、第１類型と比較した場合、フェーズＰ１において補助容量線ＣＳＬに第１電圧状態の高レベル電圧（５Ｖ）を印加する点が異なる。第２類型の画素回路のセルフリフレッシュ動作時のタイミング図を図２５に示す。
【０１８７】
第２類型の場合、後述するように、常時表示モード時における書き込み動作では、補助容量線ＣＳＬに印加する電圧は、第１電圧状態（５Ｖ）か第２電圧状態（０Ｖ）のいずれかに固定される。そして、この類型は、書き込み時に補助容量線ＣＳＬに対して５Ｖが印加されている場合において、セルフリフレッシュ動作の実行が可能である。このとき、セルフリフレッシュ動作時においても、この補助容量線ＣＳＬへの印加電圧（５Ｖ）を固定しておく。その他は、図２４に示す第１類型の場合と共通である。図２５では、補助容量線ＣＳＬへの印加電圧として０Ｖを採用できないことを明示すべく、補助容量線ＣＳＬの印加電圧の欄に「５Ｖ（限定）」と表記している。
【０１８８】
このように構成することで、フェーズＰ１では、ケースＡの場合には第２スイッチ回路２３が導通しているため、第１電圧状態の電圧（５Ｖ）が補助容量線ＣＳＬから第２スイッチ回路２３を介して内部ノードＮ１に与えられ、リフレッシュ動作が行われる。ケースＢの場合には第２スイッチ回路２３が非導通であるため、内部ノードＮ１が低レベル電圧が維持される。
【０１８９】
（第３類型）
図１２に示す第３類型の画素回路２Ｃは、電圧供給線ＶＳＬを他の信号線と共通化せず、個別に有する構成である。このため、第１類型と比較した場合、フェーズＰ１において電圧供給線ＶＳＬに第１電圧状態の高レベル電圧（５Ｖ）を印加し、フェーズＰ２において第２電圧状態の低レベル電圧（０Ｖ）を印加する点が異なる。第３類型の画素回路のセルフリフレッシュ動作時のタイミング図を図２６に示す。
【０１９０】
このように構成することで、フェーズＰ１では、ケースＡの場合には第２スイッチ回路２３が導通しているため、第１電圧状態の電圧（５Ｖ）が電圧供給線ＶＳＬから第２スイッチ回路２３を介して内部ノードＮ１に与えられ、リフレッシュ動作が行われる。ケースＢの場合には第２スイッチ回路２３が非導通であるため、内部ノードＮ１が低レベル電圧が維持される。
【０１９１】
なお、フェーズＰ２では、第２スイッチ回路２３が非導通であるため、必ずしも電圧供給線ＶＳＬを第２電圧状態（０Ｖ）に低下させる必要はなく、引き続き第１電圧状態（５Ｖ）を維持するものとしても良い。
【０１９２】
（第４類型）
図１３に示す第４類型の画素回路２Ｄは、リファレンス線ＲＥＦが電圧供給線ＶＳＬを兼ねている点において、第１類型の画素回路２Ａと共通する。
【０１９３】
上述したように、フェーズＰ１では第１スイッチ回路２２を非導通とし、第２スイッチ回路２３については、ケースＡの場合にのみ導通させる必要がある。第４類型の画素回路２Ｄの場合、第２スイッチ回路２３がトランジスタＴ１とＴ３の直列回路で構成されるため、フェーズＰ１において、トランジスタＴ３をオン状態とする必要がある。
【０１９４】
トランジスタＴ３は、第１スイッチ回路２２の一素子をも構成している。しかしながら、フェーズＰ１ではトランジスタＴ４を非導通としておくことで、第１スイッチ回路２２を非導通とすることができるため、問題ない。このことは、図１４に示した第４類型の画素回路の変形例においても同様である。
【０１９５】
以上を踏まえると、第４類型の画素回路２Ｄは、図２４のタイミング図に示した第１類型の画素回路２Ａと同じ電圧印加方法によって、セルフリフレッシュ動作の実行が可能である。
【０１９６】
（第５類型）
図１６に示す第５類型の画素回路２Ｅは、補助容量線ＣＳＬが電圧供給線ＶＳＬを兼ねている点において、第２類型の画素回路２Ｂと共通する。そして、第２類型と第５類型の画素回路の相違点は、第１類型と第４類型の画素回路の相違点と同じである。
【０１９７】
従って、第４類型の場合と同様の理屈により、第５類型の画素回路２Ｅは、図２５のタイミング図に示した第２類型の画素回路２Ｂと同じ電圧印加方法によって、セルフリフレッシュ動作の実行が可能である。
【０１９８】
（第６類型）
図１７に示す第６類型の画素回路２Ｆは、電圧供給線ＶＳＬが独立した信号線で構成されている点において、第３類型の画素回路２Ｃと共通する。そして、第３類型と第６類型の画素回路の相違点は、第１類型と第４類型の画素回路の相違点と同じである。
【０１９９】
従って、第４類型の場合と同様の理屈により、第６類型の画素回路２Ｆは、図２６のタイミング図に示した第３類型の画素回路２Ｃと同じ電圧印加方法によって、セルフリフレッシュ動作の実行が可能である。
【０２００】
＜２．グループＹ＞
次に、ブースト容量素子Ｃｂｓｔの第２端子に選択線ＳＥＬが接続される、グループＹに属する各画素回路についてのセルフリフレッシュ動作につき説明する。
【０２０１】
図２４〜図２６に示した、グループＸの各画素回路におけるセルフリフレッシュ動作のタイミング図を見れば、いずれの場合も、選択線ＳＥＬとブースト線ＢＳＴには、同一のタイミングで電圧パルスが印加されていることが分かる。選択線ＳＥＬには、フェーズＰ１でトランジスタＴ３を導通し、フェーズＰ２でトランジスタＴ３を非導通とする電圧を与えれば良い。
【０２０２】
よって、グループＹに属する第１〜第６類型の各画素回路の場合、グループＸに属する第１〜第６類型の各画素回路のタイミング図が示す動作に対し、ブースト線ＢＳＴの印加電圧を、そのまま選択線ＳＥＬに印加することで、グループＸの場合と同様の原理によりセルフリフレッシュ動作が実現できる。具体的に、第１又は第４類型の場合のタイミング図を図２７に、第２又は第５類型の場合のタイミング図を図２８に、第３又は第６類型の場合のタイミング図を図２９に、それぞれ示す。なお、動作原理はグループＸと同じであるため、説明を割愛する。
【０２０３】
なお、図２７〜２９において、ＳＥＬに印加する電圧のうち、低レベル電圧値としては、トランジスタＴ３のゲートに与えることで、トランジスタＴ３を完全にオフにできるような範囲内であれば良い。また、高レベル電圧値としては、トランジスタＴ３のゲートに与えることで、当該トランジスタの一方の端子に＋５Ｖが印加された状態下でオンにでき、且つケースＡの場合に出力ノードＮ２の電位が突き上げられることでトランジスタＴ１をオンにできるようなできるような範囲内であれば良い。
【０２０４】
［第３実施形態］
第３実施形態では、上述した各グループＸ，Ｙの第１〜第６類型の画素回路によるセルフ極性反転動作につき、図面を参照して説明する。
【０２０５】
セルフ極性反転動作とは、常時表示モードにおける動作で、複数の画素回路２に対して、第１スイッチ回路２２と第２スイッチ回路２３と制御回路２４を所定のシーケンスで作動させ、画素電極２０と対向電極８０の間に印加されている液晶電圧Ｖｌｃの極性を、その絶対値を保持したまま、同時に一括して反転させる動作である。セルフ極性反転動作は、上記各画素回路による本発明に特有の動作で、従来の「外部極性反転動作」に対して大幅な低消費電力化を可能とするものである。なお、上記「同時に一括して」の「同時」とは、一連のセルフ極性反転動作の時間幅を有する「同時」である。
【０２０６】
セルフ極性反転動作の対象となる画素回路２に接続する全てのゲート線ＧＬ、ソース線ＳＬ、選択線ＳＥＬ、リファレンス線ＲＥＦ、補助容量線ＣＳＬ、ブースト線ＢＳＴ、及び対向電極８０には、全て同じタイミングで電圧印加が行われる。電圧供給線ＶＳＬが独立した信号線として設けられている場合には、この電圧供給線ＶＳＬに対しても同じタイミングで電圧印加が行われる。そして、同一タイミング下では、全てのゲート線ＧＬに対して同一電圧が印加され、全てのリファレンス線ＲＥＦに対して同一電圧が印加され、全ての補助容量線ＣＳＬに対して同一電圧が印加され、全てのブースト線ＢＳＴに対して同一電圧が印加され、電圧供給線ＶＳＬが独立した信号線として設けられている場合には、全ての電圧供給線ＶＳＬに対して同一電圧が印加される。これらの電圧印加のタイミング制御は、表示制御回路１１によって行われ、個々の電圧印加は、表示制御回路１１、対向電極駆動回路１２、ソースドライバ１３、ゲートドライバ１４によって行われる。
【０２０７】
ところで、液晶電圧Ｖｌｃは、対向電極８０の対抗電圧Ｖｃｏｍ、画素電極２０に保持されている画素電圧Ｖ２０により、以下の数２で表わされる。
【０２０８】
（数２）
Ｖｌｃ＝Ｖ２０−Ｖｃｏｍ
【０２０９】
また、本実施形態の常時表示モードは、第２実施形態と同様、画素電圧Ｖ２０は、第１電圧状態と第２電圧状態の２つの電圧状態を示し、第１電圧状態を高レベル（５Ｖ）、第２電圧状態を低レベル（０Ｖ）として説明する。このとき、液晶電圧Ｖｌｃは、画素電圧Ｖ２０と対向電圧Ｖｃｏｍが異なる場合は、＋５Ｖ又は−５Ｖとなり、画素電圧Ｖ２０と対向電圧Ｖｃｏｍが同電圧の場合は、０Ｖとなる。
【０２１０】
つまり、セルフ極性反転動作によって、液晶電圧Ｖｌｃ＝＋５Ｖの画素回路２は、液晶電圧Ｖｌｃ＝−５Ｖとなり、液晶電圧Ｖｌｃ＝−５Ｖの画素回路２は、液晶電圧Ｖｌｃ＝＋５Ｖとなり、液晶電圧Ｖｌｃ＝０Ｖの画素回路２は、液晶電圧Ｖｌｃ＝０Ｖが維持される。
【０２１１】
より具体的には、セルフ極性反転動作によって、対向電圧Ｖｃｏｍ及び画素電圧Ｖ２０が、高レベル（５Ｖ）から低レベル（０Ｖ）、或いは低レベル（０Ｖ）から高レベル（５Ｖ）へ遷移する。以下では、対向電圧Ｖｃｏｍが低レベル（０Ｖ）から高レベル（５Ｖ）へ遷移する場合について説明する。そして、この場合に、セルフ極性反転動作前に画素電極２０が高レベル状態に書き込まれていた場合を「ケースＡ」，低レベル状態に書き込まれていた場合を「ケースＢ」とする。このとき、ケースＡでは、セルフ極性反転動作によって、画素電圧Ｖ２０が高レベルから低レベルと遷移し、ケースＢでは低レベルから高レベルへ遷移する。
【０２１２】
＜１．グループＸ＞
まず、ブースト容量素子Ｃｂｓｔの第２端子にブースト線ＢＳＴが接続される、グループＸに属する各画素回路についてのセルフ極性反転動作につき説明する。
【０２１３】
（第１類型）
図３０に、第１類型のセルフ極性反転動作のタイミング図を示す。図３０に示すように、セルフ極性反転動作は、９つのフェーズＰ１０〜Ｐ１８に分解される。各フェーズの開始時刻をそれぞれｔ１０，ｔ１１，……，ｔ１８とする。図３０には、セルフ極性反転動作の対象となる画素回路２Ａに接続する全てのゲート線ＧＬ，ソース線ＳＬ，選択線ＳＥＬ，リファレンス線ＲＥＦ，補助容量線ＣＳＬ，ブースト線ＢＳＴの各電圧波形と、対向電圧Ｖｃｏｍの電圧波形を図示している。なお、本実施形態では、画素回路アレイの全画素回路が、セルフ極性反転動作の対象とする。
【０２１４】
また、図３０には、ケースＡ及びケースＢにおけるノードＮ１の画素電圧Ｖ２０と出力ノードＮ２の電圧ＶＮ２の各電圧波形、並びにトランジスタＴ１〜Ｔ４の各フェーズにおけるオンオフ状態を表示している。
【０２１５】
《フェーズＰ１０》
時刻ｔ１０より開始されるフェーズＰ１０では、セルフ極性反転動作のための初期状態設定を行う。
【０２１６】
ゲート線ＧＬには、トランジスタＴ４が完全にオフ状態となるような電圧を印加する。ここでは−５Ｖとする。また、ソース線ＳＬには、第２電圧状態に対応する電圧（０Ｖ）を印加しておく。
【０２１７】
選択線ＳＥＬには、トランジスタＴ３が完全にオフ状態となるような電圧を印加する。ここでは−５Ｖとする。また、ブースト線ＢＳＴには０Ｖを印加する。
【０２１８】
対向電極８０に印加する対向電圧Ｖｃｏｍ，及び補助容量線ＣＳＬに印加する電圧は、０Ｖとする。なお、本実施形態では、補助容量線ＣＳＬに印加する電圧を０Ｖで固定するが、０Ｖに限定する趣旨ではなく、書き込み動作時に与えられていた電圧値をそのまま維持すれば良い。なお、対向電圧Ｖｃｏｍは、後のフェーズにおいて極性反転を行うべく５Ｖに変化する。
【０２１９】
リファレンス線ＲＥＦには、ノードＮ１の電圧状態が高レベル（ケースＡ）の場合にはトランジスタＴ２が非導通状態となり、低レベル（ケースＢ）の場合にはトランジスタＴ２が導通状態となるような電圧値を印加する。ここでは５Ｖとする。
【０２２０】
ところで、トランジスタＴ４を完全にオフ状態とするためのゲート線ＧＬに印加する電圧値として、負電圧である−５Ｖを使用する理由は、非導通状態の第１スイッチ回路２２において、液晶電圧Ｖｌｃの電圧が維持されたまま、画素電圧Ｖ２０が、対向電圧Ｖｃｏｍの電圧変化に伴い、負電圧に遷移する可能性があり、当該状態で、非導通状態の第１スイッチ回路２２が不必要に導通状態となるのを防止するためである。なお、常時表示モードでは、ソース線ＳＬの電圧が第１電圧状態（５Ｖ）または第２電圧状態（０Ｖ）であるので、内部ノードＮ１の電圧が負電圧となっても、第２スイッチ回路２３のトランジスタＴ１が逆バイアスのダイオードとして機能するので、選択線ＳＥＬの電圧を、必ずしもゲート線ＧＬと同様に負電圧に制御してトランジスタＴ３をオフ状態とする必要はない。
【０２２１】
《フェーズＰ１１》
時刻ｔ１１より開始されるフェーズＰ１１では、ブースト線ＢＳＴに、ケースＡの場合にノードＮ２の電位が突き上げられることで、トランジスタＴ１が導通状態を示すような高レベル電圧を印加する。ここでは１０Ｖとする。一方でケースＢの場合、トランジスタＴ２が導通しているため、ブースト突き上げによってもノードＮ２の電位がほとんど上昇せず、トランジスタＴ１は非導通のままである。ケースＢではノードＮ１とＮ２が電気的に接続しているため、両ノードが同電位を示している。
【０２２２】
なお、フェーズＰ１０の時点で、ケースＡにおけるノードＮ２の電位が、トランジスタＴ１を導通可能なレベルである場合には、このブースト線ＢＳＴへの高レベル電圧印加動作を必ずしも行う必要はない。この場合については詳細を第４実施形態で説明する。
【０２２３】
《フェーズＰ１２》
時刻ｔ１２より開始されるフェーズＰ１２では、リファレンス線ＲＥＦの電圧を第２電圧状態（０Ｖ）とし、トランジスタＴ２をケースＡ，Ｂによらず非導通とする。これにより、ケースＡ，Ｂによらず、出力ノードＮ２が内部ノードＮ１から遮断される。ケースＡでは、フェーズＰ１１におけるブースト突き上げによって出力ノードＮ２の電位ＶＮ２が高レベルを示しており、他方、ケースＢではブースト突き上げの影響を受けず、出力ノードＮ２の電位ＶＮ２は低レベル電位（ほぼ０Ｖ）を示している。トランジスタＴ２が非導通とされたことで、ノードＮ１の電位が変化しても、ノードＮ２には前記の電位が保持される。
【０２２４】
《フェーズＰ１３》
時刻ｔ１３より開始されるフェーズＰ１３では、対向電圧Ｖｃｏｍを高レベル（５Ｖ）へシフトさせる。
【０２２５】
これによって対向電極８０の電位が上昇し、液晶容量素子Ｃｌｃの他方の電極、すなわち画素電極２０の電位も一部上昇する。このときの電位変動量は、ノードＮ１に寄生する全寄生容量に対する液晶容量Ｃｌｃの比率によって決定される。液晶容量Ｃｌｃと補助容量Ｃｓは、他の寄生容量に比べて十分大きく、実際には液晶容量Ｃｌｃと補助容量Ｃｓの総容量に対する液晶容量Ｃｌｃの比率によって決定される。ここでは、一例としてこの比率を０．２とする。この場合、対向電極８０の電位変動量をΔＶｃｏｍとすると、０．２ΔＶｃｏｍだけ画素電極２０の電位が上昇する。いまΔＶｃｏｍ＝５Ｖであるため、時刻ｔ１３の時点で、画素電極２０の電位Ｖ２０は、ケースＡ，Ｂのそれぞれ約１Ｖ程度上昇する。なお、フェーズＰ１３の時点で、ケースＡ，Ｂ共に第２スイッチ回路２３は非導通状態であるため、内部ノードＮ１の電位Ｖ２０は、１Ｖ程度電位が上昇した状態で維持される。
【０２２６】
《フェーズＰ１４》
時刻ｔ１４より開始されるフェーズＰ１４では、ゲート線ＧＬに高レベル電圧を印加し、トランジスタＴ４を導通させる。ここでは８Ｖとする。フェーズＰ１４により第１スイッチ回路２２が導通状態となる。
【０２２７】
そして、ソース線ＳＬに対して、第１電圧状態（５Ｖ）を印加する。
【０２２８】
これにより、両ケースＡ，Ｂ共に、ソース線ＳＬに印加された５Ｖの電圧が、第１スイッチ回路２２を介して内部ノードＮ１に与えられる。すなわち、ケースＡ，Ｂによらず、フェーズＰ１３では画素電圧Ｖ２０は第１電圧状態となる。
【０２２９】
このとき、ケースＡ、Ｂ共に、液晶電圧Ｖｌｃは±０Ｖを示している。ところで、時刻ｔ１０の直前において、液晶電圧Ｖｌｃの絶対値は、ケースＡの場合はほぼ５Ｖであり、ケースＢの場合は０Ｖであった。つまり、フェーズＰ１４では、ケースＡの液晶電圧Ｖｌｃの絶対値が、時刻ｔ１０の時点から大きく変化している。このため、理論的には、この時点以後、表示される画像に変化が生じる。しかしながら、最終的に極性反転が完了するまでの期間を短くすることで、当該表示状態の一時的な変化が短時間に抑えられ、人間の視覚には感知できない程度に、液晶電圧Ｖｌｃの平均値の変動が極めて微小となる。例えば、各フェーズの期間を３０μ秒程度に設定した場合は、当該表示状態の一時的な変化は人間の視覚上無視されるため、問題はない。
【０２３０】
《フェーズＰ１５》
時刻ｔ１５より開始されるフェーズＰ１５では、ゲート線ＧＬに再び低レベル電圧を印加し、トランジスタＴ４を非導通とする。これにより、第１スイッチ回路２２が非導通状態となる。
【０２３１】
また、ソース線ＳＬの印加電圧を、第２電圧状態（０Ｖ）に低下させる。
【０２３２】
このとき、トランジスタＴ４が完全にオフ状態となることで、トランジスタＴ４のゲートと内部ノードＮ１との間の容量結合によって、内部ノードＮ１の第１電圧状態（５Ｖ）が変動する場合には、補助容量線ＣＳＬの電圧を調整し、第２容量素子Ｃ２を介した容量結合によって、内部ノードＮ１の当該電圧変動を補償するようにしても良い。セルフ極性反転動作の実行が可能な他の類型においても同様とする。
【０２３３】
《フェーズＰ１６》
時刻ｔ１６より開始されるフェーズＰ１６では、選択線ＳＥＬに高レベル電圧（８Ｖ）を印加し、トランジスタＴ３を完全にオン状態とする。
【０２３４】
ケースＡの場合、ノードＮ２の電位ＶＮ２が高レベルであり、トランジスタＴ１が導通しているため、第２スイッチ回路２３が導通する。またフェーズＰ１６において、リファレンス線ＲＥＦには０Ｖが印加されている。これにより、高レベル電位を示している内部ノードＮ１から第２スイッチ回路２３を介してリファレンス線ＲＥＦに向かう電流が発生し、ノードＮ１は第２電圧状態を示すリファレンス線ＲＥＦと同電位となる。すなわち、画素電圧Ｖ２０は０Ｖに低下する。
【０２３５】
一方、ケースＢの場合には、ノードＮ２の電位ＶＮ２が低レベルであり、トランジスタＴ１が非導通であるため、トランジスタＴ３をオン状態としても依然として第２スイッチ回路２３が非導通である。よって、ノードＮ１はリファレンス線ＲＥＦと電気的に接続されておらず、ケースＡのようにノードＮ１からソース線ＳＬに向かう電流は生じない。よって、引き続き画素電圧Ｖ２０は５Ｖを保持する。
【０２３６】
この時点で、ケースＡの場合には液晶電圧Ｖｌｃに−５Ｖが印加され、ケースＢの場合には±０Ｖが印加される。よって、極性反転が完了し、これ以後、表示される画像が、セルフ極性反転動作の開始直前に表示されていた画像に復帰する。フェーズＰ１６以後は、このＶｌｃの絶対値は変化しないため、表示される画像に変化は生じない。
【０２３７】
なお、この時点におけるケースＡの画素電圧Ｖ２０は第２電圧状態を示し、ケースＢの画素電圧Ｖ２０は第１電圧状態を示しているが、前者はフェーズＰ１６においてリファレンス線ＲＥＦの印加電圧が内部ノードＮ１に与えられることで実現されたものであり、後者はフェーズＰ１４においてソース線ＳＬの印加電圧が内部ノードＮ１に与えられることで実現されたものである。つまり、仮にリーク電流の存在によって、セルフ極性反転動作開始前の時点で内部ノードＮ１の電位Ｖ２０が正しく第１電圧状態若しくは第２電圧状態を示していなくても、フェーズＰ１６の時点では、上記の電圧状態が実現される。このことを踏まえれば、ケースＡの画素電圧Ｖ２０が第２電圧状態に、ケースＢの画素電圧Ｖ２０が第１電圧状態に、それぞれ「リフレッシュ」されたということもできる。
【０２３８】
《フェーズＰ１７》
時刻ｔ１７より開始されるフェーズＰ１７では、ブースト線ＢＳＴの印加電圧を低レベル電圧（０Ｖ）に戻し、選択線ＳＥＬについても低レベル電圧を印加してトランジスタＴ３を非導通状態とする。これにより、ケースＡ，Ｂ共に第２スイッチ回路２３が非導通状態となる。なお、第１スイッチ回路２２は引き続き非導通状態である。
【０２３９】
よって、ケースＡ，Ｂ共に内部ノードＮ１の電位Ｖ２０は時刻ｔ１７開始直前の電圧値が保持される。
【０２４０】
また、リファレンス線ＲＥＦには０Ｖが印加されているため、トランジスタＴ２は非導通状態である。このため、ブースト線ＢＳＴの電圧低下によって出力ノードＮ２の電位が引き下げられる。
【０２４１】
ケースＡの場合、フェーズＰ１６の時点で、出力ノードＮ２の電位ＶＮ２は約１０Ｖである。このため、フェーズＰ１７では７Ｖ程度低下して３Ｖ程度となる。
【０２４２】
一方、ケースＢの場合、フェーズＰ１６の時点で、出力ノードＮ２の電位ＶＮ２は約０Ｖである。よって、ケースＡと同様に、ここから７Ｖ低下した、約−７Ｖに向かってＶＮ２は低下を始める。しかし、このとき、トランジスタＴ２のゲート電位が０Ｖであるため、出力ノードＮ２の負電位の絶対値がトランジスタＴ２の閾値電圧Ｖｔｈより大きくなると、トランジスタＴ２が内部ノードＮ１から出力ノードＮ２に向かう方向に導通する。この結果、出力ノードＮ２の電位ＶＮ２は、その後上昇を開始する。この電位ＶＮ２は、トランジスタＴ２がカットオフする値まで、すなわちゲート電位から閾値電圧Ｖｔｈを低下させた値まで上昇した後、停止する。本実施例では、トランジスタＴ２の閾値電圧Ｖｔｈが２Ｖであるため、ＶＮ２は−２Ｖ付近まで上昇した後、停止する。
【０２４３】
《フェーズＰ１８》
時刻ｔ１８より開始されるフェーズＰ１８では、リファレンス線ＲＥＦの電圧を、フェーズＰ１０の５Ｖに戻す。
【０２４４】
ケースＡの場合、時刻ｔ１８の直前において、トランジスタＴ２のソースとなる内部ノードＮ１の電位が０Ｖであるため、トランジスタＴ２のゲートとの電位差Ｖｇｓが閾値電圧Ｖｔｈ以上となる。このため、トランジスタＴ２が出力ノードＮ２から内部ノードＮ１に向かう方向に導通状態となる。出力ノードＮ２と比較して内部ノードＮ１の寄生容量は十分大きいため、出力ノードＮ２の電位ＶＮ２は内部ノードＮ１の電位Ｖ２０に引きつけられ、０Ｖに向かって低下する。一方、内部ノードＮ１の電位はほとんど変化せず、依然として０Ｖを維持する。
【０２４５】
ケースＢの場合も、時刻ｔ１８の直前において、トランジスタＴ２のソースとなる出力ノードＮ２の電位が−２Ｖであるため、トランジスタＴ２のゲートとの電位差Ｖｇｓが閾値電圧Ｖｔｈ以上となる。このため、トランジスタＴ２が内部ノードＮ１から出力ノードＮ２に向かって導通状態となる。これにより、出力ノードＮ２の電位ＶＮ２は、トランジスタＴ２がカットオフする値まで、すなわちゲート電位（５Ｖ）から閾値電圧Ｖｔｈだけ低下させた値まで上昇した後、停止する。本実施形態では、閾値電圧Ｖｔｈが２Ｖであるため、ＶＮ２の値は３Ｖ付近まで上昇した後、停止する。この値は、ケースＡにおける時刻ｔ１０時のＶＮ２の値に対応している。
【０２４６】
なお、依然として第２スイッチ回路２３はケースＡ，Ｂ共に非導通であるため、リファレンス線ＲＥＦの印加電圧が内部ノードＮ１の電位Ｖ２０に影響を与えるということはない。
【０２４７】
従来の外部極性反転動作による場合には、ゲート線ＧＬを１本ずつ垂直方向に走査する必要があるため、ゲート線ＧＬに対しゲート線の数（ｎ）だけ高レベル電圧を印加する必要があり、更には、各ソース線ＳＬに対してもそれぞれ最大ｎ回の充放電動作が必要であった。これに対し、本実施形態の方法によれば、フェーズＰ１０〜Ｐ１８に係る各電圧印加ステップを、全ての画素に対して共通に行うことで、対向電圧Ｖｃｏｍを高レベルと低レベルの間で切り換えながら、液晶電圧Ｖｌｃの極性を反転させることができる。従って、ゲート線ＧＬに対する電圧印加、及びソース線ＳＬに対する電圧印加の回数を大幅に削減できるため、ゲートドライバ１４及びソースドライバ１３の消費電力量を大きく削減することができる。
【０２４８】
なお、図３０では、対向電圧Ｖｃｏｍが低レベル（０Ｖ）から高レベル（５Ｖ）へ遷移する場合について説明したが、高レベル（５Ｖ）から低レベル（０Ｖ）へ遷移する場合も、その遷移タイミングは同じで、フェーズＰ１３が開始すると（ｔ１３）、当該遷移が行われる。
【０２４９】
このとき、極性反転前の時点で、ケースＡの場合は液晶電圧Ｖｌｃが±０Ｖであり、ケースＢの場合は−５Ｖである。そして、ケースＡの場合、フェーズＰ１６の時点で画素電圧Ｖ２０が第２電圧状態（０Ｖ）となり、液晶電圧Ｖｌｃが±０Ｖに復帰する。また、ケースＢの場合、フェーズＰ１４において強制的に画素電圧Ｖ２０が第１電圧状態となり、液晶電圧Ｖｌｃが＋５Ｖになる。すなわち、−５Ｖから＋５Ｖに変化しており、極性反転が実行されている。
【０２５０】
本実施形態のセルフ極性反転動作をまとめると、以下のようになる。
【０２５１】
まず、フェーズＰ１０〜Ｐ１３にかけて第１スイッチ回路２２は非導通としておく。フェーズＰ１１において、ケースＡの場合のみトランジスタＴ２を非導通にした状態の下で、ブースト線ＢＳＴに高レベル電圧を印加することで、ケースＡのみ内部ノードＮ２の電位を大きく上昇させ、トランジスタＴ１をオン状態とする。
【０２５２】
そして、フェーズＰ１３において対向電圧Ｖｃｏｍを低レベルから高レベルに反転させた後、フェーズＰ１４でソース線ＳＬを第１電圧状態とした状態で第１スイッチ回路２２を導通させる。これにより、内部ノードＮ１を両ケースＡ，Ｂ共に第１電圧状態（５Ｖ）とする。
【０２５３】
その後、フェーズＰ１５で第１スイッチ回路２２を非導通とした後、フェーズＰ１６で選択線ＳＥＬに高レベル電圧を印加してトランジスタＴ３をオン状態とする。これにより、トランジスタＴ１がオン状態を示しているケースＡのみ、第２スイッチ回路２３が導通し、第２電圧状態（０Ｖ）を示すリファレンス線ＲＥＦの電位に引きつけられて内部ノードＮ１が０Ｖとなる。ケースＢは、この時点で第１スイッチ回路２２と第２スイッチ回路２３が共に非導通であるため、内部ノードＮ１は第１電圧状態（５Ｖ）のまま保持される。
【０２５４】
そして、フェーズＰ１７で、トランジスタＴ３を再び非導通とし、フェーズＰ１８で、第２トランジスタＴ２の導通状態をフェーズＰ１０の時点に戻す。
【０２５５】
なお、フェーズＰ１４の間のみ第１スイッチ回路２２が導通しており、他のフェーズでは第１スイッチ回路２２は導通していない。このため、ソース線ＳＬは、各フェーズにわたって第１電圧状態（５Ｖ）を維持するものとしても良い。これは他の類型についても同様である。
【０２５６】
また、フェーズＰ１３の対向電圧Ｖｃｏｍの反転は、フェーズＰ１４におけるゲート線ＧＬへの高レベル電圧印加の終了前までに行えば良い。リファレンス線ＲＥＦの印加電圧を立ち下げた時刻ｔ１２以後、ゲート線ＧＬの印加電圧を立ち下げる時刻ｔ１５より前の間に、対向電圧Ｖｃｏｍを反転することができる。セルフ極性反転動作の実行が可能な以下の各類型においても同様である。
【０２５７】
（第２類型）
図１１に示す第２類型の画素回路２Ｂの場合、後述するように、常時表示モード時における書き込み動作では、補助容量線ＣＳＬに印加する電圧は、第１電圧状態（５Ｖ）か第２電圧状態（０Ｖ）のいずれかに固定される。そして、この類型は、書き込み時に補助容量線ＣＳＬに対して０Ｖが印加されている場合において、セルフ極性反転動作の実行が可能である。
【０２５８】
第１類型で説明したように、セルフ極性反転動作では、第１スイッチ回路２２を介してソース線ＳＬから第１電圧状態の電圧５Ｖを両ケースＡ，ＢのノードＮ１に与えた後、ケースＡについてのみ、電圧供給線ＶＳＬを兼ねたリファレンス線ＲＥＦから第２スイッチ回路２３を介して第２電圧状態の電圧０Ｖを、ノードＮ１に与える。
【０２５９】
これを踏まえると、第２類型では、ケースＡの場合のみ、第２電圧状態の電圧０Ｖを、電圧供給線ＶＳＬを兼ねた補助容量線ＣＳＬから第２スイッチ回路２３を介して内部ノードＮ１に与えればよい。このためには、補助容量線ＣＳＬに０Ｖを印加する必要がある。
【０２６０】
リファレンス線ＲＥＦは、フェーズＰ１０においてケースＢの場合にのみトランジスタＴ２が導通し、ケースＡの場合に非導通となるような電圧を与えておけば良いため、第１類型と同様の５Ｖを与えれば良い。これにより、フェーズＰ１１でブースト線ＢＳＴに高レベル電圧を与えてブースト突き上げを行うことで、ケースＡの場合のみ出力ノードＮ２の電位を大幅に突き上げ、トランジスタＴ１を導通させることができる。
【０２６１】
以上を踏まえれば、第２類型では、補助容量線ＣＳＬへの印加電圧が０Ｖに限定される点を除けば、第１類型で説明したフェーズＰ１０〜Ｐ１８と全く同一の電圧印加方法により、セルフ極性反転動作の実行が可能であることが分かる。従って、図３１に示す第２類型の画素回路におけるセルフ極性反転動作のタイミング図は、図３０に示す第１類型の場合と比較して、補助容量線ＣＳＬへの印加電圧が０Ｖに限定される点以外は同じである。図３１では、補助容量線ＣＳＬへの印加電圧として５Ｖを採用できないことを明示すべく、補助容量線ＣＳＬの印加電圧の欄に「０Ｖ（限定）」と表記している。
【０２６２】
なお、本類型の場合においても、フェーズＰ１５の時点で内部ノードＮ１の電圧状態の変動を補償すべく、補助容量線ＣＳＬの電圧調整を行うことができる。ただし、本類型の場合、補助容量線ＣＳＬは電圧供給線ＶＳＬを兼ねる構成であるため、ゲート線ＧＬに高レベル電圧を印加するフェーズＰ１４において、補助容量線ＣＳＬの電圧を、予め調整電圧分だけ逆方向に変位させておき、フェーズＰ１５の開始時（ｔ１５）に、０Ｖ（第２電圧状態）とすれば良い。
【０２６３】
（第３類型）
図１２に示す第３類型の画素回路２Ｃの場合、電圧供給線ＶＳＬが独立した信号線として設けられている。このため、第１スイッチ回路２２を介してソース線ＳＬから第１電圧状態の電圧５Ｖを両ケースＡ，ＢのノードＮ１に与えた後、ケースＡについてのみ、電圧供給線ＶＳＬから第２スイッチ回路２３を介して第２電圧状態の電圧０Ｖを、ノードＮ１に与えることで、セルフ極性反転動作が実現できる。
【０２６４】
従って、第１類型のフェーズＰ１６において、電圧供給線ＶＳＬに第２電圧状態（０Ｖ）の電圧を印加しておけば、第１類型で説明したフェーズＰ１０〜Ｐ１８と全く同一の電圧印加方法により、セルフ極性反転動作の実行が可能であることが分かる。図３２に、第３類型の画素回路によるセルフ極性反転動作のタイミング図を示す。図３２では、補助容量線ＣＳＬに０Ｖを印加した場合を図示しているが、直前の書き込み動作時において補助容量線ＣＳＬに５Ｖが印加されていれば、セルフ極性反転動作時においても引き続き５Ｖを印加すれば良い。また、図３２では電圧供給線ＶＳＬをフェーズＰ１０〜Ｐ１８にわたって第２電圧状態（０Ｖ）としたが、少なくともフェーズＰ１６において第２電圧状態であれば良い。
【０２６５】
（第４類型）
図１３に示す第４類型の画素回路２Ｄの場合は、第１類型と同様、リファレンス線ＲＥＦが電圧供給線ＶＳＬを兼ねている。一方、第１スイッチ回路２２と第２スイッチ回路２３でトランジスタＴ３を共有する点が、第１類型の画素回路２Ａと異なる。
【０２６６】
第１類型で説明したように、セルフ極性反転動作では、第１スイッチ回路２２を介してソース線ＳＬから第１電圧状態の電圧５Ｖを両ケースＡ，ＢのノードＮ１に与えた後、ケースＡについてのみ、電圧供給線ＶＳＬを兼ねたリファレンス線ＲＥＦから第２スイッチ回路２３を介して第２電圧状態の電圧０Ｖを、ノードＮ１に与える必要がある。ここで、第４類型の場合、第１スイッチ回路２２を導通する場合にも、第２スイッチ回路２３を導通する場合にも、トランジスタＴ３をオン状態にする必要がある。つまり、図３０に示す第１類型のタイミング図において、フェーズＰ１４で選択線ＳＥＬに高レベル電圧を印加し、トランジスタＴ３を導通させる必要がある。
【０２６７】
このとき、ケースＢの場合にはトランジスタＴ１が非導通であるため、第２スイッチ回路２３は非導通であり、ノードＮ１にはソース線ＳＬから第１スイッチ回路２２を介して第１電圧状態の電圧５Ｖが印加されるから問題はない。しかしながらケースＡの場合、トランジスタＴ１が導通しているため、第２スイッチ回路２３が導通する。これにより、内部ノードＮ１は、ソース線ＳＬからは第１スイッチ回路２２を介して第１電圧状態（５Ｖ）の電圧が与えられると共に、リファレンス線ＲＥＦからは第２スイッチ回路２３を介して第２電圧状態（０Ｖ）の電圧が与えられることとなる。これにより、両電圧が干渉し、内部ノードＮ１の電位を第１電圧状態（５Ｖ）に設定することができない。
【０２６８】
また、この問題に対処すべく、フェーズＰ１４の時点で、リファレンス線ＲＥＦの印加電圧を第１電圧状態（５Ｖ）に上昇させることで、ソース線ＳＬからもリファレンス線ＲＥＦからも５Ｖを与えれば、内部ノードＮ１の電位はケースＡ，Ｂ共に５Ｖにすることができる。しかしながら、このようにした場合、ケースＢにおいてトランジスタＴ２がノードＮ１からＮ２に向かって導通し、ノードＮ２の電位がトランジスタＴ２のゲート電位（５Ｖ）から閾値電圧分だけ低下した電圧値（３Ｖ）まで上昇してしまう。これにより、フェーズＰ１６において、リファレンス線ＲＥＦに第２電圧状態の電圧（０Ｖ）を印加すると、ケースＡ，Ｂ共にトランジスタＴ１が導通してしまい、この結果、両ケース共に内部ノードＮ１が０Ｖに下がってしまう。従って、このような方法も採用できない。
【０２６９】
以上により、本実施形態の方法では、第４類型の画素回路に対してセルフ極性反転動作を行うことができない。
【０２７０】
（第５類型）
図１６に示す第５類型の画素回路２Ｅの場合は、第２類型と同様、補助容量線ＣＳＬが電圧供給線ＶＳＬを兼ねている。一方、第１スイッチ回路２２と第２スイッチ回路２３でトランジスタＴ３を共有する点が、第２類型の画素回路２Ｂと異なる。
【０２７１】
第５類型の画素回路２Ｅの場合には、フェーズＰ１４において、第１スイッチ回路２２を介してソース線ＳＬから第１電圧状態の電圧５Ｖを両ケースＡ，ＢのノードＮ１に与えた後、フェーズＰ１６において、ケースＡについてのみ、電圧供給線ＶＳＬを兼ねた補助容量線ＣＳＬから第２スイッチ回路２３を介して第２電圧状態の電圧０Ｖを、ノードＮ１に与える必要がある。ここで、第５類型の場合、第１スイッチ回路２２を導通する場合にも、第２スイッチ回路２３を導通する場合にも、トランジスタＴ３をオン状態にする必要がある。つまり、図３１に示す第２類型のタイミング図において、フェーズＰ１４で選択線ＳＥＬに高レベル電圧を印加し、トランジスタＴ３を導通させる必要がある。
【０２７２】
しかし、この場合においても、第４類型と同様の問題が起こる。つまり、ケースＡの場合、トランジスタＴ１が導通しているため、フェーズＰ１４において第２スイッチ回路２３が導通してしまう。これにより、内部ノードＮ１は、ソース線ＳＬからは第１スイッチ回路２２を介して第１電圧状態（５Ｖ）の電圧が与えられると共に、補助容量線ＣＳＬからは第２スイッチ回路２３を介して第２電圧状態（０Ｖ）の電圧が与えられることとなる。これにより、両電圧が干渉し、内部ノードＮ１の電位を第１電圧状態（５Ｖ）に設定することができない。加えて、内部ノードＮ１の電位が変動してしまうため、補助容量線ＣＳＬの印加電圧を５Ｖに上昇させることもできない。
【０２７３】
以上により、本実施形態の方法では、第５類型の画素回路に対してセルフ極性反転動作を行うことができない。
【０２７４】
（第６類型）
図１７に示す第６類型の画素回路２Ｆの場合は、第３類型と同様、電圧供給線ＶＳＬが独立した信号線で構成されている。一方、第１スイッチ回路２２と第２スイッチ回路２３でトランジスタＴ３を共有する点が、第３類型の画素回路２Ｃと異なる。
【０２７５】
第６類型の画素回路２Ｆの場合には、フェーズＰ１４において、第１スイッチ回路２２を介してソース線ＳＬから第１電圧状態の電圧５Ｖを両ケースＡ，ＢのノードＮ１に与えた後、フェーズＰ１６において、ケースＡについてのみ、電圧供給線ＶＳＬから第２スイッチ回路２３を介して第２電圧状態の電圧０Ｖを、ノードＮ１に与える必要がある。ここで、第６類型の場合、第１スイッチ回路２２を導通する場合にも、第２スイッチ回路２３を導通する場合にも、トランジスタＴ３をオン状態にする必要がある。つまり、図３２に示す第３類型のタイミング図において、フェーズＰ１４で選択線ＳＥＬに高レベル電圧を印加し、トランジスタＴ３を導通させる必要がある。
【０２７６】
このとき、ケースＡにおいては、フェーズＰ１４で第１スイッチ回路２２と第２スイッチ回路２３の両者が導通する。しかし、本類型の場合、第４或いは第５類型とは異なり、電圧供給線ＶＳＬが独立した信号線であるため、この電圧を自由に制御することが可能である。従って、フェーズＰ１４において、電圧供給線ＶＳＬに第１電圧状態の電圧５Ｖを印加しておけば、ケースＡの場合にも内部ノードＮ１の電位Ｖ２０を第１電圧状態にすることができる。
【０２７７】
そして、フェーズＰ１５以後、電圧供給線ＶＳＬに第２電圧状態の０Ｖを与えておけば、第２スイッチ回路２３が導通したケースＡのみ、内部ノードＮ１の電位Ｖ２０が０Ｖに下がり、第２スイッチ回路２３が非導通であるケースＢは引き続き５Ｖを維持することができる。
【０２７８】
以上をまとめると、第６類型の画素回路においては、電圧供給線ＶＳＬをフェーズＰ１４で第１電圧状態（５Ｖ）とし、その後フェーズＰ１５で第２電圧状態（０Ｖ）とし、他の信号線は第３類型のタイミング図と同様の電圧にすることで、セルフ極性反転動作の実行が可能である。第６類型の画素回路のタイミング図を図３３に示す。
【０２７９】
＜２．グループＹ＞
次に、ブースト容量素子Ｃｂｓｔの第２端子に選択線ＳＥＬが接続される、グループＹに属する各画素回路についてのセルフ極性反転動作につき説明する。
【０２８０】
（第１類型）
図１８に示す画素回路２ａは、図８に示す画素回路２Ａと比較して、選択線ＳＥＬとブースト線ＢＳＴが共通化されている。ここで、図３０に示すグループＸの画素回路２Ａにおけるセルフ極性反転動作のタイミング図を見れば、選択線ＳＥＬとブースト線ＢＳＴは電圧パルスの立ち上がりタイミングが異なっている。従って、図３０のタイミング図をそのままグループＹの画素回路２ａに適用することはできない。以下、適宜図３０のタイミング図を参照しながら説明する。
【０２８１】
フェーズＰ１１では、ケースＡの出力ノードＮ１の突き上げを行う必要がある。このため、選択線ＳＥＬに高レベル電圧（１０Ｖ）を印加する必要がある。ケースＡの場合、この時点で、第２スイッチ回路２３が導通状態となる。なお、ケースＢの場合はトランジスタＴ１がオフ状態であるため、第２スイッチ回路２３は非導通である。
【０２８２】
その後、フェーズＰ１２でリファレンス線ＲＥＦを第２電圧状態（０Ｖ）に引き下げることで、トランジスタＴ２がオフ状態となり、それ以後出力ノードＮ２が内部ノードＮ１と電気的に切断される。このため、リファレンス線ＲＥＦの印加電圧を再び引き上げるまでの間、選択線ＳＥＬの印加電圧は高レベル（１０Ｖ）を維持する必要がある。なぜなら、もし選択線ＳＥＬの印加電圧を低下させてしまうと、出力ノードＮ２の電位が引き下げられてしまい、フェーズＰ１１で電位突き上げを行ったことが無意味化してしまうためである。言い換えれば、リファレンス線ＲＥＦの印加電圧を再び引き上げるまでの間、ケースＡでは第２スイッチ回路２３が導通状態を継続することとなる。
【０２８３】
ここで、フェーズＰ１４において、ケースＡ，Ｂ共に内部ノードＮ１の電位を第１電圧状態に移行させる必要がある。しかし、この時点では依然としてリファレンス線ＲＥＦには０Ｖを印加し続けることとなる。このため、ケースＡの場合、内部ノードＮ１は、ソース線ＳＬからは第１スイッチ回路２２を介して第１電圧状態（５Ｖ）の電圧が与えられると共に、リファレンス線ＲＥＦからは第２スイッチ回路２３を介して第２電圧状態（０Ｖ）の電圧が与えられることとなる。これにより、両電圧が干渉し、内部ノードＮ１の電位を第１電圧状態（５Ｖ）に設定することができない。
【０２８４】
そして、この時点でリファレンス線ＲＥＦを５Ｖに設定できないことについては、グループＸの第４類型において説明した通りである。
【０２８５】
以上により、本実施形態の方法では、グループＹの第１類型の画素回路２ａに対してセルフ極性反転動作を行うことができない。
【０２８６】
（第２類型）
図１９に示す画素回路２ｂは、図１１に示す画素回路２Ｂと比較して、選択線ＳＥＬとブースト線ＢＳＴが共通化されている。ここで、図３１に示すグループＸの画素回路２Ｂにおけるセルフ極性反転動作のタイミング図を見れば、選択線ＳＥＬとブースト線ＢＳＴは電圧パルスの立ち上がりタイミングが異なっている。従って、図３１のタイミング図をそのままグループＹの画素回路２ｂに適用することはできない。以下、適宜図３１のタイミング図を参照しながら説明する。
【０２８７】
フェーズＰ１１において選択線ＳＥＬに高レベル電圧（１０Ｖ）を印加後、リファレンス線ＲＥＦの電圧を再び引き上げるまでの間、選択線ＳＥＬの印加電圧を高レベルに維持する必要がある点は、グループＹの第１類型と同じである。
【０２８８】
一方、図３１に示したように、グループＸの第２類型の画素回路２Ｂでは、電圧供給線ＶＳＬを兼ねた補助容量線ＣＳＬから、第２電圧状態（０Ｖ）の電圧を内部ノードＮ１に供給する必要があるため、補助容量線ＣＳＬには０Ｖを印加し続ける必要があり、この点はグループＹの画素回路２ｂにおいても変わるところはない。
【０２８９】
つまり、フェーズＰ１４で、ケースＡ，Ｂ共に内部ノードＮ１の電位を第１電圧状態に移行させるべく、第１スイッチ回路２２を導通させた状態の下でソース線ＳＬに第１電圧状態の５Ｖを印加したとしても、補助容量線ＣＳＬには０Ｖが印加されている。このため、ケースＡの場合、内部ノードＮ１は、ソース線ＳＬからは第１スイッチ回路２２を介して第１電圧状態（５Ｖ）の電圧が与えられると共に、リファレンス線ＲＥＦからは第２スイッチ回路２３を介して第２電圧状態（０Ｖ）の電圧が与えられることとなる。これにより、両電圧が干渉し、内部ノードＮ１の電位を第１電圧状態（５Ｖ）に設定することができない。
【０２９０】
また、補助容量線ＣＳＬの電圧を変化させることができない点については、グループＸの第５類型において説明した通りである。
【０２９１】
以上により、本実施形態の方法では、グループＹの第２類型の画素回路２ｂに対してセルフ極性反転動作を行うことができない。
【０２９２】
（第３類型）
図２０に示す画素回路２ｃは、図１２に示す画素回路２Ｃと比較して、選択線ＳＥＬとブースト線ＢＳＴが共通化されている。ここで、図３２に示すグループＸの画素回路２Ｃにおけるセルフ極性反転動作のタイミング図を見れば、選択線ＳＥＬとブースト線ＢＳＴは電圧パルスの立ち上がりタイミングが異なっている。従って、図３２のタイミング図をそのままグループＹの画素回路２ｃに適用することはできない。以下、適宜図３２のタイミング図を参照しながら説明する。
【０２９３】
フェーズＰ１１において選択線ＳＥＬに高レベル電圧（１０Ｖ）を印加後、リファレンス線ＲＥＦの電圧を再び引き上げるまでの間、選択線ＳＥＬの印加電圧を高レベルに維持する必要がある点は、グループＹの第１類型と同じである。つまり、この間、ケースＡの第２スイッチ回路２３は導通状態を継続する。
【０２９４】
一方、図３２に示したように、グループＸの第３類型の画素回路２Ｃでは、電圧供給線ＶＳＬから、第２電圧状態（０Ｖ）の電圧を内部ノードＮ１に供給する必要があり、この点はグループＹの画素回路２ｃにおいても変わるところはない。
【０２９５】
ところで、画素回路２ｃにおいては、電圧供給線ＶＳＬが独立信号線であるため、他の信号線の電位の影響を受けることなく、その電圧値を制御することが可能である。従って、フェーズＰ１４において、両ケースＡ，Ｂ共に内部ノードＮ１の電位を第１電圧状態にするためには、この期間、電圧供給線ＶＳＬも第１電圧状態とすれば良い。そして、その後、ケースＡのみ内部ノードＮ１を第２電圧状態に移行させるべく、電圧供給線ＶＳＬを第２電圧状態に引き下げる。この電圧供給線ＶＳＬの制御内容は、グループＸの第６類型の画素回路２Ｆの場合と同じである（図３３参照）。
【０２９６】
このような制御を行うことで、グループＹの第３類型の画素回路２ｃに対しては、グループＸの第３類型の画素回路２Ｃと同様、セルフ極性反転の実行が可能である。このタイミング図を図３４に示す。なお、図３４では選択線ＳＥＬの印加電圧として、低レベル時に０Ｖ，高レベル時に１０Ｖとしているが、この値に限定されるものではない。すなわち、ＳＥＬに印加する電圧のうち、低レベル電圧値としては、トランジスタＴ３のゲートに与えることで、トランジスタＴ３を完全にオフにできるような範囲内であれば良い。また、高レベル電圧値としては、当該トランジスタの一方の端子に＋５Ｖが印加された状態下でオンにでき、且つケースＡの場合に出力ノードＮ２の電位が突き上げられることでトランジスタＴ１をオンにできるようなできるような範囲内であれば良い。
【０２９７】
（第４〜第５類型）
上述したように、グループＸに属する第４類型の画素回路２Ｄ及び第５類型の画素回路２Ｅは、本実施形態のセルフ極性反転動作を実行することができない。グループＹは、グループＸの各回路構成に対して、選択線ＳＥＬとブースト線ＢＳＴが共通化されており、グループＸよりも更に制約が加わる構成である。従って、同一類型において、グループＸに属する画素回路がセルフ極性反転動作を実行できない場合、当然にグループＹに属する画素回路についてもセルフ極性反転動作を実行することはできない。
【０２９８】
（第６類型）
図２３に示す画素回路２ｆは、図１７に示す画素回路２Ｆと比較して、選択線ＳＥＬとブースト線ＢＳＴが共通化されている。ここで、図３３に示すグループＸの画素回路２Ｆにおけるセルフ極性反転動作のタイミング図を見れば、選択線ＳＥＬとブースト線ＢＳＴは電圧パルスの立ち上がりタイミングが異なっている。従って、図３３のタイミング図をそのままグループＹの画素回路２ｆに適用することはできない。以下、適宜図３３のタイミング図を参照しながら説明する。
【０２９９】
フェーズＰ１１において選択線ＳＥＬに高レベル電圧（１０Ｖ）を印加後、リファレンス線ＲＥＦの電圧を再び引き上げるまでの間、選択線ＳＥＬの印加電圧を高レベルに維持する必要がある点は、グループＹの第１類型と同じである。つまり、この間、ケースＡの第２スイッチ回路２３は導通状態を継続する。
【０３００】
一方、図３３に示したように、グループＸの第６類型の画素回路２Ｆでは、電圧供給線ＶＳＬから、第２電圧状態（０Ｖ）の電圧を内部ノードＮ１に供給する必要があり、この点はグループＹの画素回路２ｆにおいても変わるところはない。
【０３０１】
そして、画素回路２ｆは、画素回路２Ｆと同様、電圧供給線ＶＳＬが独立信号線であるため、他の信号線の電位の影響を受けることなく、その電圧値を制御することが可能である。つまり、図３３に示すタイミング図と同様に、フェーズＰ１４において、両ケースＡ，Ｂ共に内部ノードＮ１の電位を第１電圧状態にするためには、この期間、電圧供給線ＶＳＬも第１電圧状態とすれば良い。そして、その後、電圧供給線ＶＳＬを第２電圧状態に引き下げることで、第２スイッチ回路２３が導通状態であるケースＡのみ、内部ノードＮ１が第２電圧状態（０Ｖ）に引き下げられる。
【０３０２】
このような制御を行うことで、グループＹの第６類型の画素回路２ｆに対しては、グループＸの第６類型の画素回路２Ｆと同様、セルフ極性反転の実行が可能である。なお、本類型のセルフ極性反転動作のタイミング図は、図３４に示したグループＹの第３類型のタイミング図と全く同一になるため、図示を割愛する。
【０３０３】
［第４実施形態］
第４実施形態では、第３実施形態とは異なるシーケンスに基づいてセルフ極性反転を行う場合につき図面を参照して説明する。なお、各信号線に対する電圧印加の制御を行う構成要素は、第３実施形態と同じである。
【０３０４】
第３実施形態と同様、セルフ極性反転動作の対象となる画素回路２に接続する全てのゲート線ＧＬ、ソース線ＳＬ、選択線ＳＥＬ、リファレンス線ＲＥＦ、補助容量線ＣＳＬ、ブースト線ＢＳＴ、及び対向電極８０には、全て同じタイミングで電圧印加が行われる。そして、同一タイミング下では、全てのゲート線ＧＬに対して同一電圧が印加され、全てのリファレンス線ＲＥＦに対して同一電圧が印加され、全ての補助容量線ＣＳＬに対して同一電圧が印加され、全てのブースト線ＢＳＴに対して同一電圧が印加される。
【０３０５】
＜１．グループＸ＞
まず、ブースト容量素子Ｃｂｓｔの第２端子にブースト線ＢＳＴが接続される、グループＸに属する各画素回路についてのセルフ極性反転動作につき説明する。
【０３０６】
（第１類型）
図８に示す第１類型の画素回路２Ａにおける、本実施形態の方法によるセルフ極性反転動作のタイミング図を図３５に示す。図３５に示すように、セルフ極性反転動作は、８つのフェーズＰ２０〜Ｐ２７に分解される。各フェーズの開始時刻をそれぞれｔ２０，ｔ２１，……，ｔ２７とする。図３５には、セルフ極性反転動作の対象となる画素回路２Ａに接続する全てのゲート線ＧＬ，ソース線ＳＬ，選択線ＳＥＬ，リファレンス線ＲＥＦ，補助容量線ＣＳＬ，ブースト線ＢＳＴの各電圧波形と、対向電圧Ｖｃｏｍの電圧波形を図示している。なお、本実施形態では、画素回路アレイの全画素回路が、セルフ極性反転動作の対象とする。
【０３０７】
《フェーズＰ２０》
時刻ｔ２０より開始されるフェーズＰ２０では、セルフ極性反転動作開始前の初期状態設定動作を行う。
【０３０８】
ゲート線ＧＬ，ソース線ＳＬ，選択線ＳＥＬ，ブースト線ＢＳＴ，補助容量線ＣＳＬの印加電圧、及び対向電圧Ｖｃｏｍは第３実施形態のフェーズＰ１０と同様にする。
【０３０９】
リファレンス線ＲＥＦには、内部ノードＮ１の電圧状態にかからわず、トランジスタＴ２が導通状態となるような電圧値を印加する。必然的に、第３実施形態のフェーズＰ１０よりも高い電圧となる。ここでは、８Ｖとする。これにより、ケースＡ，Ｂの双方において、トランジスタＴ２は導通状態を示す。
【０３１０】
これにより、ケースＡ，Ｂ双方において、ノードＮ１及びＮ２が同電位を示す。ケースＡでは両ノードが第１電圧状態を示し、ケースＢでは両ノードが第２電圧状態を示す。このとき、トランジスタＴ１はカットオフ状態を示す。
【０３１１】
《フェーズＰ２１》
時刻ｔ２１より開始されるフェーズＰ２１では、リファレンス線ＲＥＦを低レベル（０Ｖ）とし、各ケースＡ，Ｂ双方において、トランジスタＴ２をオフとする。これにより、両ケースＡ，Ｂともに、出力ノードＮ２が内部ノードＮ１から遮断される。
【０３１２】
《フェーズＰ２２》
時刻ｔ２２より開始されるフェーズＰ２２では、対向電圧Ｖｃｏｍを高レベル（５Ｖ）へシフトさせる。これにより、フェーズＰ１３と同様、ケースＡ，Ｂの双方において、画素電極２０の電位Ｖ２０はがそれぞれ約１Ｖ程度上昇する。一方、出力ノードＮ２については、トランジスタＴ２がオフ状態であるため対向電圧Ｖｃｏｍの上昇の影響を受けず、直前の電位が保持される。なお、このフェーズＰ２２が開始される時刻ｔ２２からフェーズＰ２５が開始されるｔ２５の直前までの間、時刻ｔ２０の時点と比べて液晶電圧Ｖｌｃの絶対値が異なる値となり、理論的には、この時点以後、表示される画像に変化が生じる。しかしながら、第３実施形態の場合と同様、最終的に極性反転が完了するまでの期間を短くすることで、当該表示状態の一時的な変化が短時間に抑えられ、人間の視覚には感知できない程度に、液晶電圧Ｖｌｃの平均値の変動が極めて微小となる。時刻ｔ２５以後においては、ケースＡ，Ｂの双方とも、液晶電圧Ｖｌｃの絶対値が時刻ｔ２１の直前と同一の値となる。
【０３１３】
《フェーズＰ２３》
時刻ｔ２３より開始されるフェーズＰ２３では、ゲート線ＧＬに高レベル電圧を印加し、トランジスタＴ４を導通させる。ここでは８Ｖとする。これにより、画素回路２Ａにおいて、第１スイッチ回路２２が導通する。
【０３１４】
そして、ソース線ＳＬの印加電圧を、第１電圧状態（５Ｖ）にシフトする。これにより、各ケースＡ，Ｂによらず、内部ノードＮ１の電位Ｖ２０を第１電圧状態に移行させる。なお、トランジスタＴ２が非導通であるため、ノードＮ２の電位ＶＮ２は依然としてフェーズＰ２２の状態を保持する。
【０３１５】
《フェーズＰ２４》
時刻ｔ２４より開始されるフェーズＰ２４では、ゲート線ＧＬに再び低レベル電圧を印加し、トランジスタＴ４を非導通とする。これにより、第１スイッチ回路２２が非導通状態となる。また、ソース線ＳＬの印加電圧を、第２電圧状態（０Ｖ）にシフトする。第１スイッチ回路２２が非導通であるため、内部ノードＮ１の電位はフェーズＰ２３の値を保持する。
【０３１６】
このとき、トランジスタＴ４が完全にオフ状態となることで、トランジスタＴ４のゲートと内部ノードＮ１との間の容量結合によって、内部ノードＮ１の第１電圧状態（５Ｖ）が変動する場合には、補助容量線ＣＳＬの電圧を調整し、第２容量素子Ｃ２を介した容量結合によって、内部ノードＮ１の当該電圧変動を補償するようにしても良い。セルフ極性反転動作の実行が可能な他の類型においても同様とする。
【０３１７】
《フェーズＰ２５》
時刻ｔ２５より開始されるフェーズＰ２５では、選択線ＳＥＬに、トランジスタＴ３が完全にオン状態となるような電圧を印加する。ここでは８Ｖとする。
【０３１８】
このとき、ケースＡの場合、出力ノードＮ２の電位ＶＮ２が約５Ｖであり、ソース線ＳＬには０Ｖが印加されているため、トランジスタＴ１がオン状態となる。すなわち、第２スイッチ回路２３が導通する。時刻ｔ２５の直前において内部ノードＮ１の電位Ｖ２０はほぼ５Ｖを示しており、リファレンス線ＲＥＦには０Ｖが印加されている。よって、内部ノードＮ１から第２スイッチ回路２３を介してリファレンス線ＲＥＦに向けて電流が発生する。これにより、内部ノードＮ１の電位Ｖ２０が第２電圧状態（０Ｖ）に遷移する。他方、ケースＢの場合は、ＶＮ２が約０Ｖであるため、トランジスタＴ１は依然としてオフ状態である。すなわち、第２スイッチ回路２３は非導通であり、内部ノードＮ１の電位は５Ｖのまま保持される。
【０３１９】
この時点で、ケースＡの場合には液晶電圧Ｖｌｃに−５Ｖが印加され、ケースＢの場合には±０Ｖが印加される。よって、極性反転が完了し、これ以後、表示される画像がセルフ極性反転動作の開始直前に表示されていた画像に復帰する。フェーズＰ２５以後は、このＶｌｃの絶対値は変化しないため、表示される画像に変化は生じない。
【０３２０】
《フェーズＰ２６》
時刻ｔ２６より開始されるフェーズＰ２６では、選択線ＳＥＬの印加電圧を低レベル（０Ｖ）に戻し、トランジスタＴ３を非導通状態とする。これによって、内部ノードＮ１がリファレンス線ＲＥＦから電気的に分離される。
【０３２１】
《フェーズＰ２７》
時刻ｔ２７より開始されるフェーズＰ２７では、ケースＡ，Ｂに関係なく、トランジスタＴ２が導通するような電圧をリファレンス線ＲＥＦに与える。ここでは８Ｖとする。
【０３２２】
これにより、ケースＡ，Ｂの双方において、ノードＮ１とＮ２が電気的に接続し、これらが同電位となる。内部ノードＮ１の方が出力ノードＮ２よりも寄生容量が大きいため、出力ノードＮ２の電位が内部ノードＮ１の電位に向けて変化する。すなわち、ケースＡではノードＮ２の電位Ｖ２０が第２電圧状態（０Ｖ）となり、ケースＢでは第１電圧状態（５Ｖ）となる。
【０３２３】
なお、第１類型の画素回路２Ａとして、トランジスタＴ１の一端を直接ソース線ＳＬに接続した図９の構成を採用した場合には、ノードＮ２に５Ｖが印加され、ソース線ＳＬに０Ｖが印加されるため、トランジスタＴ１においてゲート−ソース間に閾値電圧以上の電位差が生じることから、フェーズＰ２０において導通する。この状態は、フェーズＰ２４まで継続される。フェーズＰ２５以後においては、図８の画素回路と同様である。
【０３２４】
本実施形態の方法の場合、ブースト線ＢＳＴに高レベル電圧を印加してノードＮ２を突き上げることなく、セルフ極性反転動作を実行することができる。
【０３２５】
なお、フェーズＰ２３の間のみ第１スイッチ回路２２が導通しており、他のフェーズでは第１スイッチ回路２２は導通していない。このため、ソース線ＳＬは、各フェーズにわたって第１電圧状態（５Ｖ）を維持するものとしても良い。これは他の類型についても同様である。
【０３２６】
また、フェーズＰ２２の対向電圧Ｖｃｏｍの反転は、フェーズＰ２３におけるゲート線ＧＬへの高レベル電圧印加の終了前までに行えば良い。リファレンス線ＲＥＦの印加電圧を立ち下げた時刻ｔ２１以後、ゲート線ＧＬの印加電圧を立ち下げる時刻ｔ２４より前の間に、対向電圧Ｖｃｏｍを反転することができる。セルフ極性反転動作の実行が可能な以下の各類型においても同様である。
【０３２７】
（第２類型）
図１１に示す第２類型の画素回路２Ｂの場合、書き込み時に補助容量線ＣＳＬに対して０Ｖが印加されている場合において、セルフ極性反転動作の実行が可能である点は、第３実施形態の場合と同じである。
【０３２８】
第１類型で説明したように、セルフ極性反転動作では、第１スイッチ回路２２を介してソース線ＳＬから第１電圧状態の電圧５Ｖを両ケースＡ，ＢのノードＮ１に与えた後、ケースＡについてのみ、電圧供給線ＶＳＬを兼ねたリファレンス線ＲＥＦから第２スイッチ回路２３を介して第２電圧状態の電圧０Ｖを、ノードＮ１に与える必要がある。そして、第２類型では、ケースＡの場合のみ、第２電圧状態の電圧０Ｖを、電圧供給線ＶＳＬを兼ねた補助容量線ＣＳＬから第２スイッチ回路２３を介して内部ノードＮ１に与えれば良く、このためには、補助容量線ＣＳＬに０Ｖを印加する必要がある点においても、第３実施形態の場合と同じである。
【０３２９】
以上を踏まえれば、第２類型では、補助容量線ＣＳＬへの印加電圧が０Ｖに限定される点を除けば、第１類型で説明したフェーズＰ２０〜Ｐ２７と全く同一の電圧印加方法により、セルフ極性反転動作の実行が可能であることが分かる。従って、図３６に示す第２類型の画素回路におけるセルフ極性反転動作のタイミング図は、図３５に示す第１類型の場合と比較して、補助容量線ＣＳＬへの印加電圧が０Ｖに限定される点以外は同じである。図３６では、補助容量線ＣＳＬへの印加電圧として５Ｖを採用できないことを明示すべく、補助容量線ＣＳＬの印加電圧の欄に「０Ｖ（限定）」と表記している。
【０３３０】
なお、第３実施形態と同様、本類型の場合、フェーズＰ１５の時点で内部ノードＮ１の電圧状態の変動を補償すべく、補助容量線ＣＳＬの電圧調整を行う際には、ゲート線ＧＬに高レベル電圧を印加するフェーズＰ２３において、補助容量線ＣＳＬの電圧を、予め調整電圧分だけ逆方向に変位させておき、フェーズＰ２４の開始時（ｔ２４）に、０Ｖ（第２電圧状態）とすれば良い。
【０３３１】
（第３類型）
図１２に示す第３類型の画素回路２Ｃの場合、電圧供給線ＶＳＬが独立した信号線として設けられている。このため、第１スイッチ回路２２を介してソース線ＳＬから第１電圧状態の電圧５Ｖを両ケースＡ，ＢのノードＮ１に与えた後、ケースＡについてのみ、電圧供給線ＶＳＬから第２スイッチ回路２３を介して第２電圧状態の電圧０Ｖを、ノードＮ１に与えることで、セルフ極性反転動作が実現できる。
【０３３２】
従って、第１類型のフェーズＰ２５において、電圧供給線ＶＳＬに第２電圧状態（０Ｖ）の電圧を印加しておけば、第１類型で説明したフェーズＰ２０〜Ｐ２７と全く同一の電圧印加方法により、セルフ極性反転動作の実行が可能であることが分かる。図３７に、第３類型の画素回路によるセルフ極性反転動作のタイミング図を示す。図３７では、補助容量線ＣＳＬに０Ｖを印加した場合を図示しているが、直前の書き込み動作時において補助容量線ＣＳＬに５Ｖが印加されていれば、セルフ極性反転動作時においても引き続き５Ｖを印加すれば良い。また、図３７では電圧供給線ＶＳＬをフェーズＰ２０〜Ｐ２７にわたって第２電圧状態（０Ｖ）としたが、少なくともフェーズＰ２５において第２電圧状態であれば良い。
【０３３３】
なお、本類型の場合、電圧供給線ＶＳＬが独立しているため、フェーズＰ２３でトランジスタＴ３がオン状態であっても、この時点でＶＳＬに＋５Ｖを印加しておけば、内部ノードＮ１の電位を第１電圧状態にすることができる。これを踏まえれば、選択線ＳＥＬの立ち上がりタイミングを第３実施形態と同様に早めることが可能である。以下、この場合につき図３８を参照して説明する。
【０３３４】
リファレンス線ＲＥＦを０Ｖに落とす前に選択線ＳＥＬを８Ｖに立ち上げる。そして、この選択線ＳＥＬの立ち上げと共に電圧供給線ＶＳＬに５Ｖを印加する。このとき、トランジスタＴ３はオン状態となり、トランジスタＴ１の端子の内、内部ノードＮ１とは反対側の端子には５Ｖが印加される。しかし、ケースＢの場合は出力ノードＮ２の電位はほぼ０ＶであるためトランジスタＴ１はオフ状態であり、ケースＡの場合であっても出力ノードＮ２の電位はほぼ５Ｖであるため、閾値電圧以上の電圧がゲート−ソース間には与えられることがなく、やはりトランジスタＴ１はオフ状態である。
【０３３５】
そして、フェーズＰ２２でリファレンス線ＲＥＦを０Ｖとし、トランジスタＴ２をオフ状態とする。その後、上記実施形態と同様、対向電圧Ｖｃｏｍを高レベルにシフトさせた後（フェーズＰ２３）、ゲート線ＧＬを高レベルとすると共にソース線ＳＬに第１電圧状態の高レベル電圧を印加する（フェーズＰ２４）。これによって、両ケース共に内部ノードＮ１の電位Ｖ２０が第１電圧状態となる点は同じである。その後、フェーズＰ２５において、ゲート線ＧＬを低レベルにシフトし、ソース線ＳＬの印加電圧を第２電圧状態にシフトする。
【０３３６】
そして、フェーズＰ２５において電圧供給線ＶＳＬを第２電圧状態（０Ｖ）にシフトする。この時点で、選択線ＳＥＬは既に高レベルであるため、図３７のタイミング図におけるフェーズＰ２５と同じ電圧状態となる。すなわち、ケースＡの場合にのみトランジスタＴ１が導通し、内部ノードＮ１の電位が第２電圧状態に低下する。一方、ケースＢの場合には出力ノードＮ２の電位が低いためトランジスタＴ１は依然として非導通であるため、内部ノードＮ１の電位は引き続き第１電圧状態が維持される。
【０３３７】
その後は、図３７のタイミング図と同じ電圧供給状態とすれば良い。すなわち、フェーズＰ２６で選択線ＳＥＬを低レベルにシフトさせてトランジスタＴ３をオフにした後、フェーズＰ２７でリファレンス線ＲＥＦを高レベルにシフトしてトランジスタＴ２をオンにする。これにより、内部ノードＮ１の電位Ｖ２０が出力ノードＮ２に現れる。
【０３３８】
このように、本類型のように電圧供給線ＶＳＬが独立して存在する場合には、トランジスタＴ４を介して内部ノードＮ１を第１電圧状態とする際に、電圧供給線ＶＳＬを第１電圧状態とすることができるため、ゲート線ＧＬを高レベルにシフトする前段階で選択線ＳＥＬを高レベルにシフトさせることが可能である。
【０３３９】
（第４〜第５類型）
第３実施形態と同様の理由により、図１５に示す第４類型の画素回路２Ｄ、及び図１６に示す第５類型の画素回路２Ｅに対しては、本実施形態のセルフ極性反転動作を実行することができない。
【０３４０】
（第６類型）
図１７に示す第６類型の画素回路２Ｆの場合は、フェーズＰ２３において、第１スイッチ回路２２を介してソース線ＳＬから第１電圧状態の電圧５Ｖを両ケースＡ，ＢのノードＮ１に与えた後、フェーズＰ２５において、ケースＡについてのみ、電圧供給線ＶＳＬから第２スイッチ回路２３を介して第２電圧状態の電圧０Ｖを、ノードＮ１に与える必要がある。ここで、第６類型の場合、第１スイッチ回路２２を導通する場合にも、第２スイッチ回路２３を導通する場合にも、トランジスタＴ３をオン状態にする必要がある。つまり、図３７に示す第３類型のタイミング図において、フェーズＰ２３で選択線ＳＥＬに高レベル電圧を印加し、トランジスタＴ３を導通させる必要がある。
【０３４１】
このとき、ケースＡにおいては、フェーズＰ２３で第１スイッチ回路２２と第２スイッチ回路２３の両者が導通するが、電圧供給線ＶＳＬに第１電圧状態の電圧５Ｖを印加しておけば、ケースＡの場合にも内部ノードＮ１の電位Ｖ２０を第１電圧状態にすることができる。そして、フェーズＰ２５以後、電圧供給線ＶＳＬに第２電圧状態の０Ｖを与えておけば、第２スイッチ回路２３が導通したケースＡのみ、内部ノードＮ１の電位Ｖ２０が０Ｖに下がり、第２スイッチ回路２３が非導通であるケースＢは引き続き５Ｖを維持することができる。
【０３４２】
以上をまとめると、第６類型の画素回路においては、電圧供給線ＶＳＬをフェーズＰ２３で第１電圧状態（５Ｖ）とし、その後フェーズＰ２５で第２電圧状態（０Ｖ）とし、他の信号線は第３類型のタイミング図と同様の電圧にすることで、セルフ極性反転動作の実行が可能である。第６類型の画素回路のタイミング図を図３９に示す。
【０３４３】
なお、図３９を見れば、ゲート線ＧＬを高レベルにシフトさせる際に選択線ＳＥＬに８Ｖ（高レベル電圧）が印加されており、トランジスタＴ３が導通している。従って、図３８に示した第３類型と全く同様の電圧印加方法によって、本類型でもセルフ極性反転動作を実行することが可能であることが分かる。タイミング図は図３８と同じであるため割愛する。
【０３４４】
＜２．グループＹ＞
次に、ブースト容量素子Ｃｂｓｔの第２端子に選択線ＳＥＬが接続される、グループＹに属する各画素回路についてのセルフ極性反転動作につき説明する。
【０３４５】
（第１，第２，第４，第５類型、）
まず、図１８に示すグループＹの第１類型の画素回路２ａの動作について、図３５に示すグループＸの第１類型の画素回路のタイミング図を参照して説明する。上述したように、本実施形態では、フェーズＰ２５の時点で選択線ＳＥＬを高レベル電圧にシフトさせ、トランジスタＴ３を導通させる必要がある。
【０３４６】
ここで、フェーズＰ２５の時点では、リファレンス線ＲＥＦは０Ｖが印加されており、トランジスタＴ２が非導通である。
【０３４７】
従って、グループＹの第１類型の画素回路２ａに対し、フェーズＰ２５と同じ電圧状態とした場合、ケースＡ，Ｂ共に選択線ＳＥＬの電圧上昇に起因して出力ノードＮ２の電位が突き上げられる。この結果、双方のケースにおいてトランジスタＴ１がオン状態を示し、第２スイッチ回路２３が導通する。
【０３４８】
従って、フェーズＰ２５においてケースＡ，Ｂ共に内部ノードＮ１が第２電圧状態（０Ｖ）に移行してしまい、セルフ極性反転動作が実行されない。
【０３４９】
そして、上記の説明は、第２，第４，第５類型の画素回路２ｂ，２ｄ，２ｅにおいても当てはまる。つまり、本実施形態の方法では、グループＹの第１，第２，第４，第５類型の各画素回路に対するセルフ極性反転動作を実行することができない。
【０３５０】
（第３，第６類型）
第３類型の画素回路２ｃの場合、グループＸの第３類型の画素回路２Ｃの場合の電圧印加方法のうち、図３８に示した方法を利用してセルフ極性反転を行うことが可能である。
【０３５１】
すなわち、フェーズＰ２０でリファレンス線ＲＥＦに８Ｖを印加してトランジスタＴ２を導通させた後、フェーズＰ２１で選択線ＳＥＬに高レベル電圧を印加すると共に電圧供給線ＶＳＬに５Ｖを印加する。本類型の画素２ｃは、選択線ＳＥＬが第１容量素子Ｃｂｓｔの一端に接続されているが、ケースＡ，Ｂの双方共にトランジスタＴ２が導通しているため、選択線ＳＥＬの電圧レベルが上昇しても出力ノードＮ２の電位はほとんど上昇しない。また、このとき、トランジスタＴ３はオン状態となり、トランジスタＴ１の端子の内、内部ノードＮ１とは反対側の端子には５Ｖが印加される。しかし、ケースＢの場合は出力ノードＮ２の電位はほぼ０ＶであるためトランジスタＴ１はオフ状態であり、ケースＡの場合であっても出力ノードＮ２の電位はほぼ５Ｖであるため、閾値電圧以上の電圧がゲート−ソース間には与えられることがなく、やはりトランジスタＴ１はオフ状態である。なお、ケースＡの場合、閾値電圧の値によっては、トランジスタＴ１がオン状態となる可能性も考えられるが、この場合には、内部ノードＮ１に第１電圧状態の電圧が印加されることで、第１電圧状態にセルフリフレッシュされるだけであり、問題はない。
【０３５２】
そして、フェーズＰ２２でリファレンス線ＲＥＦを０Ｖとし、トランジスタＴ２をオフ状態とする。その後、対向電圧Ｖｃｏｍを高レベルにシフトさせた後（フェーズＰ２３）、ゲート線ＧＬを高レベルとすると共にソース線ＳＬに第１電圧状態の高レベル電圧を印加する（フェーズＰ２４）。これによって、両ケース共に内部ノードＮ１の電位Ｖ２０が第１電圧状態となる。その後、フェーズＰ２５において、ゲート線ＧＬを低レベルにシフトし、ソース線ＳＬの印加電圧を第２電圧状態にシフトする。
【０３５３】
そして、フェーズＰ２５において電圧供給線ＶＳＬを第２電圧状態（０Ｖ）にシフトする。この時点で、選択線ＳＥＬは既に高レベルであるため、ケースＡの場合にのみトランジスタＴ１が導通し、内部ノードＮ１の電位が第２電圧状態に低下する。一方、ケースＢの場合には出力ノードＮ２の電位が低いためトランジスタＴ１は依然として非導通であるため、内部ノードＮ１の電位は引き続き第１電圧状態が維持される。
【０３５４】
その後、リファレンス線ＲＥＦを高レベルにし、フェーズＰ２６でリファレンス線ＲＥＦを高レベルにシフトしてトランジスタＴ２をオンにする。これにより、内部ノードＮ１の電位Ｖ２０が出力ノードＮ２に現れる。
【０３５５】
フェーズＰ２６でトランジスタＴ２をオンにした後、フェーズＰ２７で選択線ＳＥＬを低レベルにシフトさせる。このようにすることで、ノードＮ２への電位変動の影響はほとんどない。このような手順で電圧印加を行うことで、セルフ極性反転動作が実行される。このタイミング図を図４０に示す。
【０３５６】
なお、図４０によれば、ゲート線ＧＬを高レベルにシフトさせる際に選択線ＳＥＬに８Ｖ（高レベル電圧）が印加されており、トランジスタＴ３が導通している。従って、同様の電圧印加方法によって、第６類型の画素回路２ｆに対してもセルフ極性反転動作を実行することが可能であることが分かる。タイミング図は図４０と同じであるため割愛する。
【０３５７】
［第５実施形態］
第５実施形態では、常時表示モードにおける書き込み動作につき、各類型毎に図面を参照して説明する。
【０３５８】
常時表示モードにおける書き込み動作では、１フレーム分の画素データを水平方向（行方向）の表示ライン毎に分割し、１水平期間毎に、各列のソース線ＳＬに１表示ライン分の各画素データに対応した２値の電圧、すなわち高レベル電圧（５Ｖ）又は低レベル電圧（０Ｖ）を印加する。そして、選択された表示ライン（選択行）のゲート線ＧＬに選択行電圧８Ｖを印加して、当該選択行の全ての画素回路２の第１スイッチ回路２２を導通状態にして、各列のソース線ＳＬの電圧を、選択行の各画素回路２の内部ノードＮ１に転送する。
【０３５９】
選択された表示ライン以外（非選択行）のゲート線ＧＬには、当該選択行の全ての画素回路２の第１スイッチ回路２２を非導通状態にするため、非選択行電圧−５Ｖを印加する。なお、以下に説明する書き込み動作における各信号線の電圧印加のタイミング制御は、表示制御回路１１によって行われ、個々の電圧印加は、表示制御回路１１、対向電極駆動回路１２、ソースドライバ１３、ゲートドライバ１４によって行われる。
【０３６０】
＜１．グループＸ＞
まず、トランジスタＴ３の制御端子にブースト線ＢＳＴが接続される、グループＸに属する各画素回路についての常時表示モードにおける書き込み動作につき説明する。
【０３６１】
（第１類型）
図４１に、第１類型の画素回路２Ａ（図８）を使用した書き込み動作のタイミング図を示す。図４１では、１フレーム期間における２本のゲート線ＧＬ１，ＧＬ２、２本のソース線ＳＬ１，ＳＬ２、選択線ＳＥＬ、リファレンス線ＲＥＦ、補助容量線ＣＳＬ、ブースト線ＢＳＴの各電圧波形と、対向電圧Ｖｃｏｍの電圧波形を図示している。更に、図４１では、２つの画素回路２Ａの内部ノードＮ１の画素電圧Ｖ２０の各電圧波形を合わせて表示している。２つの画素回路２Ａの一方は、ゲート線ＧＬ１とソース線ＳＬ１で選択される画素回路２Ａ（ａ）で、他方は、ゲート線ＧＬ１とソース線ＳＬ２で選択される画素回路２Ａ（ｂ）で、図中の画素電圧Ｖ２０の後ろに、それぞれ（ａ）と（ｂ）を付して区別している。
【０３６２】
１フレーム期間は、ゲート線ＧＬの本数分の水平期間に分割され、各水平期間に選択されるゲート線ＧＬ１〜ＧＬｎが順番に割り当てられている。図４１では、最初の２水平期間における２本のゲート線ＧＬ１，ＧＬ２の電圧変化を図示している。第１水平期間では、ゲート線ＧＬ１に選択行電圧８Ｖが、ゲート線ＧＬ２に非選択行電圧−５Ｖが印加され、第２水平期間では、ゲート線ＧＬ２に選択行電圧８Ｖが、ゲート線ＧＬ１に非選択行電圧−５Ｖが印加され、それ以後の水平期間では、両ゲート線ＧＬ１，ＧＬ２に非選択行電圧−５Ｖが印加される。
【０３６３】
各列のソース線ＳＬには、水平期間毎に対応する表示ラインの画素データに対応した電圧（５Ｖ，０Ｖ）が印加されている。図４１では、各ソース線ＳＬを代表して２本のソース線ＳＬ１，ＳＬ２を図示している。なお、図４１に示す例では、画素電圧Ｖ２０の変化を説明するため、最初の１水平期間の２本のソース線ＳＬ１，ＳＬ２の電圧を５Ｖと０Ｖに分けて設定している。
【０３６４】
第１類型の画素回路２Ａは、第１スイッチ回路２２がトランジスタＴ４だけで構成されているので、第１スイッチ回路２２の導通非導通の制御は、トランジスタＴ４だけのオンオフ制御で十分である。また、第２スイッチ回路２３は、書き込み動作では導通状態にする必要がなく、非選択行の画素回路２Ａで第２スイッチ回路２３が導通状態となるのを防止すために、１フレーム期間の間、全ての画素回路２Ａに接続する選択線ＳＥＬに非選択用電圧０Ｖ（−５Ｖでも良い）を印加する。なお、ブースト線ＢＳＴにも選択線ＳＥＬと同一の電圧を印加する。
【０３６５】
また、リファレンス線ＲＥＦには、１フレーム期間の間、トランジスタＴ２を内部ノードＮ１の電圧状態に関係なく常時オン状態とするために、高レベルの電圧（５Ｖ）より閾値電圧（２Ｖ程度）以上高い８Ｖを印加する。これにより、出力ノードＮ２と内部ノードＮ１が電気的に接続され、内部ノードＮ１に接続する補助容量素子Ｃｓを画素電圧Ｖ２０の保持に利用することができ、画素電圧Ｖ２０の安定化に資する。また、補助容量線ＣＳＬは所定の固定電圧（例えば、０Ｖ）に固定する。対向電圧Ｖｃｏｍは、上述した対向ＡＣ駆動がなされるが、１フレーム期間の間は０Ｖ又は５Ｖに固定される。図４１では、対向電圧Ｖｃｏｍは０Ｖに固定されている。
【０３６６】
（第２，第３類型）
図４１に示した、第１類型の画素回路２Ａにおける書き込み動作のタイミング図を見れば、１フレーム期間にわたって選択線ＳＥＬには常に低レベル電圧が印加されている。つまり、第２スイッチ回路２３は常に非導通である。
【０３６７】
従って、第２スイッチ回路２３の一端が補助容量線ＣＳＬに接続する第２類型の画素回路２Ｂや、電圧供給線ＶＳＬに接続する第３類型においても、第１類型のタイミング図と同様の電圧印加により書き込み動作が可能である。なお、第３類型の場合、電圧供給線ＶＳＬへの印加電圧は、０Ｖとすれば良い。
【０３６８】
また、第３類型の場合、電圧供給線ＶＳＬに５Ｖ（第１電圧状態）を印加することで、選択線ＳＥＬに０Ｖを印加して、トランジスタＴ３をオフ状態としなくても、トランジスタＴ１の制御端子の電圧が内部ノードＮ１と同電圧であるので、ダイオード接続状態のトランジスタＴ１が逆バイアス状態（オフ状態）となり、第２スイッチ回路２３が非導通状態となる。
【０３６９】
（第４類型）
図１３に示す第４類型の画素回路２Ｄは、第１スイッチ回路２２がトランジスタＴ４とトランジスタＴ３の直列回路で構成されるため、書き込み時には、トランジスタＴ４のみならずＴ３をも導通させる必要がある。この点で、第１類型の画素回路とは異なるシーケンスとなる。
【０３７０】
図４２に、第４類型の画素回路２Ｄを使用した書き込み動作のタイミング図を示す。図４２では、２本の選択線ＳＥＬ１，ＳＥＬ２を図示している点以外は、図４１と図示している項目は共通する。
【０３７１】
ゲート線ＧＬ（ＧＬ１，ＧＬ２）、及び、ソース線ＳＬ（ＳＬ１，ＳＬ２）の電圧印加タイミング及び電圧振幅は、図４１と全く同じである。
【０３７２】
画素回路２Ｄでは、第１スイッチ回路２２が、トランジスタＴ４とトランジスタＴ３の直列回路で構成されているので、第１スイッチ回路２２の導通／非導通を制御するに際しては、トランジスタＴ４のオンオフ制御に加え、トランジスタＴ３のオンオフ制御が必要となる。従って、本類型では、全ての選択線ＳＥＬを一括して制御するのではなく、ゲート線ＧＬと同様に、行単位に個別に制御する必要がある。つまり、選択線ＳＥＬは行毎に１本ずつ、ゲート線ＧＬ１〜ＧＬｎと同数設けられ、ゲート線ＧＬ１〜ＧＬｎと同様に順番に選択される。
【０３７３】
図４２では、最初の２水平期間における２本の選択線ＳＥＬ１，ＳＥＬ２の電圧変化を図示している。第１水平期間では、選択線ＳＥＬ１に選択用電圧８Ｖが、選択線ＳＥＬ２に非選択用電圧−５Ｖが印加され、第２水平期間では、選択線ＳＥＬ２に選択用電圧８Ｖが、選択線ＳＥＬ１に非選択用電圧−５Ｖが印加され、それ以後の水平期間では、両選択線ＳＥＬ１，ＳＥＬ２に非選択用電圧−５Ｖが印加される。
【０３７４】
リファレンス線ＲＥＦ、補助容量線ＣＳＬ、ブースト線ＢＳＴへの印加電圧、並びに対向電圧Ｖｃｏｍについては、図４１に示す第１類型と同じである。なお、非選択行において、第１スイッチ回路２２を非導通状態とする場合、トランジスタＴ４が完全にオフ状態となっているので、トランジスタＴ３をオフにするための選択線ＳＥＬの非選択用電圧は、−５Ｖでなく０Ｖでも良い。
【０３７５】
なお、本類型の画素回路の場合、書き込み時にトランジスタＴ３が導通するが、リファレンス線ＲＥＦに８Ｖが印加されているため、内部ノードＮ１が第１電圧状態であってもトランジスタＴ１がリファレンス線ＲＥＦからトランジスタＴ３に向かう方向に導通することはない。このため、リファレンス線ＲＥＦに印加された８Ｖが、第２スイッチ回路２３を介して内部ノードＮ１に与えられるということはなく、ノードＮ１にはソース線ＳＬに与えられた正しい書き込み電圧が与えられる。
【０３７６】
（第５類型）
図１６に示す第５類型の画素回路２Ｅにおいても、第４類型の場合と同様、選択線ＳＥＬを一括して制御するのではなく、ゲート線ＧＬと同様に、行単位に個別に制御する必要がある。つまり、選択線ＳＥＬは行毎に１本ずつ、ゲート線ＧＬ１〜ＧＬｎと同数設けられ、ゲート線ＧＬ１〜ＧＬｎと同様に順番に選択される。
【０３７７】
そして、本類型の構成の場合、書き込み時にトランジスタＴ３が導通するため、第２スイッチ回路２３が導通することで内部ノードＮ１の電位Ｖ２０が変動しないように、補助容量線ＣＳＬには５Ｖを与えておく必要がある。その他は第４類型の画素回路２Ｄと同様の電圧印加方法によって書き込み動作が可能である。
【０３７８】
（第６類型）
図１７に示す第６類型の画素回路２Ｆにおいても、第４類型の場合と同様、選択線ＳＥＬを一括して制御するのではなく、ゲート線ＧＬと同様に、行単位に個別に制御する必要がある。つまり、選択線ＳＥＬは行毎に１本ずつ、ゲート線ＧＬ１〜ＧＬｎと同数設けられ、ゲート線ＧＬ１〜ＧＬｎと同様に順番に選択される。
【０３７９】
本類型の構成の場合、書き込み時にトランジスタＴ３が導通する可能性がある。つまり、仮に、書き込み動作中に、同時に導通状態となっている第１スイッチ回路２２と第２スイッチ回路２３の各一端に接続するソース線ＳＬと電圧供給線ＶＳＬの電圧に差があれば、ソース線ＳＬと電圧供給線ＶＳＬ間に電流経路が発生し、その中間に位置するノードの電圧が変動し、内部ノードＮ１に正確な画素電圧Ｖ２０が書き込まれない可能性がある。
【０３８０】
このため、電圧供給線ＶＳＬが、ソース線ＳＬと平行に縦方向（列方向）に延伸し、列単位に個別に駆動可能に設けられている場合には、第２スイッチ回路２３の一端に接続する電圧供給線ＶＳＬを、対となる第１スイッチ回路２２の一端に接続するソース線ＳＬと同電圧にする駆動することで、ソース線ＳＬと電圧供給線ＶＳＬの電位差を生じなくすることで、上記問題を解決する方法がある。
【０３８１】
また、上記方法とは別に、選択行の第１スイッチ回路２２を非導通にすることで上記問題を解決する駆動方法がある。
【０３８２】
リファレンス線ＲＥＦに８Ｖが印加され、トランジスタＴ２がオン状態であるため、トランジスタＴ１の制御端子の電圧が内部ノードＮ１と同電圧である。従って、電圧供給線ＶＳＬに５Ｖ（第１電圧状態）を印加することにより、ダイオード接続状態のトランジスタＴ１が逆バイアス状態（オフ状態）となり、選択行の第１スイッチ回路２２を非導通状態にすることができる。この方法によれば、電圧供給線ＶＳＬをソース線ＳＬと同電圧に駆動する必要がないため、電圧供給線ＶＳＬをゲート線ＧＬと平行に横方向（行方向）に延伸させる回路構成においても、書き込み動作が可能である。
【０３８３】
＜２．グループＹ＞
次に、ブースト容量素子Ｃｂｓｔの第２端子に選択線ＳＥＬが接続される、グループＹに属する各画素回路についての常時表示モードにおける書き込み動作につき説明する。
【０３８４】
（第１〜第３類型）
図４１に示したグループＸの第１類型の画素回路２Ａにおける書き込み動作のタイミング図を見れば、１フレーム期間にわたって選択線ＳＥＬには常に低レベル電圧が印加されている。つまり、第２スイッチ回路２３は常に非導通であり、更にはブースト容量素子Ｃｂｓｔの一端に与えられる電圧も変化しない。
【０３８５】
従って、グループＹの第１〜第３類型の画素回路２ａ，２ｂ，２ｃにおいても、グループＸの第１類型のタイミング図と同様の電圧印加により書き込み動作が可能である。なお、第３類型の場合、電圧供給線ＶＳＬへの印加電圧は、固定電圧とすれば良い。ここでは、ダイオード接続を形成するトランジスタＴ１が逆バイアス状態となるよう、例えば５Ｖを印加しておくのが良い。
【０３８６】
（第４〜第６類型）
図４２に示したグループＸの第４類型の画素回路２Ｄにおける書き込み動作のタイミング図を見れば、選択行には選択線ＳＥＬに高レベル電圧が印加され、非選択行には低レベル電圧が印加される。
【０３８７】
ここで、グループＹの第４類型の画素回路２ｄの場合、選択線ＳＥＬに高レベル電圧が印加されると、ブースト容量素子Ｃｂｓｔの一端に与えられる電圧もこれに伴って上昇する。しかしながら、書き込み動作時においてリファレンス線ＲＥＦには高レベル電圧（８Ｖ）が与えられ、トランジスタＴ２がオン状態である。よって、寄生容量の大きいノードＮ１がノードＮ２と電気的に接続するため、ノードＮ２の電位はほとんど上昇しない。従って、選択線ＳＥＬの電圧変動が回路動作に与える影響はなく、グループＸの第４類型の画素回路２Ｄと同様の電圧印加方法によって書き込み動作を行うことができる。第５〜第６類型においても、グループＸの第５〜第６類型と同様の電圧印加によって書き込み動作が実現できる。
【０３８８】
［第６実施形態］
第６実施形態では、常時表示モードにおけるセルフリフレッシュ動作と書き込み動作の関係について説明する。
【０３８９】
常時表示モードでは、１フレーム分の画像データに対して書き込み動作を実行した後、一定期間は書き込み動作を行わずに、直前に行われた書き込み動作によって得られる表示内容を維持させる。
【０３９０】
書き込み動作によって、ソース線ＳＬを介して各画素内の画素電極２０に電圧が与えられる。その後、ゲート線ＧＬが低レベルとなり、トランジスタＴ４が非導通状態となる。しかし、直前の書き込み動作によって画素電極２０に蓄積された電荷の存在により画素電極２０の電位が保持される。すなわち、画素電極２０と対向電極８０との間には電圧Ｖｌｃが維持される。これにより、書き込み動作が完了した後においても、液晶容量Ｃｌｃ両端に対して画像データの表示に必要な電圧が印加された状態が継続する。
【０３９１】
対向電極８０の電位が固定されている場合、液晶電圧Ｖｌｃは画素電極２０の電位に依存する。この電位は、画素回路２内のトランジスタのリーク電流の発生に伴って、時間経過と共に変動する。例えば、ソース線ＳＬの電位が内部ノードＮ１の電位より低い場合には、内部ノードＮ１からソース線ＳＬに向かうリーク電流が生じ、画素電圧Ｖ２０は経時的に減少する。逆に、ソース線ＳＬの電位が内部ノードＮ１の電位より高い場合には、ソース線ＳＬから内部ノードＮ１に向かうリーク電流が生じ、画素電極２０の電位が経時的に増加する。つまり、外部からの書き込み動作を行うことなく時間が経過すると、液晶電圧Ｖｌｃが徐々に変化していき、この結果、表示画像も変化してしまう。
【０３９２】
通常表示モードの場合、静止画像であっても１フレーム毎に全ての画素回路２に対して書き込み動作を実行する。従って、画素電極２０に蓄積された電荷量は１フレーム期間だけ維持できれば良い。高々１フレーム期間内における画素電極２０の電位変動量はごくわずかであるため、この間の電位変動は、表示される画像データに対して視覚的に確認できる程度の影響を与えるものではない。このため、通常表示モードでは、画素電極２０の電位変動はあまり問題とはならない。
【０３９３】
これに対し、常時表示モードでは、１フレーム毎に書き込み動作を実行する構成ではない。従って、対向電極８０の電位が固定されている間、場合によって数フレームにわたって画素電極２０の電位を保持する必要がある。しかし、数フレーム期間にわたって書き込み動作を行わずに放置しておくと、前述したリーク電流の発生によって画素電極２０の電位は断続的に変動する。この結果、表示される画像データが、視覚的に確認できる程度に変化するおそれもある。
【０３９４】
このような現象が生じるのを避けるべく、常時表示モードでは、図４３のフローチャートに示す要領で、セルフ極性反転動作と書き込み動作を組み合わせて実行することで、画素電極の電位変動を抑制しながらも大幅な電力消費の低減を図る。
【０３９５】
まず、常時表示モードにおける１フレーム分の画素データの書き込み動作を、第５実施形態で上述した要領で実行する（ステップ＃１）。
【０３９６】
ステップ＃１の書き込み動作後、第２実施形態で上述した要領によりセルフリフレッシュ動作を実行する（ステップ＃２）。セルフリフレッシュ動作は、パルス電圧を印加するフェーズＰ１と、待機するフェーズＰ２で実現される。
【０３９７】
ここで、セルフリフレッシュ動作期間のフェーズＰ２の期間中に、新たな画素データの書き込み動作（データ書き換え）、外部リフレッシュ動作、又は外部極性反転動作の要求を受け取ると（ステップ＃３のＹＥＳ）、ステップ＃１に戻り、新たな画素データ又は従前の画素データの書き込み動作を実行する。上記フェーズＰ２の期間中に、当該要求を受け取らない場合（ステップ＃３のＮＯ）は、ステップ＃２に戻り再びセルフリフレッシュ動作を実行する。これにより、リーク電流の影響による表示画像の変化を抑制することができる。
【０３９８】
セルフリフレッシュ動作を行なわずに、書き込み動作によってリフレッシュ動作を行うとすると、上述の数１に示す関係式で表わされる消費電力となるが、同じリフレッシュレートでセルフリフレッシュ動作を繰り返す場合は、全てのソース線電圧の駆動回数が１回であるため、数１中の変数ｍが１となり、表示解像度（画素数）としてＶＧＡを想定すると、ｍ＝１９２０、ｎ＝４８０であるので、図１、３〜５のように電圧供給線を構成する信号線がゲート線ＧＬと平行に形成されているとすれば、１９２０分の１程度の消費電力の低減が期待される。
【０３９９】
本実施形態において、セルフリフレッシュ動作と、外部リフレッシュ動作又は外部極性反転動作を併用する理由は、仮に、当初正常に動作していた画素回路２であっても、経年変化により、第２スイッチ回路２３又は制御回路２４に不具合が生じ、書き込み動作は支障なく実施できるが、セルフリフレッシュ動作を正常に実行できない状態が、一部の画素回路２に発生する場合に対処するためである。つまり、セルフリフレッシュ動作だけに依存すると、当該一部の画素回路２の表示に劣化が現れ、それが固定されるが、外部極性反転動作を併用することで、当該表示欠陥の固定化を防止することができる。
【０４００】
なお、第２類型の画素回路（２Ｂ，２ｂ）の場合、本実施形態のフローを実現するためには、ステップ＃１において補助容量線ＣＳＬを５Ｖにして書き込み動作を実行する必要がある点は第２実施形態で上述した。
【０４０１】
［第７実施形態］
第７実施形態では、常時表示モードにおけるセルフ極性反転動作と書き込み動作の関係について説明する。
【０４０２】
常時表示モードでは、書き込み動作は、１フレーム毎には実行せず、所定数のフレーム期間を経過して、間欠的に書き込み動作が実行される。その間、全ての画素回路２Ａは非選択状態となって、全てのゲート線ＧＬには、非選択行電圧−５Ｖが印加され、全ての選択線ＳＥＬにも非選択用電圧−５Ｖが印加され、第１スイッチ回路２２及び第２スイッチ回路２３は、共に非導通状態となり、内部ノードＮ１はソース線ＳＬと電気的に分離される。
【０４０３】
しかしながら、上述したように、内部ノードＮ１に接続するトランジスタＴ４等のオフ時のリーク電流により、内部ノードＮ１の画素電圧Ｖ２０は緩やかに変化する。従って、書き込み動作を停止しているフレーム期間の間隔が長くなると、液晶電圧Ｖｌｃの変動によって表示画像に変化が生じる。当該変化が視覚上の許容限度を超える前に、再書き込み動作を行う必要がある。同じ表示画像に対して、再書き込み動作を行う場合は、対向電圧Ｖｃｏｍの電圧値を高レベル（５Ｖ）と低レベル（０Ｖ）の間で反転させ、ソース線ＳＬに印加する電圧も、高レベル（５Ｖ）と低レベル（０Ｖ）の間で反転させることで、同じ画素データを再書き込みできる。これは、従来の外部の画素メモリを使用する極性反転動作である「外部極性反転動作」に相当する。
【０４０４】
上述の外部極性反転動作は、書き込み動作と全く同じで、１フレーム分の画素データをゲート線の本数分の水平期間に分割して書き込むことになるため、各列のソース線ＳＬを最大１水平期間毎に変化させる必要が生じ、大きな電力消費を伴う。このため、本実施形態では、常時表示モードにおいて、図４４のフローチャートに示す要領で、セルフ極性反転動作と書き込み動作を組み合わせて実行することで、大幅な電力消費の低減を図る。
【０４０５】
初めに、常時表示モードにおける１フレーム分の画素データの書き込み動作を、第５実施形態で上述した要領で実行する（ステップ＃１１）。
【０４０６】
ステップ＃１１の書き込み動作後、所定数のフレーム期間分に相当する待機期間の経過後、常時表示モードにおける１フレーム分の画素回路２に対して、セルフ極性反転動作を、第３〜第４実施形態で上述した要領で一括して実行する（ステップ＃１２）。この結果、上記待機期間の経過中に、図４１〜図４２に示すように、画素電圧Ｖ２０の微小な電圧変動が生じ、これに伴い、液晶電圧Ｖｌｃにも同様の電圧変動が生じていたものが初期化され、画素電圧Ｖ２０は書き込み動作直後の電圧状態に復帰し、液晶電圧Ｖｌｃも、書き込み動作直後の電圧値と同じ絶対値で極性が反転した状態となる。従って、セルフ極性反転動作によって、液晶電圧Ｖｌｃのリフレッシュ動作と極性反転動作が同時に実現される。
【０４０７】
ステップ＃１２のセルフ極性反転動作後、上記待機期間の経過中に、新たな画素データの書き込み動作（データ書き換え）、或いは、「外部極性反転動作」の要求を外部から受け取ると（ステップ＃１３のＹＥＳ）、ステップ＃１１に戻り、新たな画素データ又は従前の画素データの書き込み動作を実行する。上記待機期間の経過中に、当該要求を受け取らない場合（ステップ＃１３のＮＯ）は、上記待機期間の経過後に、ステップ＃１２に戻り、セルフ極性反転動作を再度実行する。これにより、上記待機期間が経過する毎に、セルフ極性反転動作が繰り返し実行されるため、液晶電圧Ｖｌｃのリフレッシュ動作と極性反転動作が行われ、液晶表示素子の劣化及び表示品質の低下を防止できる。
【０４０８】
セルフ極性反転動作によって消費電力が低減できる理由、並びにセルフ極性反転動作だけでなく外部極性反転動作と併用する理由は、第６実施形態におけるセルフリフレッシュ動作を用いた場合の理由と同じであるため省略する。また、本実施形態のフローを実現するためには、当然にセルフ極性反転動作が実行可能な画素回路の類型に限定されることはいうまでもない。
【０４０９】
なお、第２類型の画素回路（２Ｂ）の場合、本実施形態のフローを実現するためには、ステップ＃１１において補助容量線ＣＳＬを０Ｖにして書き込み動作を実行する必要がある点は、第３並びに第４実施形態で上述した。
【０４１０】
［第８実施形態］
第８実施形態では、常時表示モードにおけるセルフリフレッシュ動作及びセルフ極性反転動作と書き込み動作の関係について説明する。第６及び第７実施形態で上述したように、セルフリフレッシュ動作、セルフ極性反転動作は、それぞれ消費電力を低減させる効果があった。本実施形態では、常時表示モードにおいて、図４５のフローチャートに示す要領で、セルフリフレッシュ動作、セルフ極性反転動作と書き込み動作を組み合わせて実行することで、更に大幅な電力消費の低減を図る。
【０４１１】
まず、常時表示モードにおける１フレーム分の画素データの書き込み動作を、第５実施形態で上述した要領で実行する（ステップ＃２１）。
【０４１２】
ステップ＃２１の書き込み動作後、セルフリフレッシュ動作を、第２実施形態で上述した要領により実行する（ステップ＃２２）。
【０４１３】
次に、このセルフリフレッシュ動作が、直前に書き込み動作が行われてから何回目の動作であるかを検出する。言い換えれば、直前に書き込み動作が行われてから、何フレーム分セルフリフレッシュ動作を実行したかをカウントする。このカウント値が、所定の臨界フレーム数以下であれば（ステップ＃２３でＮＯ）、引き続きステップ＃２２に戻りセルフリフレッシュ動作を実行する。一方、臨界フレーム数を超えていれば（ステップ＃２３でＹＥＳ）、第３〜第４実施形態で上述した要領によりセルフ極性反転動作を実行する（ステップ＃２４）。
【０４１４】
ステップ＃２４のセルフ極性反転動作後、新たな画素データの書き込み動作（データ書き換え）、或いは、「外部極性反転動作」の要求を外部から受け取ると（ステップ＃２５のＹＥＳ）、ステップ＃２１に戻り、新たな画素データ又は従前の画素データの書き込み動作を実行する。一方、当該要求を受け取らない場合（ステップ＃２５のＮＯ）は、ステップ＃２２に戻り、セルフリフレッシュ動作を再度実行する。これにより、セルフリフレッシュ動作とセルフ極性反転動作が繰り返し実行されるため、液晶電圧Ｖｌｃのリフレッシュ動作と極性反転動作が行われ、液晶表示素子の劣化及び表示品質の低下を防止できる。
【０４１５】
なお、図４５のフローチャートに代えて、図４３のフローチャートと図４４のフローチャートを適宜組み合わせることにより、セルフリフレッシュ動作とセルフ極性反転動作を組み合わせる構成としても構わない。特に、第２類型の画素回路（２Ｂ）の場合、本実施形態のフローを実現するためには、セルフリフレッシュ動作を行う際にはデータ書き込み時（ステップ＃１）において補助容量線ＣＳＬを５Ｖにしておき、セルフ極性反転動作を行う際にはデータ書き込み時（ステップ＃１１）において０Ｖにしておく必要がある。このような画素回路の場合、図４５のようなフローチャートを実行することができないため、図４３のフローチャートと図４４のフローチャートを組み合わせて実行するのが好適である。
【０４１６】
［第９実施形態］
第９実施形態では、通常表示モードにおける書き込み動作につき、各類型毎に図面を参照して説明する。
【０４１７】
通常表示モードにおける書き込み動作では、１フレーム分の画素データを水平方向（行方向）の表示ライン毎に分割し、１水平期間毎に、各列のソース線ＳＬに１表示ライン分の各画素データに対応した多階調のアナログ電圧を印加すると共に、選択された表示ライン（選択行）のゲート線ＧＬに選択行電圧８Ｖを印加して、当該選択行の全ての画素回路２の第１スイッチ回路２２を導通状態にして、各列のソース線ＳＬの電圧を、選択行の各画素回路２の内部ノードＮ１に転送する動作である。選択された表示ライン以外（非選択行）のゲート線ＧＬには、当該選択行の全ての画素回路２の第１スイッチ回路２２を非導通状態にするため、非選択行電圧−５Ｖを印加する。
【０４１８】
以下に説明する書き込み動作における各信号線の電圧印加のタイミング制御は、表示制御回路１１によって行われ、個々の電圧印加は、表示制御回路１１、対向電極駆動回路１２、ソースドライバ１３、ゲートドライバ１４によって行われる。
【０４１９】
図４６に、グループＸの第１類型の画素回路２Ａを使用した書き込み動作のタイミング図を示す。図４６では、１フレーム期間における２本のゲート線ＧＬ１，ＧＬ２、２本のソース線ＳＬ１，ＳＬ２、選択線ＳＥＬ、リファレンス線ＲＥＦ、補助容量線ＣＳＬ、及びブースト線ＢＳＴの各電圧波形と、対向電圧Ｖｃｏｍの電圧波形を図示している。
【０４２０】
１フレーム期間は、ゲート線ＧＬの本数分の水平期間に分割され、各水平期間に選択されるゲート線ＧＬ１〜ＧＬｎが順番に割り当てられている。図４６では、最初の２水平期間における２本のゲート線ＧＬ１，ＧＬ２の電圧変化を図示している。第１水平期間では、ゲート線ＧＬ１に選択行電圧８Ｖが、ゲート線ＧＬ２に非選択行電圧−５Ｖがそれぞれ印加され、第２水平期間では、ゲート線ＧＬ２に選択行電圧８Ｖが、ゲート線ＧＬ１に非選択行電圧−５Ｖがそれぞれ印加され、それ以後の水平期間では、両ゲート線ＧＬ１，ＧＬ２には非選択行電圧−５Ｖが印加される。
【０４２１】
各列のソース線ＳＬには、水平期間毎に対応する表示ラインの画素データに対応した多階調のアナログ電圧が印加されている。なお、通常表示モードではアナログ表示ラインの画素データに対応した多階調のアナログ電圧が印加され、印加電圧が一義的には特定されないため、図４６では斜線により塗りつぶすことでこれを表現している。なお、図４６では、各ソース線ＳＬ１，ＳＬ２，……ＳＬｍを代表して２本のソース線ＳＬ１，ＳＬ２を図示している。
【０４２２】
対向電圧Ｖｃｏｍは、１水平期間毎に変化するため（対向ＡＣ駆動）、当該アナログ電圧は、同じ水平期間中の対向電圧Ｖｃｏｍに対応した電圧値となっている。つまり、対向電圧Ｖｃｏｍが５Ｖか０Ｖかによって、数２で与えられる液晶電圧Ｖｌｃの絶対値は変わらず極性のみが変わるように、ソース線ＳＬに印加されるアナログ電圧が設定される。
【０４２３】
第１及び第４類型の画素回路は、第１スイッチ回路２２がトランジスタＴ４だけで構成されているので、第１スイッチ回路２２の導通非導通の制御は、トランジスタＴ４だけのオンオフ制御で十分である。また、第２スイッチ回路２３は、書き込み動作では導通状態にする必要がなく、非選択行の画素回路２Ａで第２スイッチ回路２３が導通状態となるのを防止するために、１フレーム期間の間、全ての画素回路２Ａに接続する選択線ＳＥＬに非選択用電圧−５Ｖを印加する。この非選択用電圧は負電圧に限られるものではなく、０Ｖでも良い。
【０４２４】
また、リファレンス線ＲＥＦには、１フレーム期間の間、トランジスタＴ２を内部ノードＮ１の電圧状態に関係なく常時オン状態とする電圧を印加する。この電圧値は、多階調のアナログ電圧としてソース線ＳＬから与えられる電圧値の中での最大値よりも、トランジスタＴ２の閾値電圧以上高い電圧であれば良い。図４６では、前記最大値を５Ｖとし、閾値電圧を２Ｖとして、それらの和よりも大きい８Ｖを印加している。
【０４２５】
対向電圧Ｖｃｏｍは１水平期間毎に対向ＡＣ駆動されるため、補助容量線ＣＳＬは、対向電圧Ｖｃｏｍと同電圧となるように駆動される。画素電極２０は、対向電極８０と液晶層を介して容量結合していると共に、補助容量素子Ｃｓを介して補助容量線ＣＳＬとも容量結合している。このため、補助容量素子Ｃ２の補助容量線ＣＳＬ側の電圧を固定すると、対向電圧Ｖｃｏｍの変化が、補助容量線ＣＳＬと補助容量素子Ｃ２間で分配されて画素電極２０に現れ、非選択行の画素回路２の液晶電圧Ｖｌｃが変動してしまう。従って、全ての補助容量線ＣＳＬを対向電圧Ｖｃｏｍと同電圧に駆動することで、対向電極８０と画素電極２０の電圧が同じ電圧方向に変化し、上記非選択行の画素回路２の液晶電圧Ｖｌｃの変動を抑制することができる。
【０４２６】
第５実施形態で説明したように、常時表示モードの書き込み動作の場合と同様の理由により、第２及び第３類型の画素回路においても、第１類型と同様の電圧印加方法によって書き込み動作が実現できる。また、第４〜第６類型の画素回路においては、常時表示モードの書き込み動作と同様に、選択線ＳＥＬを行単位に個別に制御すれば良く、他は第１類型と同様の電圧印加方法によって書き込み動作が実現できる。なお、第３及び第６類型の場合、電圧供給線ＶＳＬへの印加電圧は、０Ｖとすれば良い。
【０４２７】
更に、グループＹの各画素回路（２ａ〜２ｆ）は、同一類型のグループＸの各画素回路（２Ａ〜２Ｆ）と同様の電圧印加を行うことで書き込み動作が実現できる。この点も、第５実施形態で説明した、常時表示モードの書き込み動作の場合と同様の理由により説明できるため、詳細は省略する。
【０４２８】
なお、通常表示モードにおける書き込み動作において、１水平期間毎に各表示ラインの極性を反転させる方法として、上述の「対向ＡＣ駆動」以外に、対向電圧Ｖｃｏｍとして所定の固定電圧を対向電極８０に印加する方法がある。この方法によれば、画素電極２０に印加される電圧は、対向電圧Ｖｃｏｍを基準として正電圧となる場合と負電圧となる場合が１水平期間毎に交替する。
【０４２９】
この場合、当該画素電圧を、ソース線ＳＬを介して直接書き込む方法と、対向電圧Ｖｃｏｍを中心とした電圧範囲の電圧を書き込んだ後に、補助容量素子Ｃｓを用いた容量結合により、対向電圧Ｖｃｏｍを基準として正電圧又は負電圧のいずれか一方となるように電圧調整する方法もある。この場合、補助容量線ＣＳＬは対向電圧Ｖｃｏｍとは同電圧に駆動せずに、行単位で個別にパルス駆動することになる。
【０４３０】
また、本実施形態では、通常表示モードにおける書き込み動作において、１水平期間毎に各表示ラインの極性を反転させる方法を採用したが、これは、１フレーム単位で極性反転した場合に発生する以下に示す不都合を解消するためである。なお、このような不都合を解消する方法としては、列毎に極性反転駆動する方法や、行及び列方向同時に画素単位で極性反転駆動する方法もある。
【０４３１】
あるフレームＦ１で全ての画素において正極性の液晶電圧Ｖｌｃを印加し、次のフレームＦ２で全ての画素において負極性の液晶電圧Ｖｌｃを印加した場合を想定する。液晶層７５に対して同一絶対値の電圧が印加された場合であっても、正極性か負極性によって光の透過率に微少な差異が生じる場合がある。高画質の静止画を表示している場合、この微少な差異の存在が、フレームＦ１とフレームＦ２で表示態様に微細な変化を生む可能性がある。また、動画表示時においても、フレーム間で同一内容の表示内容となるべき表示領域内において、その表示態様に微細な変化を生む可能性がある。高画質の静止画や動画の表示時には、このような微細な変化でも視覚的に認識することができる場合が想定される。
【０４３２】
そして、通常表示モードは、このような高画質の静止画や動画を表示するモードであるため、上述のような微細な変化が視覚的に認識される可能性がある。このような現象を回避すべく、本実施形態では、同一フレーム内において表示ライン毎に極性を反転させている。これにより、同一フレーム内でも表示ライン間で異なる極性の液晶電圧Ｖｌｃが印加されているため、液晶電圧Ｖｌｃの極性に基づく表示画像データへの影響を抑制できる。
【０４３３】
［別実施形態］
以下、別実施形態につき説明する。
【０４３４】
〈１〉  グループＸに属する画素回路２Ａ〜２Ｆに関しては、通常表示モード及び常時表示モードの書き込み動作時において、リファレンス線ＲＥＦに低レベル電圧を与え、トランジスタＴ２をオフ状態としても良い。このようにすることで、内部ノードＮ１と出力ノードＮ２が電気的に分離される結果、画素電極２０の電位が書き込み動作前の出力ノードＮ２の電圧の影響を受けなくなる。これにより、画素電極２０の電圧は、ソース線ＳＬの印加電圧を正しく反映し、画像データを誤差なく表示することができる。
【０４３５】
ただし、上述したように、ノードＮ１の総寄生容量は、ノードＮ２に比べて遙かに大きく、ノードＮ２の初期状態の電位が画素電極２０の電位に影響を与えることはほとんどないため、トランジスタＴ２は常時オン状態にしておくのも好ましい。
【０４３６】
〈２〉  上記実施形態では、セルフ極性反転動作は、１フレーム単位で全ての画素回路を対象として実施する場合を説明したが、例えば、１フレームを一定数の行からなる複数の行グループに分割し、当該行グループ単位で実行するようにしても良い。例えば、セルフ極性反転動作を偶数行の画素回路に対して実行し、次のセルフ極性反転動作を奇数行の画素回路に対して実行することを順次繰り返しても良い。このように偶数行と奇数行を分離してセルフ極性反転動作を行うことで、セルフ極性反転動作により微小な表示誤差が生じる場合であっても、偶数行毎或いは奇数行毎にこの微少な誤差が分散され、表示画像への影響を更に小さくすることができる。同様に、１フレームを一定数の列からなる複数の列グループに分割し、当該列グループ単位で実行するようにしても良い。
【０４３７】
〈３〉  上記実施形態では、アクティブマトリクス基板１０上に構成される全ての画素回路２に対し、第２スイッチ回路２３と制御回路２４を備える構成とした。これに対し、アクティブマトリクス基板１０上において、透過液晶表示を行う透過画素部と反射液晶表示を行う反射画素部の２種類の画素部を備える構成の場合には、反射画素部の画素回路にのみ第２スイッチ回路２３と制御回路２４を備え、透過表示部の画素回路には第２スイッチ回路２３と制御回路２４を備えない構成としても良い。
【０４３８】
この場合、通常表示モード時には透過画素部によって画像表示がなされ、常時表示モード時には反射画素部によって画像表示がなされることとなる。このように構成することで、アクティブマトリクス基板１０全体に形成される素子数を削減することができる。
【０４３９】
〈４〉  上記実施形態では、各画素回路２は、補助容量素子Ｃｓを備える構成であったが、補助容量素子Ｃｓを備えない構成であっても良い。ただし、内部ノードＮ１の電位をより安定化させ、表示画像の確実な安定化を図るためには、この補助容量素子Ｃｓを備える方が好ましい。
【０４４０】
〈５〉  上記実施形態では、各画素回路２の表示素子部２１は、単位液晶表示素子Ｃｌｃだけで構成される場合を想定したが、図４７に示すように、内部ノードＮ１と画素電極２０の間にアナログアンプＡｍｐ（電圧増幅器）を備える構成としても良い。図４７では一例として、アナログアンプＡｍｐの電源用ラインとして、補助容量線ＣＳＬと電源線Ｖｃｃが入力される構成とした。
【０４４１】
この場合、内部ノードＮ１に与えられた電圧は、アナログアンプＡｍｐによって設定された増幅率ηによって増幅され、増幅後の電圧が画素電極２０に供給される。よって、内部ノードＮ１の微少な電圧変化を表示画像に反映することができる構成である。
【０４４２】
なお、この構成の場合、常時表示モードのセルフ極性反転動作では、内部ノードＮ１の電圧が、増幅率ηによって増幅され画素電極２０に供給されるため、ソース線ＳＬに印加する第１及び第２電圧状態の電圧差を調整することで、画素電極２０に供給される第１及び第２電圧状態の電圧を、対向電圧Ｖｃｏｍの高レベル及び低レベルの電圧に一致させることができる。
【０４４３】
〈６〉  上記実施形態では、画素回路２内のトランジスタＴ１〜Ｔ４を、Ｎチャネル型の多結晶シリコンＴＦＴを想定したが、Ｐチャネル型のＴＦＴを使用した構成や、非晶質シリコンＴＦＴを使用した構成とすることも可能である。Ｐチャネル型のＴＦＴを使用する構成の表示装置においても、電源電圧及び既述の動作条件として示された電圧値の正負を反転させる、ケースＡとケースＢにおける印加電圧を逆転させる、常時表示モードにおける書き込み動作において、第１電圧状態（５Ｖ）及び第２電圧状態（０Ｖ）とあるのを、第１電圧状態（０Ｖ）及び第２電圧状態（５Ｖ）に置き換える、等により上記各実施形態と同様に画素回路２を動作させることが可能であり、同様の効果が得られる。
【０４４４】
〈７〉  上記実施形態では、常時表示モードにおける画素電圧Ｖ２０及び対向電圧Ｖｃｏｍの第１及び第２電圧状態の電圧値として、０Ｖと５Ｖを想定し、各信号線に印加する電圧値も、それに応じて、−５Ｖ，０Ｖ，５Ｖ，８Ｖ，１０Ｖと設定したが、これらの電圧値は、使用する液晶素子及びトランジスタ素子の特性（閾値電圧等）に応じて、適宜変更可能である。
【０４４５】
〈８〉  上記実施形態では、液晶表示装置を例に挙げて説明したが、本発明はこれに限定されるものではなく、画素データを保持するための画素容量Ｃｐに対応する容量を有し、当該容量に保持される電圧に基づき画像を表示する表示装置であれば、本発明を適用することができる。
【０４４６】
例えば、画素容量に相当する容量に画素データに相当する電圧を保持させて画像表示する有機ＥＬ（Electroluminescenece）表示装置の場合、特にセルフリフレッシュ動作に関して本発明を適用することができる。図４８は、このような有機ＥＬ表示装置の画素回路の一例を示す回路図である。この画素回路では、画素データとして補助容量Ｃｓに保持された電圧が、ＴＦＴで構成された駆動用トランジスタＴｄｖのゲート端子に与えられ、その電圧に応じた電流が駆動用トランジスタＴｄｖを介して発光素子ＯＬＥＤに流れる。従って、この補助容量Ｃｓが上記各実施形態における画素容量Ｃｐに相当する。
【０４４７】
なお、図４８に示す画素回路においては、電極間に電圧を印加することで光の透過率を制御することで画像表示を行うという液晶表示装置とは異なり、素子を流れる電流によって素子そのものが発光することで画像表示を行う。このため、発光素子の整流性ゆえ、当該素子の両端に印加される電圧の極性を反転させるということができず、更にはそのような必要性もない。このため、図４８の画素回路においては、第３〜第４実施形態で説明したようなセルフ極性反転動作を行うことはできない。
【符号の説明】
【０４４８】
１：  液晶表示装置
２：  画素回路
２Ａ，２Ｂ，２Ｃ，２Ｄ，２Ｅ，２Ｆ：  画素回路
２ａ，２ｂ，２ｃ，２ｄ，２ｅ，２ｆ：  画素回路
１０：  アクティブマトリクス基板
１１：  表示制御回路
１２：  対向電極駆動回路
１３：  ソースドライバ
１４：  ゲートドライバ
２０：  画素電極
２１：  表示素子部
２２：  第１スイッチ回路
２３：  第２スイッチ回路
２４：  制御回路
７４：  シール材
７５：  液晶層
８０：  対向電極
８１：  対向基板
Ａｍｐ：  アナログアンプ
ＢＳＴ：  ブースト線
Ｃｂｓｔ：  ブースト容量素子
Ｃｌｃ：  液晶表示素子
ＣＭＬ：  対向電極配線
ＣＳＬ：  補助容量線
Ｃｓ：  補助容量素子
Ｃｔ：  タイミング信号
ＤＡ：  ディジタル画像信号
Ｄｖ：  データ信号
ＧＬ（ＧＬ１，ＧＬ２，……，ＧＬｎ）：  ゲート線
Ｇｔｃ：  走査側タイミング制御信号
Ｎ１：  内部ノード
Ｎ２：  出力ノード
ＯＬＥＤ：  発光素子
Ｐ１，Ｐ２：  フェーズ
Ｐ１０，Ｐ１１，……，Ｐ１８：  フェーズ
Ｐ２０，Ｐ２１，……，Ｐ２７：  フェーズ
ＲＥＦ：  リファレンス線
Ｓｃ１，Ｓｃ２，……，Ｓｃｍ：  ソース信号
ＳＥＬ：  選択線
ＳＬ（ＳＬ１，ＳＬ２，……，ＳＬｍ）：  ソース線
Ｓｔｃ：  データ側タイミング制御信号
Ｔ１，Ｔ２，Ｔ３，Ｔ４，Ｔ５：  トランジスタ
Ｔｄｖ：  駆動用トランジスタ
Ｖ２０：  画素電極電位、内部ノード電位
Ｖｃｏｍ：  対向電圧
Ｖｌｃ：  液晶電圧
ＶＮ２：  出力ノード電位
【図１】
2011027599.tif 000003
【図２】
2011027599.tif 000004
【図３】
2011027599.tif 000005
【図４】
2011027599.tif 000006
【図５】
2011027599.tif 000007
【図６】
2011027599.tif 000008
【図７】
2011027599.tif 000009
【図８】
2011027599.tif 000010
【図９】
2011027599.tif 000011
【図１０】
2011027599.tif 000012
【図１１】
2011027599.tif 000013
【図１２】
2011027599.tif 000014
【図１３】
2011027599.tif 000015
【図１４】
2011027599.tif 000016
【図１５】
2011027599.tif 000017
【図１６】
2011027599.tif 000018
【図１７】
2011027599.tif 000019
【図１８】
2011027599.tif 000020
【図１９】
2011027599.tif 000021
【図２０】
2011027599.tif 000022
【図２１】
2011027599.tif 000023
【図２２】
2011027599.tif 000024
【図２３】
2011027599.tif 000025
【図２４】
2011027599.tif 000026
【図２５】
2011027599.tif 000027
【図２６】
2011027599.tif 000028
【図２７】
2011027599.tif 000029
【図２８】
2011027599.tif 000030
【図２９】
2011027599.tif 000031
【図３０】
2011027599.tif 000032
【図３１】
2011027599.tif 000033
【図３２】
2011027599.tif 000034
【図３３】
2011027599.tif 000035
【図３４】
2011027599.tif 000036
【図３５】
2011027599.tif 000037
【図３６】
2011027599.tif 000038
【図３７】
2011027599.tif 000039
【図３８】
2011027599.tif 000040
【図３９】
2011027599.tif 000041
【図４０】
2011027599.tif 000042
【図４１】
2011027599.tif 000043
【図４２】
2011027599.tif 000044
【図４３】
2011027599.tif 000045
【図４４】
2011027599.tif 000046
【図４５】
2011027599.tif 000047
【図４６】
2011027599.tif 000048
【図４７】
2011027599.tif 000049
【図４８】
2011027599.tif 000050
【図４９】
2011027599.tif 000051
【図５０】
2011027599.tif 000052
【手続補正書】
【提出日】平成24年2月21日(2012.2.21)
【手続補正１】
【補正対象書類名】特許請求の範囲
【補正対象項目名】請求項１９
【補正方法】変更
【補正の内容】
【請求項１９】
複数の前記画素回路に対して、前記第２スイッチ回路と前記制御回路を作動させて前記内部ノードの電圧変動を同時に補償するセルフリフレッシュ動作時に、
前記走査信号線駆動回路が、前記画素回路アレイ内の全部の前記画素回路に接続する前記走査信号線に所定の電圧を印加して前記第４トランジスタ素子を非導通状態とし、
前記制御線駆動回路が、
前記第１制御線に、前記内部ノードが保持する２値の画素データの電圧状態が第１電圧状態の場合には前記第２トランジスタ素子によって前記第１容量素子の一端から前記内部ノードに向けての電流が遮断され、第２電圧状態の場合には前記第２トランジスタ素子を導通状態とする所定の電圧を印加し、
前記第２制御線に、前記第３トランジスタ素子を導通状態とする所定の電圧を印加し、
前記第１容量素子の他端に接続する前記第２制御線又は前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記電圧変化が抑制されずに前記第１トランジスタ素子を導通状態とする一方、前記内部ノードの電圧が前記第２電圧状態の場合には前記電圧変化が抑制されて前記第１トランジスタ素子を非導通状態とし、
前記セルフリフレッシュ動作の対象である複数の前記画素回路に接続する全部の前記電圧供給線に、前記第１電圧状態の前記画素データの電圧を供給することを特徴とする請求項１０に記載の表示装置。
【手続補正２】
【補正対象書類名】特許請求の範囲
【補正対象項目名】請求項２４
【補正方法】変更
【補正の内容】
【請求項２４】
前記画素回路は、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１容量素子の他端に接続する前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、その後に、前記第１容量素子の他端に接続する前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１０に記載の表示装置。
【手続補正３】
【補正対象書類名】特許請求の範囲
【補正対象項目名】請求項２７
【補正方法】変更
【補正の内容】
【請求項２７】
前記画素回路は、前記電圧供給線が前記第１〜第３制御線と兼用されることなく独立した配線であり、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第３制御線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とすると共に、前記第３トランジスタ素子を導通状態とし
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１０に記載の表示装置。
【手続補正４】
【補正対象書類名】特許請求の範囲
【補正対象項目名】請求項２８
【補正方法】変更
【補正の内容】
【請求項２８】
前記画素回路は、前記電圧供給線が前記第１〜第２制御線と兼用されることなく独立した配線であり、前記第１スイッチ回路が前記第４トランジスタ素子以外のスイッチ素子を含まず、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に前記第３トランジスタ素子を非導通状態とする所定の電圧を印加するか、或いは、前記電圧供給線に前記第１トランジスタ素子を非導通状態とする所定の電圧を印加して、前記第２スイッチ回路を非導通状態とし、
前記第２制御線及び前記電圧供給線に所定の初期電圧を印加し、
前記初期状態設定動作後に、
前記制御線駆動回路が、
前記第２制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１０に記載の表示装置。
【手続補正５】
【補正対象書類名】特許請求の範囲
【補正対象項目名】請求項２９
【補正方法】変更
【補正の内容】
【請求項２９】
前記画素回路は、前記電圧供給線が前記第１〜第３制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第１容量素子の他端に接続する前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了後までの所定期間中、前記第２制御線に前記第３トランジスタ素子を導通状態とする所定の電圧を印加し、その後に、前記第１容量素子の他端に接続する前記第３制御線へのパルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１１に記載の表示装置。
【手続補正６】
【補正対象書類名】特許請求の範囲
【補正対象項目名】請求項３０
【補正方法】変更
【補正の内容】
【請求項３０】
前記画素回路は、前記電圧供給線が前記第１〜第３制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第３制御線及び前記電圧供給線に所定の初期電圧を印加し、
前記初期状態設定動作後に、
前記制御線駆動回路が、
前記第２制御線及び前記第３制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線及び前記第３制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線及び前記第３制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１１に記載の表示装置。
【手続補正７】
【補正対象書類名】特許請求の範囲
【補正対象項目名】請求項３１
【補正方法】変更
【補正の内容】
【請求項３１】
前記画素回路は、前記電圧供給線が前記第１〜第２制御線と兼用されることなく独立した配線であり、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、且つ前記第１容量素子の他端が前記第２制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記初期状態設定動作後に、
前記制御線駆動回路が、
前記第１容量素子の他端に接続する前記第２制御線に所定の電圧振幅の電圧パルスを印加して、前記第１容量素子の一端に対して前記第１容量素子を介した容量結合による電圧変化を与え、前記内部ノードの電圧が前記第１電圧状態の場合には前記第２トランジスタ素子が非導通状態になることで前記電圧変化が抑制されずに前記第１トランジスタ素子を導通状態とする一方、前記内部ノードの電圧が前記第２電圧状態の場合には、前記第２トランジスタ素子が導通状態になることで前記電圧変化が抑制されて前記第１トランジスタ素子を非導通状態とし、
その後に、前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間経過後、前記第２制御線への電圧パルス印加を停止し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、
前記走査信号線駆動回路によって前記電圧パルスを印加され、前記データ信号線に前記第１電圧状態の電圧が印加されている間、前記セルフ極性反転動作対象の複数の前記画素回路に接続する全部の前記電圧供給線に前記第１電圧状態の電圧を印加した後、前記第２制御線への前記電圧パルスの印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１１に記載の表示装置。
【手続補正８】
【補正対象書類名】特許請求の範囲
【補正対象項目名】請求項３２
【補正方法】変更
【補正の内容】
【請求項３２】
前記画素回路は、前記第１スイッチ回路が前記第４トランジスタ素子以外のスイッチ素子を含まず、且つ前記第１容量素子の他端が前記第３制御線に接続される構成であって、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、前記第１容量素子の一端の電圧値の差によって、前記第１トランジスタ素子の第１又は第２端子の電圧を前記第２電圧状態とした場合に、前記内部ノードが前記第１電圧状態の場合に前記第１トランジスタ素子が導通状態となり、前記内部ノードが前記第２電圧状態の場合に前記第１トランジスタ素子が非導通状態となる所定の電圧を印加し、
前記第２制御線に前記第３トランジスタ素子を非導通状態とする所定の電圧を印加するか、或いは、前記電圧供給線が独立した配線である場合において、前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードが前記第１電圧状態または前記第２電圧状態のいずれであっても、前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路が前記電圧パルスの印加を終了した後の所定期間中、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１０に記載の表示装置。
【手続補正９】
【補正対象書類名】特許請求の範囲
【補正対象項目名】請求項３３
【補正方法】変更
【補正の内容】
【請求項３３】
前記画素回路は、前記電圧供給線が前記第１〜第３制御線と兼用されることなく独立した配線であり、前記第１容量素子の他端が前記第３制御線に接続し、且つ前記第１スイッチ回路が前記第３トランジスタ素子と前記第４トランジスタ素子との直列回路、又は前記第２スイッチ回路内の前記第３トランジスタ素子の制御端子に制御端子が接続する第５トランジスタと前記第４トランジスタ素子との直列回路で構成され、
前記単位表示素子が、画素電極、対向電極、並びに前記画素電極と前記対向電極に挟持された液晶層からなる液晶表示素子で構成されており、
前記表示素子部において、前記内部ノードが前記画素電極に直接又は電圧増幅器を介して接続し、
前記対向電極に電圧を供給する対向電極電圧供給回路を備え、
複数の前記画素回路に対して、前記第１スイッチ回路と前記第２スイッチ回路と前記制御回路を作動させ、前記画素電極と前記対向電極の間に印加されている電圧の極性を同時に反転させるセルフ極性反転動作において、
前記セルフ極性反転動作開始前の初期状態設定動作として、
前記走査信号線駆動回路が、前記画素回路アレイ内の全部の前記画素回路に接続する前記走査信号線に所定の電圧を印加して、前記第４トランジスタ素子を非導通状態とし、
前記制御線駆動回路が、
前記第１制御線に、前記内部ノードが保持する２値の画素データの電圧状態が第１電圧状態又は第２電圧状態のいずれであるかに応じて、前記第１容量素子の一端の電圧値に差が生じる所定の電圧を印加し、
前記第２制御線に、前記第３トランジスタ素子を非導通状態とする所定の電圧を印加するか、或いは前記電圧供給線に前記第１トランジスタ素子を非導通状態とする所定の電圧を印加して、前記第２スイッチ回路を非導通状態とし、
前記第１容量素子の他端に接続する前記第３制御線に所定の初期電圧を印加し、
前記初期状態設定動作後に、
前記制御線駆動回路が、
前記第１制御線に、前記内部ノードの電圧状態に関係なく前記第２トランジスタ素子を非導通状態とする所定の電圧を印加し、
前記走査信号線駆動回路が、その後に、前記セルフ極性反転動作対象の複数の前記画素回路に接続する全部の前記走査信号線に所定の電圧振幅の電圧パルスを印加して、前記第４トランジスタ素子を一時的に導通状態とした後、非導通状態に戻し、
前記対向電極電圧供給回路が、前記第２トランジスタ素子が非導通状態となった後、前記走査信号線駆動回路が前記電圧パルスの印加を終了するまでに、前記対向電極に印加している電圧を２つの電圧状態間で変化させ、
前記制御線駆動回路が、少なくとも前記走査信号線駆動回路の前記電圧パルス印加時から当該パルス印加終了した所定期間経過後までの間、前記第２制御線に前記第３トランジスタ素子を導通状態とする所定の電圧を印加し、
前記データ信号線駆動回路が、前記セルフ極性反転動作対象の複数の前記画素回路に接続する全部の前記データ信号線に、少なくとも前記走査信号線駆動回路が前記電圧パルスを印加している間、前記第１電圧状態の電圧を印加し、
前記制御線駆動回路が、前記第２制御線に対し前記第３トランジスタ素子を導通状態とする所定の電圧の印加を終了する直前の少なくとも一部期間中、前記セルフ極性反転動作対象の複数の前記画素回路に接続する全部の前記電圧供給線に前記第２電圧状態の電圧を印加する、一連の動作が実行されることを特徴とする請求項１１に記載の表示装置。
【国際調査報告】
2011027599.tif 000053
2011027599.tif 000054
2011027599.tif 000055
2011027599.tif 000056